(57)【要約】【課題】健康状態を改善可能な運動に対するユーザーのやる気を向上させる。【解決手段】健康状態を示す身体の状態に係る１以上の数値の項目についての複数のユーザーの第１タイミングにおける数値の情報に基づき、該１以上の数値の項目に係る数値が第１ユーザーと特定の関係を満たす第２ユーザーが複数のユーザーから認識される。第２ユーザーの動作に応答して、第１タイミング後における健康状態を改善可能な第２ユーザーの運動に係る運動情報および該運動に応じて変化した１以上の数値の項目についての第２ユーザーの数値に係る数値情報の少なくとも一方の情報の入力が受け付けられる。入力が受け付けられた第２ユーザーに係る運動情報および数値情報の少なくとも一方に係る情報が、記憶されるとともに第１ユーザーに対して出力される。【選択図】図５
2017162354.tif 000002
【特許請求の範囲】
【請求項１】
健康状態を示す身体の状態に係る１以上の数値の項目についての複数のユーザーの第１タイミングにおける数値の情報に基づいて、該１以上の数値の項目についての数値が第１ユーザーと特定の関係を満たす第２ユーザーを前記複数のユーザーの中から認識するユーザー認識部と、
前記第２ユーザーの動作に応答して、前記第１タイミングの後における健康状態を改善可能な前記第２ユーザーの運動に係る運動情報、および該運動に応じて変化した前記１以上の数値の項目についての前記第２ユーザーの数値に係る数値情報、のうちの少なくとも一方の情報の入力を受け付ける入力受付部と、
前記入力受付部によって入力が受け付けられた前記第２ユーザーに係る前記運動情報および前記数値情報のうちの少なくとも一方に係る情報を、記憶部に記憶させる記憶制御部と、
前記入力受付部によって入力が受け付けられた前記第２ユーザーに係る前記運動情報および前記数値情報のうちの少なくとも一方に係る情報を、出力部によって前記第１ユーザーに対して出力させる出力制御部と、を備えている、情報処理システム。
【請求項２】
請求項１に記載の情報処理システムであって、
前記入力受付部が、
前記第２ユーザーの動作に応答して、前記第１タイミングの後の第２タイミングにおける、前記第２ユーザーの運動に応じて変化した前記１以上の数値の項目についての前記第２ユーザーの数値に係る数値情報の入力を受け付け、
前記出力制御部が、
前記１以上の数値の項目についての、前記第２ユーザーの前記第１タイミングおよび前記第２タイミングのそれぞれにおける数値、ならびに前記第２ユーザーの前記第１タイミングと前記第２タイミングとの間における数値の変化、のうちの少なくとも一方に係る情報を、前記出力部によって前記第１ユーザーに対して出力させる、情報処理システム。
【請求項３】
請求項１または請求項２に記載の情報処理システムであって、
前記１以上の数値の項目が、
バイタルデータに係る数値の項目および生化学検査に係る数値の項目のうちの少なくとも１項目を含んでいる、情報処理システム。
【請求項４】
請求項１から請求項３の何れか１つの請求項に記載の情報処理システムであって、
前記出力制御部が、
前記入力受付部によって前記第２ユーザーに係る前記運動情報および前記数値情報のうちの少なくとも一方の情報の入力が受け付けられたことに応答して、前記第２ユーザーに係る前記運動情報および前記数値情報のうちの少なくとも一方に係る情報を、前記出力部によって前記第１ユーザーに対して出力させる、情報処理システム。
【請求項５】
請求項１から請求項４の何れか１つの請求項に記載の情報処理システムであって、
前記ユーザー認識部が、
前記１以上の数値の項目についての前記複数のユーザーの前記第１タイミングにおける数値の情報に応じて、該複数のユーザーを２以上のグループに分類するユーザー分類部、を含んでおり、
前記第２ユーザーが、
前記２以上のグループのうちの前記第１ユーザーと同一のグループに属している、情報処理システム。
【請求項６】
請求項５に記載の情報処理システムであって、
前記入力受付部が、
前記２以上のグループのうちの前記第１ユーザーと同一のグループに属しており且つ該第１ユーザーとは異なる、他のユーザーの動作に応答して、前記第１タイミングの後における健康状態を改善可能な前記他のユーザーの運動に係る運動情報、および該運動に応じて変化した前記１以上の数値の項目についての前記他のユーザーの数値に係る数値情報、のうちの少なくとも一方の情報の入力を受け付け、
前記記憶制御部が、
前記入力受付部によって入力が受け付けられた、前記他のユーザーに係る運動情報および数値情報のうちの少なくとも一方の情報を、前記記憶部に記憶させ、
前記出力制御部が、
前記第１ユーザーの動作に応答して、前記記憶部に記憶された前記他のユーザーに係る運動情報および数値情報のうちの少なくとも一方の情報を、前記出力部によって前記第１ユーザーに対して出力させる、情報処理システム。
【請求項７】
請求項１から請求項６の何れか１つの請求項に記載の情報処理システムであって、
前記入力受付部が、
前記第１ユーザーに係る運動情報および数値情報のうちの少なくとも一方に係る情報の前記出力部による前記第２ユーザーに対する出力に対して、該第２ユーザーの動作に応答して入力される前記第１ユーザーの運動情報および数値情報のうちの少なくとも一方に係る情報に対する評価に係る信号の入力を受け付け、
前記記憶制御部が、
前記入力受付部による前記第１ユーザーに対する前記評価に係る信号の入力の受け付けに応じて、該評価に係る評価情報を記憶部に記憶させる、情報処理システム。
【請求項８】
請求項１から請求項７の何れか１つの請求項に記載の情報処理システムであって、
前記記憶制御部が、
前記ユーザー毎に、前記１以上の数値の項目のうちの１以上の特定の項目について、該ユーザーの動作に応答して設定される目標値に係る情報を、前記記憶部に記憶させるとともに、該ユーザーの動作に応答して前記入力受付部によって入力が受け付けられる実際の数値に係る情報を前記記憶部に記憶させ、
前記出力制御部が、
前記第１ユーザーの動作に応答して、前記記憶部に記憶された前記第２ユーザーに係る前記目標値に係る情報と前記実際の数値に係る情報との組、ならびに前記記憶部に記憶された前記第２ユーザーについての前記目標値に係る情報と前記実際の数値に係る情報との関係を示す情報のうちの少なくとも一方を、前記出力部によって前記第１ユーザーに対して出力させる、情報処理システム。
【請求項９】
請求項１から請求項８の何れか１つの請求項に記載の情報処理システムであって、
前記ユーザー毎に、該ユーザーの動作に応答して入力される情報に基づいて、該ユーザーの健康状態を改善可能な運動のプログラムを示す運動プログラム情報を作成する作成部、を更に備え、
前記記憶制御部が、
前記ユーザー毎に前記作成部によって作成される前記運動プログラム情報を前記記憶部に記憶させ、
前記出力制御部が、
前記第１ユーザーの動作に応答して、前記記憶部に記憶された該第１ユーザーに係る前記運動プログラム情報を、前記出力部によって前記第１ユーザーに対して出力させる、情報処理システム。
【請求項１０】
請求項９に記載の情報処理システムであって、
前記出力制御部が、
前記第１ユーザーの動作に応答して、前記記憶部に記憶された前記第２ユーザーに係る前記運動プログラム情報を、前記出力部によって前記第１ユーザーに対して出力させる、情報処理システム。
【請求項１１】
請求項９または請求項１０に記載の情報処理システムであって、
前記ユーザー毎に、該ユーザーの動作に応答して前記入力受付部によって入力される該ユーザーによる運動の実施状況に係る情報と前記記憶部に記憶された該ユーザーに係る前記運動プログラム情報とに基づいて、該ユーザーに係る前記運動プログラム情報に沿って該ユーザーによって運動が実行された実施度合いを求める演算部、を更に備え、
前記記憶制御部が、
前記ユーザー毎に前記演算部によって求められた前記実施度合いの情報を前記記憶部に記憶させ、
前記出力制御部が、
前記第１ユーザーの動作に応答して、前記記憶部に記憶された前記第２ユーザーに係る前記実施度合いの情報を、前記出力部によって前記第１ユーザーに対して出力させる、情報処理システム。
【請求項１２】
請求項９から請求項１１の何れか１つの請求項に記載の情報処理システムであって、
前記出力制御部が、
前記記憶部に記憶された前記第１ユーザーに係る前記運動プログラム情報に基づいて、運動を実施するタイミングを知らせる情報を、前記出力部によって前記第１ユーザーに対して出力させる、情報処理システム。
【請求項１３】
請求項９から請求項１２の何れか１つの請求項に記載の情報処理システムであって、
前記出力制御部が、
前記第２ユーザーの動作に応答して認識される前記第２ユーザーが運動を開始したタイミング、および前記第２ユーザーの動作に応答して認識される前記第２ユーザーが運動を実施したタイミングのうちの少なくとも一方のタイミングにおいて、前記第２ユーザーについての運動に係る情報を、前記出力部によって前記第１ユーザーに対して出力させる、情報処理システム。
【請求項１４】
請求項９から請求項１３の何れか１つの請求項に記載の情報処理システムであって、
前記ユーザー毎に前記記憶部に記憶された前記運動プログラム情報に基づいて、前記第１ユーザーと、前記１以上の数値の項目のうちの１以上の特定の項目に係る数値について該第１ユーザーに対して特定の関係を満たす１以上のユーザーとの間で、運動を実施するタイミングが共通する共通時間帯を認識する時間帯認識部、を更に備え、
前記出力制御部が、
前記共通時間帯を知らせる情報を前記出力部によって前記第１ユーザーおよび前記１以上のユーザーに対して出力させる、情報処理システム。
【請求項１５】
請求項１４に記載の情報処理システムであって、
前記第１ユーザーの動作に応答して入力される、前記記憶部に記憶された前記第１ユーザーに係る前記運動プログラム情報に従った前記共通時間帯における前記第１ユーザーによる運動の実施に係る情報に応じて、該第１ユーザーに対して特定のバッジを付与するバッジ付与部、を更に備える、情報処理システム。
【請求項１６】
請求項７に記載の情報処理システムであって、
前記ユーザー毎に、該ユーザーの動作に応答して入力される情報に基づいて、該ユーザーの健康状態を改善可能な運動のプログラムを示す運動プログラム情報を作成する作成部と、
前記第１ユーザーに係る前記運動プログラム情報の対象期間が終了した後に、前記記憶部に記憶された、前記第１ユーザーに係る前記評価情報に応じて、該第１ユーザーに対して特定のバッジを付与するバッジ付与部と、を更に備え、
前記記憶制御部が、
前記ユーザー毎に前記作成部によって作成される前記運動プログラム情報を前記記憶部に記憶させる情報処理システム。
【請求項１７】
請求項８に記載の情報処理システムであって、
前記ユーザー毎に、該ユーザーの動作に応答して入力される情報に基づいて、該ユーザーの健康状態を改善可能な運動のプログラムを示す運動プログラム情報を作成する作成部と、
前記第１ユーザーに係る前記運動プログラム情報の対象期間が終了した後に、前記記憶部に記憶された、前記第１ユーザーに係る前記目標値に係る情報と前記実際の数値に係る情報とに基づいて、該第１ユーザーに特定のバッジを付与するバッジ付与部、を更に備え、
前記記憶制御部が、
前記ユーザー毎に前記作成部によって作成される前記運動プログラム情報を前記記憶部に記憶させる情報処理システム。
【請求項１８】
請求項１１に記載の情報処理システムであって、
前記第１ユーザーに係る前記運動プログラム情報の対象期間が終了した後に、前記記憶部に記憶された前記第１ユーザーに係る前記実施度合いの情報に応じて、該第１ユーザーに特定のバッジを付与するバッジ付与部、を更に備える情報処理システム。
【請求項１９】
請求項９から請求項１８の何れか１つの請求項に記載の情報処理システムであって、
前記第１ユーザーに係る前記運動プログラム情報の対象期間が終了した後に、該対象期間において前記運動プログラム情報に従って前記第１ユーザーが運動を実施した運動時間の合計値に応じて、該第１ユーザーに特定のバッジを付与するバッジ付与部、を更に備え、
前記入力受付部が、
前記第１ユーザーの動作に応答して、前記運動時間に係る情報の入力を受け付ける、情報処理システム。
【請求項２０】
請求項１６から請求項１９の何れか１つの請求項に記載の情報処理システムであって、
前記バッジ付与部が、
前記複数のユーザーのうちの前記第１ユーザー以外の残余のユーザーのそれぞれにも前記特定のバッジを付与し、
前記記憶部に記憶された前記運動プログラム情報の対象期間が終了した後に、前記バッジ付与部によって各前記ユーザーに付与された前記特定のバッジの数に応じたユーザーのランキングの情報を生成するランキング情報生成部、を更に備え、
前記出力制御部が、
前記ランキング情報生成部によって作成されたユーザーのランキングの情報を、前記出力部によって各前記ユーザーに対して出力させる、情報処理システム。
【請求項２１】
請求項１６から請求項１９の何れか１つの請求項に記載の情報処理システムであって、
前記バッジ付与部が、
前記複数のユーザーのうちの前記第１ユーザー以外の残余のユーザーのそれぞれにも前記特定のバッジを付与し、
前記記憶部に記憶された前記運動プログラム情報の対象期間が終了した後に、前記バッジ付与部によって各前記ユーザーに付与された前記特定のバッジの数に基づいて、２以上のユーザーがそれぞれ属する複数のグループについて、付与された前記特定のバッジの数に応じたグループのランキングの情報を生成するランキング情報生成部、を更に備え、
前記出力制御部が、
前記ランキング情報生成部によって作成されたグループのランキングの情報を、前記出力部によって各前記ユーザーに対して出力させる、情報処理システム。
【請求項２２】
請求項５に記載の情報処理システムであって、
前記ユーザー毎に、該ユーザーの動作に応答して入力される情報に基づいて、該ユーザーの健康状態を改善可能な運動のプログラムを示す運動プログラム情報を作成する作成部、を更に備え、
前記入力受付部が、
前記第１ユーザーの動作に応答して、前記記憶部に記憶された前記第１ユーザーに係る前記運動プログラム情報の対象期間における前記第１ユーザーの運動に応じて変化した前記１以上の数値の項目についての前記第１ユーザーの数値に係る数値情報の入力を受け付け、
前記ユーザー分類部は、
前記第１ユーザーに係る前記運動プログラム情報の対象期間が終了した後に、前記第１ユーザーの動作に応答して、前記入力受付部によって入力が受け付けられた前記１以上の数値の項目についての前記第１ユーザーの数値に係る前記数値情報に応じて、前記第１ユーザーが属するグループを再設定する、情報処理システム。
【請求項２３】
請求項１から請求項２２の何れか１つの請求項に記載の情報処理システムであって、
特定のユーザーの動作に応答した、識別情報およびコマンドの入力に応答して、前記記憶部から前記複数のユーザーのうちの少なくとも１人のユーザーに係る情報を取得する情報取得部、を更に備え、
前記出力制御部が、
前記情報取得部によって取得された前記少なくとも１人のユーザーに係る情報を前記出力部によって前記特定のユーザーに対して出力させる、情報処理システム。
【請求項２４】
請求項２３に記載の情報処理システムであって、
前記記憶部に記憶された前記複数のユーザーに係る情報のうち、前記特定のユーザーの動作に応答して入力される検索条件に対応する情報に係る１以上のユーザーを検出するユーザー検出部、を更に備える、情報処理システム。
【請求項２５】
請求項１から請求項２４の何れか１つの請求項に記載の情報処理システムであって、
前記ユーザー認識部、前記入力受付部、前記記憶制御部、前記記憶部、前記出力制御部および前記出力部を含むサーバーと、
前記第１ユーザーが使用する第１端末機器と、
前記第２ユーザーが使用する第２端末機器と、を備え、
前記出力制御部が、
前記第１端末機器に対する前記第１ユーザーの動作に応答して該第１端末機器から前記サーバーに入力される信号に応じて、前記第２ユーザーに係る運動情報および数値情報のうちの少なくとも一方に係る情報を、前記出力部によって前記第１端末機器に対して出力させる、情報処理システム。
【請求項２６】
請求項２５に記載の情報処理システムであって、
前記サーバーが、
健康に係る制度の運営および健康の改善の少なくとも一方を行う団体に属する、情報処理システム。
【請求項２７】
健康状態を示す身体の状態に係る１以上の数値の項目についての複数のユーザーの第１タイミングにおける数値の情報に基づいて、該１以上の数値の項目についての数値が第１ユーザーと特定の関係を満たす第２ユーザーを前記複数のユーザーの中から認識するユーザー認識ステップと、
前記第２ユーザーの動作に応答して、前記第１タイミングの後における健康状態を改善可能な前記第２ユーザーの運動に係る運動情報、および該運動に応じて変化した前記１以上の数値の項目についての前記第２ユーザーの数値に係る数値情報、のうちの少なくとも一方の情報の入力を受け付ける入力受付ステップと、
前記入力受付ステップにおいて入力が受け付けられた前記第２ユーザーに係る運動情報および数値情報のうちの少なくとも一方に係る情報を、記憶部に記憶させる記憶制御ステップと、
前記入力受付ステップにおいて入力が受け付けられた前記第２ユーザーに係る運動情報および数値情報のうちの少なくとも一方に係る情報を、出力部によって前記第１ユーザーに対して出力させる出力制御ステップと、を有している、情報処理方法。
【請求項２８】
情報処理システムに含まれる制御部によって実行されることで、該情報処理システムを、請求項１から請求項２６の何れか１つの請求項に記載の情報処理システムとして機能させる、プログラム。
【発明の詳細な説明】
【技術分野】
【０００１】
本発明は、情報処理システム、情報処理方法および情報処理用のプログラムに関する。
【背景技術】
【０００２】
近年、医療の現場では、電子カルテ等で情報が管理される。そして、健康の状態および該状態の改善を図るための運動について、ユーザー毎の情報を記録し、該情報に対する評価や助言を提供する情報処理システムが提案されている（例えば、特許文献１〜３等）。
【０００３】
例えば、特許文献１の技術では、健康状態の測定値が患者から得られ、患者の疾患の進行が評価および査定され、療法が調査されて最適なレベルに調整される。また、治療が管理されて疾患の症状の突然で激しい発現に対処するための医療上の助言が患者に与られるように、患者との周期的な対話式の会話を用いた完全に自動化された方法で疾患が管理される。
【０００４】
また、例えば、特許文献２の技術では、ユーザーについて、全地球測位システム、リモートシステムに依存しない加速度計、または他のタイプのデバイス等の複数のタイプの位置決定システムを有するモバイルデバイスが用いられて、運動活動が記録および追加される。
【０００５】
また、例えば、特許文献３の技術では、スポーツ時の活動（メッツ）と、その運動時間が３Ｄセンサー搭載歩数計を用いて計測され、計測された運動時間ならびに記録が公衆回線または無線を介してインターネット上の専用サーバーへ伝送される。また、専用サーバーにデータがファイルされたメッツ、運動時間および歩行記録に基づく身体活動量や各身体的特徴が人工知能手法および統計学を用いたデータマイニング手法によって処理される。そして、各参加者の健康増進度の順位、身体的特徴に対する各運動の効果、効果の予測およびアドバイスが出力される。ここで出力されるデータは、公衆回線または無線、あるいはインターネットＰＣが用いられて参加者へ伝送される。
【先行技術文献】
【特許文献】
【０００６】
【特許文献１】特開２００８−２１０３９９号公報
【特許文献２】特表２０１３−５４３１５６号公報
【特許文献３】特開２０１０−２６４０８８号公報
【発明の概要】
【発明が解決しようとする課題】
【０００７】
しかしながら、従来の情報処理システムについては、健康状態を改善するための運動に対するユーザーのやる気（モチベーション）の向上を図る観点で、改善の余地がある。
【０００８】
本発明は、上記課題に鑑みてなされたものであり、健康状態を改善可能な運動に対するユーザーのやる気を向上させることが可能な技術を提供することを目的とする。
【課題を解決するための手段】
【０００９】
上記課題を解決するために、第１の態様に係る情報処理システムは、健康状態を示す身体の状態に係る１以上の数値の項目についての複数のユーザーの第１タイミングにおける数値の情報に基づいて、該１以上の数値の項目についての数値が第１ユーザーと特定の関係を満たす第２ユーザーを前記複数のユーザーの中から認識するユーザー認識部と、前記第２ユーザーの動作に応答して、前記第１タイミングの後における健康状態を改善可能な前記第２ユーザーの運動に係る運動情報、および該運動に応じて変化した前記１以上の数値の項目についての前記第２ユーザーの数値に係る数値情報、のうちの少なくとも一方の情報の入力を受け付ける入力受付部と、前記入力受付部によって入力が受け付けられた前記第２ユーザーに係る前記運動情報および前記数値情報のうちの少なくとも一方に係る情報を、記憶部に記憶させる記憶制御部と、前記入力受付部によって入力が受け付けられた前記第２ユーザーに係る前記運動情報および前記数値情報のうちの少なくとも一方に係る情報を、出力部によって前記第１ユーザーに対して出力させる出力制御部と、を備えている。
【００１０】
第２の態様に係る情報処理システムは、第１の態様に係る情報処理システムであって、前記入力受付部が、前記第２ユーザーの動作に応答して、前記第１タイミングの後の第２タイミングにおける、前記第２ユーザーの運動に応じて変化した前記１以上の数値の項目についての前記第２ユーザーの数値に係る数値情報の入力を受け付け、前記出力制御部が、前記１以上の数値の項目についての、前記第２ユーザーの前記第１タイミングおよび前記第２タイミングのそれぞれにおける数値、ならびに前記第２ユーザーの前記第１タイミングと前記第２タイミングとの間における数値の変化、のうちの少なくとも一方に係る情報を、前記出力部によって前記第１ユーザーに対して出力させる。
【００１１】
第３の態様に係る情報処理システムは、第１または第２の態様に係る情報処理システムであって、前記１以上の数値の項目が、バイタルデータに係る数値の項目および生化学検査に係る数値の項目のうちの少なくとも１項目を含んでいる。
【００１２】
第４の態様に係る情報処理システムは、第１から第３の何れか１つの態様に係る情報処理システムであって、前記出力制御部が、前記入力受付部によって前記第２ユーザーに係る前記運動情報および前記数値情報のうちの少なくとも一方の情報の入力が受け付けられたことに応答して、前記第２ユーザーに係る前記運動情報および前記数値情報のうちの少なくとも一方に係る情報を、前記出力部によって前記第１ユーザーに対して出力させる。
【００１３】
第５の態様に係る情報処理システムは、第１から第４の何れか１つの態様に係る情報処理システムであって、前記ユーザー認識部が、前記１以上の数値の項目についての前記複数のユーザーの前記第１タイミングにおける数値の情報に応じて、該複数のユーザーを２以上のグループに分類するユーザー分類部、を含んでおり、前記第２ユーザーが、前記２以上のグループのうちの前記第１ユーザーと同一のグループに属している。
【００１４】
第６の態様に係る情報処理システムは、第５の態様に係る情報処理システムであって、前記入力受付部が、前記２以上のグループのうちの前記第１ユーザーと同一のグループに属しており且つ該第１ユーザーとは異なる、他のユーザーの動作に応答して、前記第１タイミングの後における健康状態を改善可能な前記他のユーザーの運動に係る運動情報、および該運動に応じて変化した前記１以上の数値の項目についての前記他のユーザーの数値に係る数値情報、のうちの少なくとも一方の情報の入力を受け付け、前記記憶制御部が、前記入力受付部によって入力が受け付けられた、前記他のユーザーに係る運動情報および数値情報のうちの少なくとも一方の情報を、前記記憶部に記憶させ、前記出力制御部が、前記第１ユーザーの動作に応答して、前記記憶部に記憶された前記他のユーザーに係る運動情報および数値情報のうちの少なくとも一方の情報を、前記出力部によって前記第１ユーザーに対して出力させる。
【００１５】
第７の態様に係る情報処理システムは、第１から第６の何れか１つの態様に係る情報処理システムであって、前記入力受付部が、前記第１ユーザーに係る運動情報および数値情報のうちの少なくとも一方に係る情報の前記出力部による前記第２ユーザーに対する出力に対して、該第２ユーザーの動作に応答して入力される前記第１ユーザーの運動情報および数値情報のうちの少なくとも一方に係る情報に対する評価に係る信号の入力を受け付け、前記記憶制御部が、前記入力受付部による前記第１ユーザーに対する前記評価に係る信号の入力の受け付けに応じて、該評価に係る評価情報を記憶部に記憶させる。
【００１６】
第８の態様に係る情報処理システムは、第１から第７の何れか１つの態様に係る情報処理システムであって、前記記憶制御部が、前記ユーザー毎に、前記１以上の数値の項目のうちの１以上の特定の項目について、該ユーザーの動作に応答して設定される目標値に係る情報を、前記記憶部に記憶させるとともに、該ユーザーの動作に応答して前記入力受付部によって入力が受け付けられる実際の数値に係る情報を前記記憶部に記憶させ、前記出力制御部が、前記第１ユーザーの動作に応答して、前記記憶部に記憶された前記第２ユーザーに係る前記目標値に係る情報と前記実際の数値に係る情報との組、ならびに前記記憶部に記憶された前記第２ユーザーについての前記目標値に係る情報と前記実際の数値に係る情報との関係を示す情報のうちの少なくとも一方を、前記出力部によって前記第１ユーザーに対して出力させる。
【００１７】
第９の態様に係る情報処理システムは、第１から第８の何れか１つの態様に係る情報処理システムであって、前記ユーザー毎に、該ユーザーの動作に応答して入力される情報に基づいて、該ユーザーの健康状態を改善可能な運動のプログラムを示す運動プログラム情報を作成する作成部、を更に備え、前記記憶制御部が、前記ユーザー毎に前記作成部によって作成される前記運動プログラム情報を前記記憶部に記憶させ、前記出力制御部が、前記第１ユーザーの動作に応答して、前記記憶部に記憶された該第１ユーザーに係る前記運動プログラム情報を、前記出力部によって前記第１ユーザーに対して出力させる。
【００１８】
第１０の態様に係る情報処理システムは、第９の態様に係る情報処理システムであって、前記出力制御部が、前記第１ユーザーの動作に応答して、前記記憶部に記憶された前記第２ユーザーに係る前記運動プログラム情報を、前記出力部によって前記第１ユーザーに対して出力させる。
【００１９】
第１１の態様に係る情報処理システムは、第９または第１０の態様に係る情報処理システムであって、前記ユーザー毎に、該ユーザーの動作に応答して前記入力受付部によって入力される該ユーザーによる運動の実施状況に係る情報と前記記憶部に記憶された該ユーザーに係る前記運動プログラム情報とに基づいて、該ユーザーに係る前記運動プログラム情報に沿って該ユーザーによって運動が実行された実施度合いを求める演算部、を更に備え、前記記憶制御部が、前記ユーザー毎に前記演算部によって求められた前記実施度合いの情報を前記記憶部に記憶させ、前記出力制御部が、前記第１ユーザーの動作に応答して、前記記憶部に記憶された前記第２ユーザーに係る前記実施度合いの情報を、前記出力部によって前記第１ユーザーに対して出力させる。
【００２０】
第１２の態様に係る情報処理システムは、第９から第１１の何れか１つの態様に係る情報処理システムであって、前記出力制御部が、前記記憶部に記憶された前記第１ユーザーに係る前記運動プログラム情報に基づいて、運動を実施するタイミングを知らせる情報を、前記出力部によって前記第１ユーザーに対して出力させる。
【００２１】
第１３の態様に係る情報処理システムは、第９から第１２の何れか１つの態様に係る情報処理システムであって、前記出力制御部が、前記第２ユーザーの動作に応答して認識される前記第２ユーザーが運動を開始したタイミング、および前記第２ユーザーの動作に応答して認識される前記第２ユーザーが運動を実施したタイミングのうちの少なくとも一方のタイミングにおいて、前記第２ユーザーについての運動に係る情報を、前記出力部によって前記第１ユーザーに対して出力させる。
【００２２】
第１４の態様に係る情報処理システムは、第９から第１３の何れか１つの態様に係る情報処理システムであって、前記ユーザー毎に前記記憶部に記憶された前記運動プログラム情報に基づいて、前記第１ユーザーと、前記１以上の数値の項目のうちの１以上の特定の項目に係る数値について該第１ユーザーに対して特定の関係を満たす１以上のユーザーとの間で、運動を実施するタイミングが共通する共通時間帯を認識する時間帯認識部、を更に備え、前記出力制御部が、前記共通時間帯を知らせる情報を前記出力部によって前記第１ユーザーおよび前記１以上のユーザーに対して出力させる。
【００２３】
第１５の態様に係る情報処理システムは、第１４の態様に係る情報処理システムであって、前記第１ユーザーの動作に応答して入力される、前記記憶部に記憶された前記第１ユーザーに係る前記運動プログラム情報に従った前記共通時間帯における前記第１ユーザーによる運動の実施に係る情報に応じて、該第１ユーザーに対して特定のバッジを付与するバッジ付与部、を更に備える。
【００２４】
第１６の態様に係る情報処理システムは、第７の態様に係る情報処理システムであって、前記ユーザー毎に、該ユーザーの動作に応答して入力される情報に基づいて、該ユーザーの健康状態を改善可能な運動のプログラムを示す運動プログラム情報を作成する作成部と、前記第１ユーザーに係る前記運動プログラム情報の対象期間が終了した後に、前記記憶部に記憶された、前記第１ユーザーに係る前記評価情報に応じて、該第１ユーザーに対して特定のバッジを付与するバッジ付与部と、を更に備え、前記記憶制御部が、前記ユーザー毎に前記作成部によって作成される前記運動プログラム情報を前記記憶部に記憶させる。
【００２５】
第１７の態様に係る情報処理システムは、第８の態様に係る情報処理システムであって、前記ユーザー毎に、該ユーザーの動作に応答して入力される情報に基づいて、該ユーザーの健康状態を改善可能な運動のプログラムを示す運動プログラム情報を作成する作成部と、前記第１ユーザーに係る前記運動プログラム情報の対象期間が終了した後に、前記記憶部に記憶された、前記第１ユーザーに係る前記目標値に係る情報と前記実際の数値に係る情報とに基づいて、該第１ユーザーに特定のバッジを付与するバッジ付与部、を更に備え、前記記憶制御部が、前記ユーザー毎に前記作成部によって作成される前記運動プログラム情報を前記記憶部に記憶させる。
【００２６】
第１８の態様に係る情報処理システムは、第１１の態様に係る情報処理システムであって、前記第１ユーザーに係る前記運動プログラム情報の対象期間が終了した後に、前記記憶部に記憶された前記第１ユーザーに係る前記実施度合いの情報に応じて、該第１ユーザーに特定のバッジを付与するバッジ付与部、を更に備える。
【００２７】
第１９の態様に係る情報処理システムは、第９から第１８の何れか１つの態様に係る情報処理システムであって、前記第１ユーザーに係る前記運動プログラム情報の対象期間が終了した後に、該対象期間において前記運動プログラム情報に従って前記第１ユーザーが運動を実施した運動時間の合計値に応じて、該第１ユーザーに特定のバッジを付与するバッジ付与部、を更に備え、前記入力受付部が、前記第１ユーザーの動作に応答して、前記運動時間に係る情報の入力を受け付ける。
【００２８】
第２０の態様に係る情報処理システムは、第１６から第１９の何れか１つの態様に係る情報処理システムであって、前記バッジ付与部が、前記複数のユーザーのうちの前記第１ユーザー以外の残余のユーザーのそれぞれにも前記特定のバッジを付与し、前記記憶部に記憶された前記運動プログラム情報の対象期間が終了した後に、前記バッジ付与部によって各前記ユーザーに付与された前記特定のバッジの数に応じた前記複数のユーザーのランキングの情報を生成するランキング情報生成部、を更に備え、前記出力制御部が、前記ランキング情報生成部によって作成されたユーザーのランキングの情報を、前記出力部によって各前記ユーザーに対して出力させる。
【００２９】
第２１の態様に係る情報処理システムは、第１６から第１９の何れか１つの態様に係る情報処理システムであって、前記バッジ付与部が、前記複数のユーザーのうちの前記第１ユーザー以外の残余のユーザーのそれぞれにも前記特定のバッジを付与し、前記記憶部に記憶された前記運動プログラム情報の対象期間が終了した後に、前記バッジ付与部によって各前記ユーザーに付与された前記特定のバッジの数に基づいて、２以上のユーザーがそれぞれ属する複数のグループについて、付与された前記特定のバッジの数に応じたグループのランキングの情報を生成するランキング情報生成部、を更に備え、前記出力制御部が、前記ランキング情報生成部によって作成されたグループのランキングの情報を、前記出力部によって各前記ユーザーに対して出力させる。
【００３０】
第２２の態様に係る情報処理システムは、第５の態様に係る情報処理システムであって、前記ユーザー毎に、該ユーザーの動作に応答して入力される情報に基づいて、該ユーザーの健康状態を改善可能な運動のプログラムを示す運動プログラム情報を作成する作成部、を更に備え、前記入力受付部が、前記第１ユーザーの動作に応答して、前記記憶部に記憶された前記第１ユーザーに係る前記運動プログラム情報の対象期間における前記第１ユーザーの運動に応じて変化した前記１以上の数値の項目についての前記第１ユーザーの数値に係る数値情報の入力を受け付け、前記ユーザー分類部は、前記第１ユーザーに係る前記運動プログラム情報の対象期間が終了した後に、前記第１ユーザーの動作に応答して、前記入力受付部によって入力が受け付けられた前記１以上の数値の項目についての前記第１ユーザーの数値に係る前記数値情報に応じて、前記第１ユーザーが属するグループを再設定する。
【００３１】
第２３の態様に係る情報処理システムは、第１から第２２の何れか１つの態様に係る情報処理システムであって、特定のユーザーの動作に応答した、識別情報およびコマンドの入力に応答して、前記記憶部から前記複数のユーザーのうちの少なくとも１人のユーザーに係る情報を取得する情報取得部、を更に備え、前記出力制御部が、前記情報取得部によって取得された前記少なくとも１人のユーザーに係る情報を前記出力部によって前記特定のユーザーに対して出力させる。
【００３２】
第２４の態様に係る情報処理システムは、第２３の態様に係る情報処理システムであって、前記記憶部に記憶された前記複数のユーザーに係る情報のうち、前記特定のユーザーの動作に応答して入力される検索条件に対応する情報に係る１以上のユーザーを検出するユーザー検出部、を更に備える。
【００３３】
第２５の態様に係る情報処理システムは、第１から第２４の何れか１つの態様に係る情報処理システムであって、前記ユーザー認識部、前記入力受付部、前記記憶制御部、前記記憶部、前記出力制御部および前記出力部を含むサーバーと、前記第１ユーザーが使用する第１端末機器と、前記第２ユーザーが使用する第２端末機器と、を備え、前記出力制御部が、前記第１端末機器に対する前記第１ユーザーの動作に応答して該第１端末機器から前記サーバーに入力される信号に応じて、前記第２ユーザーに係る運動情報および数値情報のうちの少なくとも一方に係る情報を、前記出力部によって前記第１端末機器に対して出力させる。
【００３４】
第２６の態様に係る情報処理システムは、第２５の態様に係る情報処理システムであって、前記サーバーが、健康に係る制度の運営および健康の改善の少なくとも一方を行う団体に属する。
【００３５】
第２７の態様に係る情報処理方法は、健康状態を示す身体の状態に係る１以上の数値の項目についての複数のユーザーの第１タイミングにおける数値の情報に基づいて、該１以上の数値の項目についての数値が第１ユーザーと特定の関係を満たす第２ユーザーを前記複数のユーザーの中から認識するユーザー認識ステップと、前記第２ユーザーの動作に応答して、前記第１タイミングの後における健康状態を改善可能な前記第２ユーザーの運動に係る運動情報、および該運動に応じて変化した前記１以上の数値の項目についての前記第２ユーザーの数値に係る数値情報、のうちの少なくとも一方の情報の入力を受け付ける入力受付ステップと、前記入力受付ステップにおいて入力が受け付けられた前記第２ユーザーに係る運動情報および数値情報のうちの少なくとも一方に係る情報を、記憶部に記憶させる記憶制御ステップと、前記入力受付ステップにおいて入力が受け付けられた前記第２ユーザーに係る運動情報および数値情報のうちの少なくとも一方に係る情報を、出力部によって前記第１ユーザーに対して出力させる出力制御ステップと、を有している。
【００３６】
第２８の態様に係るプログラムは、情報処理システムに含まれる制御部によって実行されることで、該情報処理システムを、第１から第２６の何れか１つの態様に係る情報処理システムとして機能させるプログラムである。
【発明の効果】
【００３７】
第１から第２６の何れの態様に係る情報処理システムによっても、例えば、特定の関係を満たすユーザーの間で、健康状態を改善可能な運動、および該運動に応じて変化した健康状態を示す身体の状態に係る数値のうちの少なくとも一方が閲覧され得る。これにより、健康状態を改善するための運動に対するユーザーのやる気が向上し得る。
【００３８】
第２の態様に係る情報処理システムによれば、例えば、特定の関係を満たすユーザーの間で、ユーザーの健康状態に係る身体の状態の変化を示す数値の変化が閲覧され得るため、運動の実施に対するユーザーのやる気が向上し得る。
【００３９】
第３の態様に係る情報処理システムによれば、例えば、ユーザーの身体の状態に係る測定結果に応じて、特定の関係を満たすユーザーが認識され得る。
【００４０】
第４の態様に係る情報処理システムによれば、例えば、他のユーザーの動向に刺激を受けることで、運動の実施に対するユーザーのやる気の更なる向上が図られ得る。
【００４１】
第５の態様に係る情報処理システムによれば、例えば、同一グループに属するユーザーの間における情報の閲覧が可能となり、運動の実施に対するユーザーのやる気が向上し得る。
【００４２】
第６の態様に係る情報処理システムによれば、例えば、同一グループ内のユーザーの間で、運動および該運動に応じて変化した数値の少なくとも一方が随時閲覧され得る。
【００４３】
第７の態様に係る情報処理システムによれば、例えば、同一グループ内のユーザー間での評価が可能であり、運動の実施に対するユーザーのやる気が更に向上し得る。
【００４４】
第８の態様に係る情報処理システムによれば、例えば、特定の関係を満たすユーザーの間で、健康状態を改善するための運動を通じた目標の達成状況の閲覧が可能となり、運動の実施に対するユーザーのやる気が更に向上され得る。
【００４５】
第９の態様に係る情報処理システムによれば、例えば、運動プログラムによって、状況に即した適切な運動の実施が促進されることで、健康状態の改善が図られ得る。
【００４６】
第１０の態様に係る情報処理システムによれば、例えば、他のユーザーの運動プログラムの閲覧を通じて、運動の実施に対するユーザーのやる気の更なる向上が図られ得る。
【００４７】
第１１の態様に係る情報処理システムによれば、例えば、他のユーザーの運動プログラムの実施状況の閲覧を通じて、運動の実施に対するユーザーのやる気の更なる向上が図られ得る。
【００４８】
第１２の態様に係る情報処理システムによれば、例えば、運動を実施し忘れることが低減され、健康状態の改善が促進され得る。
【００４９】
第１３の態様に係る情報処理システムによれば、例えば、他のユーザーの動向に刺激され、運動の実施に対するユーザーのやる気が更に向上され得る。
【００５０】
第１４の態様に係る情報処理システムによれば、例えば、健康状態が近いユーザー同士が、運動を実施する共通のタイミングを知ることで、運動の実施に対するユーザーのやる気が更に向上され得る。
【００５１】
第１５の態様に係る情報処理システムによれば、例えば、健康状態が近いユーザー同士における運動を実施する共通のタイミングについて、バッジの付与を通じて、運動の実施に対するユーザーのやる気が高められ得る。
【００５２】
第１６から第１９の何れの態様に係る情報処理システムによっても、例えば、運動プログラムへの取り組みに応じたバッジが得られるため、運動の実施に対するユーザーのやる気が高められ得る。
【００５３】
第２０の態様に係る情報処理システムによれば、例えば、ユーザーは、ユーザーランキングの閲覧を通じて、運動プログラムへの取り組みについての自身の位置付けが分かるため、運動の実施に対するユーザーのやる気が高められ得る。
【００５４】
第２１の態様に係る情報処理システムによれば、例えば、ユーザーは、グループランキングの閲覧を通じて、運動プログラムへの取り組みについてのグループの位置付けが分かるため、運動の実施に対するユーザーのやる気が高められ得る。
【００５５】
第２２の態様に係る情報処理システムによれば、例えば、運動プログラムの終了時の結果に応じて、ユーザーが属するグループが変更されることで、運動の実施に対するユーザーのやる気が高められ得る。
【００５６】
第２３の態様に係る情報処理システムによれば、例えば、システムの管理者等の特定のユーザーが、任意のユーザーの情報を適宜閲覧することが可能となり、健康状態の改善策を検討することが容易となる。
【００５７】
第２４の態様に係る情報処理システムによれば、例えば、システムの管理者等の特定のユーザーが、検索によって検出された１以上のユーザーとの間で、適切な情報の交換等を行うことが可能となる。
【００５８】
第２５の態様に係る情報処理システムによれば、例えば、ユーザーは、サーバーで管理されている健康状態を示す身体の状態が類似した他のユーザーの情報を、端末機器を介して閲覧することができる。
【００５９】
第２６の態様に係る情報処理システムによれば、例えば、ユーザーの健康状態の改善が図られることで、団体で生じる費用が削減され得る。
【００６０】
第２７の態様に係る情報処理方法および第２８の態様に係るプログラムの何れによっても、第１から第２６の態様に係る情報処理システムと同様な効果が得られる。
【図面の簡単な説明】
【００６１】
【図１】一実施形態に係る情報処理システムの概略的な構成を例示する図である。
【図２】サーバーの構成を例示するブロック図である。
【図３】ユーザー用端末機器の構成を例示するブロック図である。
【図４】管理用端末機器の構成を例示するブロック図である。
【図５】サーバーで実現される機能的な構成を例示するブロック図である。
【図６】ユーザー識別用情報が記されたテーブルの一例を示す図である。
【図７】異なるタイミングにおける測定結果が記されたテーブルを例示する図である。
【図８】複数のユーザーに係る測定結果が記されたテーブルを例示する図である。
【図９】ユーザー用端末機器で実現される機能的な構成を例示するブロック図である。
【図１０】管理用端末機器で実現される機能的な構成を例示するブロック図である。
【図１１】ユーザー抽出用基準情報が記されたテーブルを例示する図である。
【図１２】複数のユーザーを２以上のグループに分けた結果を例示する図である。
【図１３】複数のユーザーを２以上のグループに分けた結果を例示する図である。
【図１４】ログイン画面の一例を示す図である。
【図１５】ＴＯＰ画面の一例を示す図である。
【図１６】ユーザー情報登録画面の一例を示す図である。
【図１７】ユーザー情報登録画面の他の一例を示す図である。
【図１８】運動プログラム提示画面の一例を示す図である。
【図１９】目標登録画面の一例を示す図である。
【図２０】項目追加画面の一例を示す図である。
【図２１】目標登録画面の他の一例を示す図である。
【図２２】カレンダー画面の一例を示す図である。
【図２３】運動プログラムに係る一日表示画面を例示する図である。
【図２４】運動説明画面の一例を示す図である。
【図２５】運動説明画面の一例を示す図である。
【図２６】運動追加画面の一例を示す図である。
【図２７】運動プログラムに係る一日表示画面の他の一例を示す図である。
【図２８】数値登録画面の一例を示す図である。
【図２９】目標達成率を算出するための情報が記されたテーブルを例示する図である。
【図３０】目標達成率を算出するための情報が記されたテーブルを例示する図である。
【図３１】目標達成率を算出するための情報が記されたテーブルを例示する図である。
【図３２】目標達成率を算出するための情報が記されたテーブルを例示する図である。
【図３３】数値参照画面の一例を示す図である。
【図３４】数値比較画面の一例を示す図である。
【図３５】情報の閲覧に係る動作フローを例示するフローチャートである。
【図３６】情報の閲覧に係る動作フローを例示するフローチャートである。
【図３７】カレンダー画面の他の一例を示す図である。
【図３８】数値確認画面の一例を示す図である。
【図３９】アラート画面の一例を示す図である。
【図４０】アラートに係る動作フローの一例を示すフローチャートである。
【図４１】運動開始報知画面の一例を示す図である。
【図４２】運動確認画面の一例を示す図である。
【図４３】アラートに係る動作フローの他の一例を示すフローチャートである。
【図４４】状況確認画面の一例を示す図である。
【図４５】状況確認画面の一例を示す図である。
【図４６】状況確認画面の一例を示す図である。
【図４７】状況確認画面の一例を示す図である。
【図４８】ユーザー選択画面の一例を示す図である。
【図４９】共通時間帯報知画面の一例を示す図である。
【図５０】他ユーザー開始報知画面の他の一例を示す図である。
【図５１】他ユーザーに係る状況確認画面の一例を示す図ある。
【図５２】結果提示画面の他の一例を示す図である。
【図５３】結果提示画面の他の一例を示す図である。
【図５４】結果提示画面のその他の一例を示す図である。
【図５５】結果提示画面のその他の一例を示す図である。
【図５６】要注意ユーザーの抽出用の情報が記載されたテーブルを例示する図である。
【図５７】お知らせ画面の一例を示す図である。
【図５８】メッセージ画面の一例を示す図である。
【図５９】返信用画面の一例を示す図である。
【図６０】貢献表示画面の一例を示す図である。
【図６１】ランキング画面の一例を示す図である。
【発明を実施するための形態】
【００６２】
以下、本発明の一実施形態および各種変形例を図面に基づいて説明する。なお、図面においては同様な構成および機能を有する部分については同じ符号が付されており、下記説明では重複説明が省略される。
【００６３】
＜(１)一実施形態＞
＜(１−１)情報処理システムの全体構成＞
図１は、一実施形態に係る情報処理システム１の概略構成を例示する図である。
【００６４】
情報処理システム１は、例えば、日常生活に運動等を取り入れて生活習慣を改善することで健康状態の回復が見込まれる、生活習慣病等の疾患を持つユーザーおよびその予備軍に属するユーザーに向けて、健康状態の改善を支援する情報を提供する。つまり、情報処理システム１は、例えば、健康状態の改善が求められる一般のユーザー（以下、単にユーザーと略称する）についての健康状態に係る身体の状態の改善を支援するシステム（健康支援システムとも言う）として機能する。
【００６５】
このシステムでは、例えば、改善すべき健康状態が類似しているユーザー間で、運動の実施状況および健康状態に係る情報についての閲覧および評価等が行われ、運動の継続的な実施に対するユーザーのやる気が維持され得る。すなわち、健康状態を改善するための運動に対するユーザーのやる気の向上が図られ得る。その結果、例えば、ユーザーの健康状態が改善され、更には医療費および介護費用等といった健康状態に応じて将来的に発生し得る費用が削減され得る。そして、これらの費用の削減によって、例えば、医療費および介護費用等の一部を社会保障費として支出している、国および地方自治体ならびに企業が運営する健康保険組合等における収支の改善が期待される。特に、例えば、全体の半分以上の健康保険組合が赤字経営を余儀なくされている、大企業のサラリーマン等が加入している健康保険組合における収支の改善が期待される。つまり、例えば、ユーザーの健康状態の改善が図られることで、各種団体で生じる費用が削減され得る。
【００６６】
情報処理システム１は、例えば、サーバー２、ユーザー用端末機器３〜７および管理用端末機器８を備えている。
【００６７】
本実施形態では、例えば、サーバー２および管理用端末機器８が、情報処理システム１の運営主体に属している。情報処理システム１の運営主体としては、例えば、国や地方等の自治体、その関係団体および企業の健康保険組合等と言った、ユーザーの健康に係る制度の運営を担う団体等が想定される。また、情報処理システム１の運営主体は、例えば、病院や介護施設等と言った医療費や介護費用が発生する現場を有する団体等であっても良い。つまり、情報処理システム１の運営主体としては、例えば、ユーザーの健康に係る制度の運営を担う団体および健康の改善の少なくとも一方を担う団体等が想定され得る。これにより、例えば、ユーザーの健康状態が改善されれば、団体で生じる費用が削減され得る。
【００６８】
情報処理システム１の管理者は、例えば、情報処理システム１を管理する特定のユーザー（特定ユーザーとも言う）であれば良い。また、管理者としては、例えば、医師、看護師、保健師、医療ソーシャルワーカーまたはそれらに準ずる医療従事者、あるいは介護士、ケアマネージャー、ソーシャルワーカーまたはそれらに準ずる介護従事者等が含まれ得る。なお、運営主体は、例えば、公的な機関、非営利団体および営利団体の何れであっても良い。非営利団体には、例えば、ＮＰＯ法人、同好会および自治会等が含まれ得る。
【００６９】
また、ユーザー用端末機器３〜７が、ユーザーに属している。ここでは、例えば、ユーザーが、ユーザー用端末機器３〜７を所有あるいは所持しているケースが想定される。なお、例えば、健康状態の改善を支援する団体が保有するユーザー用端末機器３〜７がユーザーに貸与されても良い。健康状態の改善を支援する団体には、例えば、病院、介護施設、保健施設およびスポーツジム等が含まれ得る。そして、情報処理システム１に対する各種入力は、例えば、ユーザーとしての健康状態の改善が支援される者（被支援者とも言う）が実行可能であるが、該被支援者の関係者が被支援者の代わりに各種入力を実行しても良い。すなわち、ユーザーによる各種情報の入力には、例えば、被支援者による直接的な入力および被支援者の関係者による間接的な入力の両方が含まれ得る。ここで、関係者には、例えば、被支援者の保護者、介護者、家族、親戚、友人および知人等が含まれ得る。
【００７０】
なお、本実施形態では、ユーザー用端末機器３が、第１のユーザー（第１ユーザーとも言う）が使用する端末機器（第１端末機器とも言う）とされ、ユーザー用端末機器４〜７の少なくとも１つの端末機器が、第２のユーザー（第２ユーザーとも言う）が使用する端末機器（第２端末機器とも言う）とされる。第２ユーザーには、例えば、後述するユーザー認識部２６６によって認識される、複数のユーザーのうちの１以上の数値の項目についての数値が第１ユーザーと特定の関係を満たすユーザーが含まれ得る。特定の関係としては、例えば、健康状態を示す身体の状態に係る１以上の数値の項目についての数値が近い関係が採用され得る。
【００７１】
本実施形態では、例えば、情報処理システム１の運営主体において、サーバー２と管理用端末機器８とが、通信回線Ｎｗ１を介して、データの授受が可能な態様で接続されている。また、サーバー２、ユーザー用端末機器３〜７は、例えば、通信回線Ｎｗ２を介して、データの授受が可能な態様で接続されている。ここで、各通信回線Ｎｗ１，Ｎｗ２は、有線回線および無線回線の何れであっても良い。通信回線Ｎｗ１は、例えば、ローカルエリアネットワーク（ＬＡＮ）回線および単純な通信ケーブル等で構成され得る。また、通信回線Ｎｗ２は、例えば、インターネット回線等のネットワーク回線によって構成され得る。ＬＡＮ回線およびインターネット回線は、例えば、有線および無線の何れの方式によって実現されていても良い。
【００７２】
サーバー２は、例えば、ユーザー毎に、健康状態に係る情報を記憶する記憶部２４（図２参照）を有している。記憶部２４には、例えば、健康状態を示す身体の状態に係る１以上の数値の項目について、異なる２以上のタイミングにおける数値が記憶され得る。１以上の数値の項目には、例えば、バイタルデータに係る数値の項目および生化学検査に係る数値の項目のうちの少なくとも１項目が含まれ得る。バイタルデータに係る項目には、例えば、身長、体重、ＢＭＩ（body mass index）、最高血圧、最低血圧、体脂肪率および骨密度等が含まれ得る。また、生化学検査に係る項目には、例えば、Ｈｂ１Ａｃおよび血糖値等が含まれ得る。なお、生化学検査は、例えば、体液または体の組織から検査材料を採取して化学的に分析し、健康状態および病気の程度等を調べる検査である。
【００７３】
具体的には、サーバー２では、例えば、各ユーザーの個人的な健康状態を示す身体の状態についてのデータが蓄積された個人健康記録（ＰＨＲ：Personal Health Record）が構築されて、記憶部２４に記憶され得る。なお、ＰＨＲは、例えば、各ユーザーについての電子カルテおよび定期健康診断の結果に係る情報の少なくとも一部の情報によって構築され得る。電子カルテの情報は、例えば、病院のサーバー等に蓄積され得る。これにより、ＰＨＲには、例えば、医療機関における各ユーザーを対象とした検査項目に係る測定で得られた測定値を示す情報を含む情報（測定値情報とも言う）が記憶され得る。また、ＰＨＲには、例えば、ユーザー用端末機器３〜７からユーザーによって入力される該ユーザーとしての支援者に係る１以上の測定値を示すデータが蓄積され得る。
【００７４】
ユーザー用端末機器３〜７は、例えば、情報処理システム１のユーザーが使用する装置である。ユーザー用端末機器３〜７としては、例えば、ユーザーが所有または所持している、スマートフォン等の携帯電話機、タブレット等の携帯電子機器およびパーソナルコンピューター（パソコンとも言う）のうちの１以上が採用され得る。ここでは、各ユーザー用端末機器３〜７は、例えば、通信回線Ｎｗ２を介してサーバー２に対してデータの授受が可能な態様で接続されており、各ユーザー用端末機器３〜７に対するユーザーの動作に応答して、該ユーザーの識別情報、測定値のデータおよびコマンド等を、サーバー２に対して送信する。また、各ユーザー用端末機器３〜７は、例えば、サーバー２からユーザーに係る各種情報を適宜取得することが可能である。各ユーザー用端末機器３〜７では、サーバー２から取得される各種情報が、表示画面３Ｄｐに可視的に出力され得る。
【００７５】
管理用端末機器８は、例えば、サーバー２を管理するための端末機器である。該管理用端末機器８としては、例えば、パソコン等が採用され得る。ここでは、管理用端末機器８は、例えば、通信回線Ｎｗ１を介してサーバー２に対してデータの授受が可能な態様で接続されており、該管理用端末機器８に対する特定ユーザーとしての管理者の動作に応答して、該管理者の識別情報およびコマンド等を、サーバー２に対して送信する。また、管理用端末機器８は、例えば、サーバー２から複数のユーザーのうちの少なくとも１人の任意のユーザーに係る各種情報を取得することが可能である。
【００７６】
そして、情報処理システム１では、例えば、サーバー２、ユーザー用端末機器３〜７および管理用端末機器８が、協働して動作することで、複数のユーザーの健康状態の改善を支援するための機能（健康支援機能とも言う）が実現される。
【００７７】
＜(１−２)サーバーの構成＞
図２は、サーバー２の主要な構成を例示するブロック図である。サーバー２としては、例えば、パソコン等が採用され得る。該サーバー２は、バスライン２ｂｕｓを介して接続された、入力部２１、出力部２２、計時部２３、記憶部２４、ドライブ２５および制御部２６を備えている。
【００７８】
入力部２１は、サーバー２のオペレータ等の動作に応じた信号を入力することができる。入力部２１には、例えば、オペレータの操作に応じた信号を入力可能なマウスおよびキーボード等を含む操作部、オペレータの音声に応じた信号を入力可能なマイク、オペレータの動きに応じた信号を入力可能なセンサー、および外部の機器からの信号を入力可能な通信部等が含まれ得る。
【００７９】
出力部２２は、各種情報を出力することができる。出力部２２には、例えば、各種情報をオペレータが認識可能な態様で出力可能な表示部およびスピーカー、ならびに各種情報をデータの形式で出力する通信部等が含まれ得る。表示部では、各種情報が可視的に出力され得る。該表示部は、例えば、入力部２１と一体化されたタッチパネルの形態を有していても良い。スピーカーでは、各種情報が可聴的に出力され得る。通信部では、各種情報がサーバー２の外部に配された各種機器等に対してデータの形式で出力され得る。該通信部は、例えば、通信回線Ｎｗ１を介して管理用端末機器８との間におけるデータの授受を行うことができ、通信回線Ｎｗ２を介してユーザー用端末機器３〜７との間におけるデータの授受を行うことができる。
【００８０】
計時部２３は、現在の時刻および日付を計時することができる。計時部２３は、リアルタイムクロック（ＲＴＣ）等を有している。計時部２３は、計時した時刻を示す時刻情報と、計時した日付を示す日付情報とを制御部２６に出力することができる。これにより、例えば、制御部２６では、時刻および日付を用いた各種情報処理が可能となる。
【００８１】
記憶部２４は、各種の情報を記憶することができる部分であり、例えば、ハードディスク等の記憶媒体を含む。なお、記憶部２４の構成としては、例えば、１つの記憶媒体を有する構成、２つ以上の記憶媒体を一体的に有する構成、ならびに２つ以上の記憶媒体を２つ以上の部分に分けて有する構成の何れの構成が採用されても良い。記憶部２４には、例えば、プログラム２Ｐ、ＰＨＲ等を含む健康情報データベース（健康情報ＤＢとも言う）２４２およびその他の各種データが格納される。
【００８２】
ドライブ２５は、例えば、可搬性の記憶媒体２７の脱着が可能な部分である。ドライブ２５では、例えば、記憶媒体２７が装着されている状態で、記憶媒体２７と制御部２６との間におけるデータの授受が行われ得る。また、プログラム２Ｐが格納された記憶媒体２７がドライブ２５に装着されることで、記憶媒体２７から記憶部２４内にプログラム２Ｐが読み込まれて記憶される態様が採用されても良い。
【００８３】
制御部２６は、例えば、プロセッサーとして働くＣＰＵ２６ａおよび情報を一時的に記憶するメモリー２６ｂ等を含む。制御部２６では、記憶部２４に格納されているプログラム２Ｐが読み込まれて実行されることで、サーバー２の各種機能および情報処理等が実現され得る。これにより、例えば、健康支援機能に係る各種の機能的な構成および情報処理が実現される。換言すれば、情報処理システム１に含まれる制御部２６によってプログラム２Ｐが実行されることで、該情報処理システム１が健康支援機能を有する情報処理システムとして機能し得る。
【００８４】
＜(１−３)ユーザー用端末機器の構成＞
図３は、ユーザー用端末機器３〜７の構成を例示するブロック図である。各ユーザー用端末機器３〜７は、例えば、パーソナルコンピュータ等であれば良く、バスライン３ｂｕｓを介して接続された、入力部３１、出力部３２、計時部３３、記憶部３４、ドライブ３５および制御部３６を備えている。ユーザー用端末機器３〜７は、同様な構成を有しているため、ここでは、ユーザー用端末機器３〜７のうちのユーザー用端末機器３を例にとって説明する。
【００８５】
入力部３１は、ユーザー用端末機器３を有するユーザーの動作に応じた信号を入力することができる。入力部３１には、例えば、ユーザーの操作に応じた信号を入力可能なマウスおよびキーボード等を含む操作部、ユーザーの音声に応じた信号を入力可能なマイク、ユーザーの動きに応じた信号を入力可能なセンサー、および外部の機器からの信号を入力可能な通信部等が含まれ得る。
【００８６】
出力部３２は、各種情報を出力することができる。出力部３２には、例えば、各種情報をユーザーが認識可能な態様で出力可能な表示部およびスピーカー、ならびに各種情報をデータの形式で出力可能な通信部等が含まれ得る。表示部では、表示画面３Ｄｐに各種情報が可視的に出力され得る。該表示部は、例えば、入力部３１と一体化されたタッチパネルの形態を有していても良い。スピーカーでは、各種情報が可聴的に出力され得る。通信部では、各種情報がユーザー用端末機器３の外部に配された各種機器に対してデータの形式で出力され得る。該通信部は、例えば、通信回線Ｎｗ２を介してサーバー２との間におけるデータの授受を行うことができる。
【００８７】
計時部３３は、現在の時刻および日付を計時することができる。計時部３３は、リアルタイムクロック（ＲＴＣ）等を有している。計時部３３は、計時した時刻を示す時刻情報と、計時した日付を示す日付情報とを制御部３６に出力することができる。
【００８８】
記憶部３４は、各種の情報を記憶することができる部分であり、例えば、ハードディスク等の記憶媒体を含む。なお、記憶部３４の構成としては、記憶部２４と同様に、例えば、１つの記憶媒体を有する構成、２つ以上の記憶媒体を一体的に有する構成、ならびに２つ以上の記憶媒体を２つ以上の部分に分けて有する構成の何れの構成が採用されても良い。記憶部３４には、例えば、プログラム３Ｐおよびその他の各種データが格納され得る。
【００８９】
ドライブ３５は、例えば、可搬性の記憶媒体３７の脱着が可能な部分である。ドライブ３５では、例えば、記憶媒体３７が装着されている状態で、記憶媒体３７と制御部３６との間におけるデータの授受が行われ得る。また、プログラム３Ｐが格納された記憶媒体３７がドライブ３５に装着されることで、記憶媒体３７から記憶部３４内にプログラム３Ｐが読み込まれて記憶される態様が採用されても良い。
【００９０】
制御部３６は、例えば、プロセッサーとして働くＣＰＵ３６ａおよび情報を一時的に記憶するメモリー３６ｂ等を含む。制御部３６では、記憶部３４に格納されているプログラム３Ｐが読み込まれて実行されることで、ユーザー用端末機器３の各種機能および情報処理等が実現され得る。これにより、例えば、健康支援機能に係る各種の機能的な構成および情報処理が実現され得る。ここで、制御部３６における各種情報処理によって一時的に得られる各種情報は、メモリー３６ｂ等に記憶され得る。
【００９１】
＜(１−４)管理用端末機器の構成＞
図４は、管理用端末機器８の構成を例示するブロック図である。管理用端末機器８は、例えば、ユーザー用端末機器３と同様に、パーソナルコンピュータ等であれば良く、バスライン８ｂｕｓを介して接続された、入力部８１、出力部８２、計時部８３、記憶部８４、ドライブ８５および制御部８６を備えている。
【００９２】
入力部８１は、管理用端末機器８を使用する特定のユーザーとしての管理者の動作に応じた信号を入力することができる。入力部８１には、例えば、管理者の操作に応じた信号を入力可能なマウスおよびキーボード等を含む操作部、管理者の音声に応じた信号を入力可能なマイク、管理者の動きに応じた信号を入力可能なセンサー、および外部の機器からの信号を入力可能な通信部等が含まれ得る。
【００９３】
出力部８２は、各種情報を出力することができる。出力部８２には、例えば、各種情報を使用者が認識可能な態様で出力可能な表示部およびスピーカー、ならびに各種情報をデータの形式で出力可能な通信部等が含まれ得る。表示部では、表示画面８Ｄｐに各種情報が可視的に出力され得る。該表示部は、例えば、入力部８１と一体化されたタッチパネルの形態を有していても良い。スピーカーでは、各種情報が可聴的に出力され得る。通信部では、各種情報が管理用端末機器８の外部に配された各種機器に対してデータの形式で出力され得る。該通信部は、例えば、通信回線Ｎｗ１を介してサーバー２との間におけるデータの授受を行うことができる。
【００９４】
計時部８３は、現在の時刻および日付を計時することができる。計時部８３は、リアルタイムクロック（ＲＴＣ）等を有している。計時部８３は、計時した時刻を示す時刻情報と、計時した日付を示す日付情報とを制御部８６に出力することができる。
【００９５】
記憶部８４は、各種の情報を記憶することができる部分であり、例えば、ハードディスク等の記憶媒体を含む。なお、記憶部８４の構成としては、記憶部２４，３４と同様に、例えば、１つの記憶媒体を有する構成、２つ以上の記憶媒体を一体的に有する構成、ならびに２つ以上の記憶媒体を２つ以上の部分に分けて有する構成の何れの構成が採用されても良い。記憶部８４には、例えば、プログラム８Ｐおよびその他の各種データが格納され得る。
【００９６】
ドライブ８５は、例えば、可搬性の記憶媒体８７の脱着が可能な部分である。ドライブ８５では、例えば、記憶媒体８７が装着されている状態で、記憶媒体８７と制御部８６との間におけるデータの授受が行われる。また、プログラム８Ｐが格納された記憶媒体８７がドライブ８５に装着されることで、記憶媒体８７から記憶部８４内にプログラム８Ｐが読み込まれて記憶される態様が採用されても良い。
【００９７】
制御部８６は、例えば、プロセッサーとして働くＣＰＵ８６ａおよび情報を一時的に記憶するメモリー８６ｂ等を含む。制御部８６では、例えば、記憶部８４に格納されているプログラム８Ｐが読み込まれて実行されることで、管理用端末機器８の各種機能および情報処理等が実現され得る。これにより、例えば、健康支援機能に係る各種の機能的な構成および情報処理が実現され得る。ここで、制御部８６における各種情報処理によって一時的に得られる各種情報は、メモリー８６ｂ等に記憶される。
【００９８】
＜(１−５)健康支援機能＞
＜(１−５−１)サーバーの機能的な構成＞
図５は、サーバー２の制御部２６においてプログラム２Ｐの実行によって実現される健康支援機能に係る機能的な構成を例示するブロック図である。制御部２６は、実現される機能的な構成として、入力受付部２６１、ユーザー識別部２６２、記憶制御部２６３、情報取得部２６４、出力制御部２６５、ユーザー分類部２６７を含むユーザー認識部２６６、運動プログラム作成部２６８、ユーザー評価部２６９、達成状況認識部２７０、実施度合い演算部２７１、時間帯認識部２７２、バッジ付与部２７３、ランキング情報生成部２７４およびユーザー検出部２７５を有している。
【００９９】
入力受付部２６１は、例えば、情報処理システム１のユーザーおよび管理者による情報処理システム１に対する各種情報の入力を受け付けることができる。入力受付部２６１では、例えば、ユーザー用端末機器３〜７および管理用端末機器８から入力部２１に入力される各種情報が受け付けられ得る。
【０１００】
具体的には、入力受付部２６１では、例えば、或るユーザーの動作に応答して、或るタイミングの後における該ユーザーの運動に係る運動情報および数値情報のうちの少なくとも一方の情報の入力が受け付けられ得る。運動情報は、健康状態を改善可能なユーザーの運動に係る情報である。数値情報は、ユーザーの健康状態を改善可能な運動に応じて変化した１以上の数値の項目についての該ユーザーの数値に係る情報である。ここでは、例えば、或るユーザーは、第１ユーザーおよび第２ユーザーの何れであっても良い。或るタイミングは、例えば、後述するユーザー分類部２６７によって複数のユーザーが複数のグループに分類される際に基準となるタイミング（第１タイミングとも言う）が設定され得る。この場合、入力受付部２６１では、例えば、第２ユーザーの動作に応答して、第１タイミングの後の第２タイミングにおける、第２ユーザーの運動に応じて変化した１以上の数値の項目についての第２ユーザーの数値に係る数値情報の入力が受け付けられ得る。また、基準となる第１タイミングは、例えば、複数のユーザーが複数のグループに分類される際に使用される運動情報および数値情報が得られたタイミング等であれば良い。
【０１０１】
また、例えば、入力受付部２６１では、他のユーザーの動作に応答して、或るタイミングの後における健康状態を改善可能な該他のユーザーの運動に係る運動情報および該他のユーザーの数値に係る数値情報のうちの少なくとも一方の情報の入力が受け付けられ得る。ここで、他のユーザーは、例えば、後述するユーザー分類部２６７によって複数のユーザーが分類された２以上のグループのうちの或るユーザーと同一のグループに属しており且つ該或るユーザーとは異なる。ここでは、例えば、或るユーザーが第１ユーザーであり且つ他のユーザーが第２ユーザーであっても良いし、或るユーザーが第２ユーザーであり且つ他のユーザーが第１ユーザーであっても良い。また、或るタイミングは、例えば、複数のユーザーが複数のグループに分類される際の基準となる第１タイミングに設定され得る。
【０１０２】
つまり、入力受付部２６１では、例えば、第２ユーザーの動作に応答して、第１タイミングの後の第２タイミングにおける、第２ユーザーの運動に応じて変化した１以上の数値の項目についての第２ユーザーの数値に係る数値情報の入力が受け付けられ得る。このとき、記憶部２４には、例えば、健康状態を示す身体の状態に係る１以上の数値の項目について、異なる２以上のタイミングにおける数値が記憶され得る。このため、例えば、１以上の数値の項目について、或るユーザーに係る実際の数値は、例えば、該或るユーザーに対し、第１タイミングよりも後の第２タイミングにおいて該或るユーザーの動作に応答して記憶部２４に記憶され得る。
【０１０３】
また、例えば、入力受付部２６１では、第１ユーザーに係る運動情報および数値情報のうちの少なくとも一方に係る情報の出力部２２による第２ユーザーに対する出力に対して、該第２ユーザーの動作に応答して入力される評価に係る信号の入力が受け付けられ得る。該評価は、第１ユーザーの運動情報および数値情報のうちの少なくとも一方に係る情報に対する評価である。
【０１０４】
逆に、例えば、入力受付部２６１では、第２ユーザー等の他のユーザーに係る運動情報および数値情報のうちの少なくとも一方に係る情報の出力部２２による第１ユーザーに対する出力に対して、該第１ユーザーの動作に応答して入力される評価に係る信号の入力が受け付けられ得る。該評価は、他のユーザーの運動情報および数値情報のうちの少なくとも一方に係る情報に対する評価である。
【０１０５】
ユーザー識別部２６２は、例えば、情報処理システム１を使用するユーザーを識別することができる。ユーザー識別部２６２では、例えば、ユーザーＩＤおよびパスワード等と言ったユーザー毎の識別情報の入力に応じて、ユーザーが識別され得る。具体的には、ユーザーによって入力された識別情報（ユーザーＩＤおよびパスワード等を含む）と、記憶部２４に予め記憶されたユーザー識別用情報２４１とに基づいて、入力された識別情報に対応するユーザーとして識別され得る。ここで、ユーザー識別用情報２４１としては、図６で示されるように、例えば、ユーザー毎にユーザー名と該ユーザーに付与された識別情報（ユーザーＩＤおよびパスワード等を含む）とが関連付けられている情報が採用され得る。ユーザー識別用情報２４１における各ユーザーの識別情報は、例えば、管理者またはユーザーによって適宜設定され得る。
【０１０６】
記憶制御部２６３は、例えば、サーバー２で得られた各種情報を記憶部２４に記憶させることができる。例えば、記憶制御部２６３によって、各ユーザー用端末機器３〜７から入力受付部２６１に入力される各種情報が記憶部２４に記憶され得る。例えば、記憶制御部２６３によって、入力受付部２６１によって入力が受け付けられた各ユーザーに係る運動情報および１以上の数値の項目に係る数値情報のうちの少なくとも一方に係る情報が、記憶部２４に記憶され得る。各ユーザーは、例えば、第１ユーザー、第２ユーザーおよび後述するユーザー分類部２６７によって第１ユーザーと同一のグループに分類された他のユーザーのうちの何れであっても良い。ここで、情報は、例えば、複数のユーザーのうちのユーザー毎に記憶され得る。そして、このとき、例えば、運動情報が、記憶部２４に記憶されることで、例えば、運動情報データベース（運動情報ＤＢとも言う）２４８が構築され得る。
【０１０７】
また、記憶制御部２６３によって、例えば、異なる２以上のタイミングにおける数値情報が記憶部２４に記憶されることで、例えば、ＰＨＲを含む健康情報データベース（健康情報ＤＢ）２４２等が構築され得る。健康情報ＤＢ２４２内のＰＨＲには、例えば、ユーザー毎に、図７で示されるように、異なる３以上のタイミングにおける測定結果としての６項目の測定値が記されたテーブルが記憶され得る。なお、記憶部２４には、その他のユーザーに関する情報が記憶され得る。その他のユーザーに関する情報には、例えば、ユーザー情報２４３等が含まれ得る。
【０１０８】
また、記憶制御部２６３によって、入力受付部２６１における各ユーザー（例えば、第１ユーザー等）に対する評価に係る信号の入力の受け付けに応じて、該評価に係る情報（評価情報とも言う）が記憶部２４に記憶され得る。ここでは、例えば、入力受付部２６１において、第１ユーザーの動作に応答して入力される他のユーザーの運動情報および数値情報に対する評価に係る信号の入力が受け付けられ、ユーザー評価部２６９で、該他のユーザーの評価情報が取得され得る。そして、記憶制御部２６３によって、各ユーザーに対する評価情報が、対応するユーザー毎に記憶部２４に記憶され得る。これにより、例えば、同一グループ内のユーザー間での評価が可能であり、健康状態を改善するための運動の実施に対するユーザーのやる気が更に向上し得る。
【０１０９】
また、例えば、記憶制御部２６３によって、ユーザー毎に、１以上の数値の項目のうちの１以上の特定の項目について、該ユーザーの動作に応答して設定される目標値に係る情報が、記憶部２４に記憶され得る。ここで、目標値に係る情報としては、例えば、目標値そのものを示す情報、および或る値を基準とした差分や割合等で目標値を間接的に示す情報等が採用され得る。ここでは、例えば、或るユーザーに係る目標値は、該或るユーザーに対し、健康状態を示す身体の状態についての１以上の数値の項目について、第１タイミングで該或るユーザーの動作に応答して設定され得る。そして、例えば、記憶制御部２６３によって、ユーザー毎に、健康に係る身体の状態についての１以上の数値の項目について、第１タイミングにおいて該ユーザーの動作に応答して設定される目標値が、記憶部２４に記憶され得る。
【０１１０】
また、例えば、記憶制御部２６３によって、ユーザー毎に、該或るユーザーの動作に応答して入力受付部２６１によって入力が受け付けられる、１以上の特定の項目についての実際の数値に係る情報が記憶部２４に記憶され得る。また、例えば、記憶制御部２６３によって、１以上の数値の項目について、該或るユーザーに係る実際の数値は、該或るユーザーに対し、第１タイミングよりも後の第２タイミングにおいて該或るユーザーの動作に応答して記憶部２４に記憶され得る。ここで、実際の数値に係る情報としては、例えば、実際の数値そのものを示す情報、および或る値を基準とした差分や割合等で実際の数値を間接的に示す情報等が採用され得る。或る値には、例えば、目標値等が含まれ得る。
【０１１１】
また、記憶制御部２６３によって、ユーザー毎に後述する運動プログラム作成部２６８によって作成される運動プログラム情報が記憶部２４に記憶され得る。このとき、例えば、記憶部２４に、複数のユーザーのそれぞれについての運動プログラム情報が記憶されることで、運動プログラム情報が蓄積されたデータベース（プログラムＤＢとも言う）２４７が構築され得る。
【０１１２】
また、健康情報ＤＢ２４２には、例えば、図８で示されるように、複数のユーザーについて、健康状態を示す身体の状態についての１以上の数値の項目について、測定値が記されたテーブルが含まれ得る。図８には、複数のユーザーには、Ａさん、Ｂさん、Ｃさん、・・・、Ｓさんと言った１９人のユーザーが含まれ、１以上の数値の項目には、ＨｂＡ１ｃ値、ＢＭＩ、身長、体重、最高血圧および最低血圧の６項目が含まれている例が示されている。なお、健康情報ＤＢ２４２には、例えば、１以上の数値の項目だけでなく、例えば、ユーザーの年齢、性別および既往歴等が含まれていても良い。
【０１１３】
また、ユーザー情報２４３には、例えば、ユーザーによる希望事項等と言ったユーザーによる入力に応じて登録される各種情報が含まれ得る。
【０１１４】
情報取得部２６４は、例えば、記憶部２４から情報を取得することができる。情報取得部２６４では、例えば、ユーザー用端末機器３〜７および管理用端末機器８からの要求に応答して、記憶部２４から該要求に応じた情報が取得され得る。例えば、ユーザー用端末機器３に対する第１ユーザーの動作に応答してユーザー用端末機器３からサーバー２に入力される信号に応じて、記憶部２４から第２ユーザーに係る２以上のタイミングについての数値情報が取得され得る。また、情報取得部２６４は、例えば、特定のユーザーとしての管理者の動作に応答して入力されるコマンドに応答して、記憶部２４から複数のユーザーのうちの少なくとも１人の任意のユーザーに係る情報を取得することができる。なお、該コマンドが、システムの管理者によって入力されたものであるか否かの判別を可能とするために、例えば、該コマンドにシステムの管理者に対応する識別情報が付されていても良い。
【０１１５】
出力制御部２６５は、例えば、各種情報を出力部２２によって出力させることができる。ここで、出力部２２によって出力される各種情報は、例えば、サーバー２の記憶部２４等に格納されている。具体的には、該各種情報には、例えば、第２ユーザーに係る運動情報および数値情報のうちの少なくとも一方の情報が含まれ得る。運動情報には、例えば、健康状態を改善可能な運動に係る情報が含まれ得る。数値情報には、例えば、１以上の数値の項目に係る数値情報が含まれ得る。出力部２２によって各種情報が出力される出力先には、例えば、第１ユーザー等の各ユーザーが含まれ得る。これにより、例えば、第１ユーザーは、サーバー２で管理されている第２ユーザーの情報を、ユーザー用端末機器３を介して閲覧することができる。
【０１１６】
ここで、例えば、出力先が第１ユーザーであれば、該出力先には、第１ユーザーが使用するユーザー用端末機器３等が含まれ得る。このとき、例えば、出力制御部２６５の制御により、ユーザー用端末機器３に対する第１ユーザーの動作に応答して、ユーザー用端末機器３からサーバー２に入力される信号に応じて、第２ユーザーに係る運動情報および数値情報のうちの少なくとも一方に係る情報が、出力部２２によってユーザー用端末機器３に対して出力され得る。これにより、例えば、第１ユーザーは、サーバー２で管理されている健康状態を示す身体の状態が類似した他のユーザーとしての第２ユーザーの情報を、ユーザー用端末機器３を介して閲覧することができる。
【０１１７】
具体的には、例えば、出力制御部２６５の制御により、１以上の数値の項目についての、第２ユーザーの第１タイミングおよび第２タイミングのそれぞれにおける数値、ならびに第２ユーザーの第１タイミングと第２タイミングとの間における数値の変化、のうちの少なくとも一方に係る情報が、出力部に２２よって第１ユーザーに対して出力され得る。これにより、例えば、特定の関係を満たす第１ユーザーと第２ユーザーとの間で、ユーザーの健康状態を示す身体の状態の変化を示す数値の変化が閲覧され得る。このため、健康状態を改善するための運動の実施に対するユーザーのやる気が向上し得る。
【０１１８】
また、例えば、出力制御部２６５の制御により、入力受付部２６１によって第２ユーザーに係る運動情報および数値情報のうちの少なくとも一方の情報の入力が受け付けられたことに応答して、第２ユーザーに係る運動情報および数値情報のうちの少なくとも一方に係る情報が、出力部２２によって第１ユーザーに対して出力され得る。つまり、例えば、或るユーザー（例えば、第１ユーザー）から見て、他のユーザー（例えば、第２ユーザー）によって運動情報および数値情報の少なくとも一方の情報が入力されると、その情報が、或るユーザーに報知され得る。これにより、例えば、他のユーザーの動向に刺激を受けることで、健康状態を改善するための運動の実施に対するユーザーのやる気が更に向上し得る。
【０１１９】
また、例えば、出力制御部２６５の制御により、第１ユーザーの動作に応答して、記憶部２４に記憶された、後述するユーザー分類部２６７で該第１ユーザーと同一グループに分類された他のユーザーに係る運動情報および数値情報のうちの少なくとも一方の情報が、出力部２２によって第１ユーザーに対して出力され得る。これにより、例えば、同一グループ内のユーザーの間で、運動および該運動に応じて変化した数値の少なくとも一方が随時閲覧され得る。
【０１２０】
また、例えば、出力制御部２６５の制御により、第１ユーザーの動作に応答して、第２ユーザーについての目標値および実際の数値に係る情報が、出力部２２によって第１ユーザーに対して出力され得る。ここで、出力部２２によって第１ユーザーに対して出力され得る情報には、例えば、記憶部２４に記憶された第２ユーザーに係る目標値の情報と実際の数値の情報との組、ならびに記憶部２４に記憶された第２ユーザーについての目標値の情報と実際の数値の情報との関係を示す情報のうちの少なくとも一方が含まれ得る。これにより、例えば、特定の関係を満たすユーザーの間で、健康状態を改善するための運動を通じた目標の達成状況の閲覧が可能となる。その結果、健康状態を改善するための運動の実施に対するユーザーのやる気が更に向上され得る。なお、目標値の情報と実際の数値の情報との関係を示す情報は、例えば、達成状況認識部２７０によって認識され得る。なお、目標値の情報と実際の数値の情報との関係は、例えば、該目標の達成状況を示し得る。実際の数値は、例えば、該或るユーザーを対象とした実際の測定値であれば良い。
【０１２１】
また、例えば、出力制御部２６５の制御により、或るユーザーの動作に応答して、記憶部２４に記憶されたプログラムＤＢ２４７に含まれた該或るユーザーあるいは他のユーザーに係る運動プログラム情報が、出力部２２によって或るユーザーに対して出力され得る。ここで、例えば、出力部２２によって、第１ユーザーの動作に応答して、該第１ユーザーに係る運動プログラム情報が、該第１ユーザーに対して出力されれば、例えば、運動プログラムによって、状況に即した適切な運動の実施が促進されることで、健康状態の改善が図られ得る。すなわち、例えば、疾患の改善あるいは疾患の予防が図られ得る。また、ここで、例えば、出力部２２によって、第１ユーザーの動作に応答して、第２ユーザーに係る運動プログラム情報が、該第１ユーザーに対して出力されれば、例えば、他のユーザー（例えば、第２ユーザー）の運動プログラムの閲覧を通じて、健康状態を改善するための運動の実施に対するユーザーのやる気の更なる向上が図られ得る。
【０１２２】
また、例えば、出力制御部２６５の制御により、第１ユーザーに係る運動プログラム情報に基づいて、運動を実施するタイミングを知らせる情報が、出力部２２によって第１ユーザーに対して出力され得る。ここで、第１ユーザーに係る運動プログラム情報は、例えば、後述する運動プログラム作成部２６８で作成されて、記憶部２４に記憶されたプログラムＤＢ２４７に含まれ得る。これにより、例えば、運動を実施し忘れることが低減され、健康状態の改善が促進され得る。なお、ここで、運動を実施するタイミングは、例えば、運動プログラム情報において運動の実施が予定されたタイミングであれば良い。そして、運動を実施するタイミングを知らせる情報には、例えば、該タイミングが到来したことを示す情報、該タイミングが到来する時刻を示す情報、および該タイミングが到来するまでの時間を示す情報等が含まれ得る。
【０１２３】
また、例えば、出力制御部２６５の制御により、予め設定されたルールに沿ったタイミングにおいて、第２ユーザーについての運動に係る情報が、出力部２２によって第１ユーザーに対して出力され得る。ここで、予め設定されたルールに沿ったタイミングには、例えば、第２ユーザーの動作に応答して認識される第２ユーザーが運動を開始したタイミング、および第２ユーザーの動作に応答して認識される第２ユーザーが運動を実施したタイミングのうちの少なくとも一方のタイミングが含まれ得る。これにより、例えば、他のユーザーの動向に刺激され、健康状態を改善するための運動の実施に対するユーザーのやる気が更に向上され得る。なお、ここで、予め設定されたルールは、例えば、プログラムＰ２で規定されても良いし、記憶部２４に記憶された情報で規定されても良い。
【０１２４】
また、例えば、出力制御部２６５の制御により、システムの管理者からのコマンドに基づいて情報取得部２６４で取得された少なくとも１人の任意のユーザーに係る情報が、出力部２２によってシステムの管理者に対して出力され得る。これにより、例えば、システムの管理者等の特定のユーザーが、少なくとも１人の任意のユーザーの情報を適宜閲覧することが可能となり、健康状態の改善策を検討することが容易となる。なお、ここで、少なくとも１人の任意のユーザーとしては、例えば、システムの管理者によって複数のユーザーから選択的に指定されたユーザー、およびシステムの管理者が指定した検索条件に合致するユーザー等が採用され得る。
【０１２５】
ユーザー認識部２６６は、例えば、健康状態を示す身体の状態に係る１以上の数値の項目についての複数のユーザーの或るタイミングにおける数値の情報に基づいて、該１以上の数値の項目についての数値が或るユーザーと特定の関係を満たす他のユーザーを複数のユーザーの中から認識することができる。これにより、例えば、ユーザーの身体の状態に係る測定結果に応じて、特定の関係を満たすユーザーが認識され得る。ここで、複数のユーザーとしては、例えば、健康情報ＤＢ２４２に数値が記述されている複数のユーザーが採用され得る。或るタイミングは、例えば、第１タイミング等の基準となるタイミングに予め設定され得る。また、或るユーザーが、第１ユーザーであり、他のユーザーが、第２ユーザーである例が考えられる。１以上の数値の項目には、例えば、ＨｂＡ１ｃ等の生化学検査の測定値および血圧等のバイタルデータに係る１以上の項目等が含まれ得る。
【０１２６】
ユーザー分類部２６７は、例えば、健康状態を示す身体の状態についての１以上の数値の項目についての複数のユーザーの或るタイミングにおける数値の情報に応じて、該複数のユーザーを２以上のグループに分類するような組分けを行うことができる。ここでは、例えば、１以上の数値の項目についての数値が特定の関係を満たす、第１ユーザーと第２ユーザーとが、２以上のグループのうちの同一のグループに属する場合が想定される。このとき、ユーザー分類部２６７では、例えば、１以上の数値の項目についての数値が第１ユーザーと特定の関係を満たす第２ユーザーが認識され得る。これにより、例えば、同一グループに属するユーザーの間における情報の閲覧が可能となり、健康状態を改善するための運動の実施に対するユーザーのやる気が向上し得る。ここで、例えば、ユーザーの間において閲覧が可能な情報に、組分けに用いられた数値の１以上の項目についての数値に係る数値情報が含まれれば、例えば、ユーザーの間において閲覧可能な情報において運動の実施状況に応じた差が生じ易い。その結果、健康状態を改善するための運動の実施に対するユーザーのやる気が向上し易くなり得る。
【０１２７】
本実施形態では、例えば、記憶部２４内の健康情報ＤＢ２４２に含まれており且つ疾患毎に重要な１以上の検査項目の数値に基づいて、特定の生活習慣病に罹患しているか、または特定の生活習慣病に罹患している可能性のあるユーザーが抽出され得る。これにより、例えば、健康状態の改善が支援される被支援者が抽出される。そして、抽出されたユーザーは、例えば、２以上のグループの何れかのグループに属するように分類され得る。ここでは、例えば、ユーザー分類部２６７は、ユーザー抽出処理とユーザー分類処理とを実行する。ユーザー抽出処理は、例えば、記憶部２４に格納されたユーザー抽出用基準情報２４４を参照して、疾病毎に、該疾病の罹患者および／またはその予備軍に属するユーザーを抽出する処理である。ユーザー分類処理は、ユーザー抽出処理で抽出された複数のユーザーを２以上のグループに分類する処理である。このとき、複数のユーザーが２以上のグループに分類された結果を示す情報（ユーザー分類情報とも言う）２４５が記憶部２４に記憶され得る。
【０１２８】
ここで、例えば、入力受付部２６１によって、第１ユーザーの動作に応答して、プログラムＤＢ２４７に含まれた第１ユーザーに係る運動プログラム情報の対象期間における第１ユーザーの運動に応じて変化した１以上の数値の項目についての第１ユーザーの数値に係る数値情報の入力が受け付けられた場合を想定する。この場合、例えば、ユーザー分類部２６７では、第１ユーザーに係る運動プログラム情報の対象期間が終了した後に、第１ユーザーの動作に応答して入力受付部２６１によって入力が受け付けられた、１以上の数値の項目についての第１ユーザーの数値に係る数値情報に応じて、第１ユーザーが属するグループが再び設定される。つまり、記憶部２４に記憶されたプログラムＤＢ２４７に含まれた第１ユーザーに係る運動プログラム情報の対象期間が終了された後に、再度、ユーザー分類部２６７による組分けが行われる。このとき、この再度の組分けによって、複数のユーザーが２以上のグループに分類された結果を示すユーザー分類情報２４５が記憶部２４に記憶され得る。これにより、例えば、運動プログラムの終了時の結果に応じて、ユーザーが属するグループが変更されることで、健康状態を改善するための運動の実施に対するユーザーのやる気が高められ得る。
【０１２９】
運動プログラム作成部２６８は、例えば、ユーザー毎に、該ユーザーの動作に応答して入力される情報に基づいて、該ユーザーの健康状態を改善可能な運動のプログラムを示す情報（運動プログラム情報とも言う）を作成することができる。ユーザーの動作に応答して入力される情報には、例えば、ユーザーが希望する運動の種類および時間、ならびにユーザーが希望しない運動の種類および時間等の情報が含まれ得る。これらの情報は、例えば、ユーザー情報２４３を構成し得る。また、運動プログラム作成部２６８では、例えば、記憶部２４に記憶された健康状態を示す身体の状態についての数値に基づいて、ユーザーの健康状態を改善するための運動プログラム情報が作成されても良い。ここで、記憶部２４に記憶された健康状態を示す身体の状態についての数値としては、例えば、健康情報ＤＢ２４２に含まれる１以上の項目についての測定値等が採用され得る。
【０１３０】
本実施形態では、運動プログラム作成部２６８において、例えば、記憶部２４に格納されているプログラム作成用情報２４６を参照することで、運動プログラム情報が作成され得る。プログラム作成用情報２４６としては、例えば、運動時間と運動内容との組に、健康状態を示す身体の状態に係る数値、およびユーザーの情報のうちの少なくとも一方が関連付けられた情報等が採用され得る。また、運動プログラム作成部２６８では、例えば、ユーザー毎に、記憶部２４に記憶された健康状態を示す身体の状態についての数値と、ユーザーの動作に応答して入力される情報とに基づいて、運動プログラム情報が作成されても良い。
【０１３１】
運動プログラム作成部２６８で作成される運動プログラム情報は、例えば、記憶制御部２６３によってユーザー毎に記憶部２４に記憶され得る。これにより、例えば、ユーザー毎の運動プログラム情報が蓄積されたデータベース（プログラムＤＢ）２４７が構築され得る。なお、プログラムＤＢ２４７には、ユーザー毎に、運動プログラムだけでなく、例えば、運動に関する個人的な目標等に係る情報が含まれても良い。
【０１３２】
また、運動プログラム情報は、例えば、出力制御部２６５によって、適宜ユーザー用端末機器３〜７に対して出力され得る。ここでは、例えば、所定の期間に係る運動プログラム情報が作成されることで、その運動プログラム情報に沿ってユーザーが運動を行えば、生活習慣病に罹患しているかまたは罹患している可能性のあるユーザーの健康状態を示す身体の状態が改善され得る。
【０１３３】
ユーザー評価部２６９は、例えば、或るユーザー以外の他のユーザーの健康状態に係る情報の出力部２２による該或るユーザーに対する出力に対し、該或るユーザーの動作に応答して入力される該他のユーザーの健康状態に対する評価に係る情報（評価情報とも言う）を取得することができる。ここで、或るユーザーとして、例えば、第１ユーザーが採用され得る。評価情報は、例えば、記憶制御部２６３によってユーザー毎に記憶部２４に記憶され得る。これにより、記憶部２４に、評価情報が蓄積されたデータベース（評価情報ＤＢとも言う）２４９が構築され得る。また、評価情報は、例えば、出力制御部２６５によって、適宜ユーザー用端末機器３〜７に対して出力され得る。
【０１３４】
達成状況認識部２７０は、例えば、或るユーザーに係る、目標値と実際の数値との関係を示す情報を認識することができる。或るユーザーとして、例えば、第１ユーザーが採用され得る。例えば、達成状況認識部２７０では、或るユーザーに係る運動プログラムの対象期間が終了した後のタイミング（期間後タイミングとも言う）、あるいは該期間後タイミングに運動プログラムの途中のタイミングが追加された複数のタイミングにおいて、該或るユーザーに係る目標値と実際の数値との関係を示す情報が認識され得る。そして、ここで認識された達成状況に係る情報は、記憶制御部２６３によって記憶部２４に適宜記憶され得る。
【０１３５】
実施度合い演算部２７１は、例えば、ユーザー毎に、該ユーザーによる運動の実施状況に係る情報と、プログラムＤＢ２４７に含まれた該ユーザーに係る運動プログラム情報とに基づいて、該運動プログラムに沿って該ユーザーによって運動が実行された度合い（実施度合いとも言う）を求めることができる。該ユーザーによる運動の実施状況に係る情報は、例えば、該ユーザーの動作に応答して入力受付部２６１によって入力され得る。ここで求められた実施度合いに係る情報は、例えば、記憶制御部２６３によって記憶部２４に適宜記憶され得る。また、実施度合いに係る情報は、例えば、出力制御部２６５によって、出力部２２によって出力され得る。例えば、出力制御部２６５の制御により、第１ユーザーの動作に応答して、記憶部２４に記憶された第２ユーザーに係る実施度合いに係る情報が、出力部２２によって第１ユーザーに対して出力され得る。このとき、例えば、実施度合いに係る情報が、出力部２２によってユーザー用端末機器３に対して出力されることで、第１ユーザーに対する出力が実現され得る。このような構成により、例えば、他のユーザーの運動プログラムの実行状況の閲覧を通じて、健康状態を改善するための運動の実施に対するユーザーのやる気の更なる向上が図られ得る。
【０１３６】
時間帯認識部２７２は、例えば、或るユーザーと、該或るユーザーに対して特定の関係を満たす１以上のユーザーとの間で、運動を実施するタイミングが共通する時間帯（共通時間帯とも言う）を認識することができる。ここでは、プログラムＤＢ２４７に含まれるユーザー毎の運動プログラム情報に基づいて、共通時間帯が認識され得る。特定の関係としては、例えば、健康状態を示す身体の状態に係る１以上の数値の項目のうちの１以上の特定の項目に係る数値についての特定の関係が採用され得る。そして、例えば、出力制御部２６５によって、共通時間帯を知らせる情報が、或るユーザーおよび該或るユーザーに対して特定の関係を満たす１以上のユーザーに対して出力され得る。ここで、或るユーザーは、例えば、第１ユーザーであれば良い。このような構成により、例えば、健康の状態が近いユーザー同士が、運動を実施する共通のタイミングを知ることが可能である。その結果、健康状態を改善するための運動の実施に対するユーザーのやる気が更に向上され得る。
【０１３７】
バッジ付与部２７３は、例えば、或るユーザーの動作に応答して入力される、該或るユーザーによる運動の実施に係る情報に応じて、該或るユーザーに特定のバッジを付与することができる。ここで、或るユーザーに、例えば、第１ユーザーが適用され得る。この場合、例えば、第１ユーザーの運動の実施に係る情報には、例えば、第１ユーザーに係る運動プログラム情報に従った共通時間帯における第１ユーザーによる運動の実施に係る情報が含まれ得る。これにより、例えば、健康の状態が近いユーザー同士が共通のタイミングで運動を実施することで発生するバッジの付与を通じて、健康状態を改善するための運動の実施に対するユーザーのやる気が高められ得る。
【０１３８】
また、バッジ付与部２７３では、例えば、或るユーザーに係る運動プログラム情報の対象期間が終了した後に、記憶部２４に記憶された、該或るユーザーに係る運動の実施についての各種情報に基づいて、該或るユーザーに対して特定のバッジが付与され得る。ここで、或るユーザーとしては、例えば、第１ユーザーが適用され得る。この場合、第１ユーザーに係る運動の実施についての各種情報には、例えば、該第１ユーザーに係る、他ユーザーからの評価情報、目標値に係る情報と実際の数値に係る情報との関係を示す情報、実施度合いの情報、および運動を実施した運動時間の合計値（総運動時間とも言う）を示す情報等が含まれ得る。なお、第１ユーザーに係る総運動時間を示す情報は、例えば、第１ユーザーの動作に応答して、入力受付部２６１によって入力が受け付けられ得る。なお、ここで、バッジ付与部２７３は、例えば、複数のユーザーのうちの第１ユーザー以外の残余のユーザーのそれぞれに対しても、第１ユーザーと同様に、特定のバッジを付与し得る。
【０１３９】
このとき、バッジ付与部２７３によって各ユーザーに付与されたバッジに係る情報は、例えば、記憶制御部２６３によって記憶部２４に記憶され得る。これにより、例えば、バッジが付与されている状況を示す情報（バッジ付与情報とも言う）２５０が記憶部２４に記憶され得る。また、バッジに係る情報は、例えば、出力制御部２６５によって、適宜、ユーザー用端末機器３〜７に対して出力され得る。このような構成が採用されると、例えば、ユーザーは、運動プログラムに対する取り組みに応じたバッジが得られる。このため、健康状態を改善するための運動の実施に対するユーザーのやる気が高められ得る。
【０１４０】
ランキング情報生成部２７４は、例えば、或るユーザーに係る運動プログラム情報の対象期間が終了した後に、バッジ付与部２７３によって各ユーザーに付与された特定のバッジの数に応じた複数のユーザーのランキング（ユーザーランキングとも言う）の情報を生成することができる。
【０１４１】
ランキング情報生成部２７４によって生成されたユーザーランキングの情報は、例えば、出力制御部２６５の制御下で出力部２２によって各ユーザーに対して出力され得る。具体的には、ユーザーランキングの情報は、例えば、出力制御部２６５によって、適宜ユーザー用端末機器３〜７に対して出力され得る。このような構成により、例えば、ユーザーは、ユーザーランキングの閲覧を通じて、運動プログラムへの取り組みについての自身の位置付けを把握することができる。その結果、健康状態を改善するための運動の実施に対するユーザーのやる気が高められ得る。
【０１４２】
また、ランキング情報生成部２７４は、例えば、或るユーザーに係る運動プログラム情報の対象期間が終了した後に、複数のグループについて、付与された特定のバッジの数に応じたグループのランキング（グループランキングとも言う）の情報を生成することができる。ここで、各グループには、例えば、２以上のユーザーが属する。グループに対するバッジの数は、例えば、該グループに属する２以上のユーザーに付与されたバッジの数および該グループに対して直接付与されたバッジの数のうちの少なくとも一方に応じて決定され得る。グループに対して直接付与されるバッジは、例えば、同一のグループに属する複数のユーザーのうちの共通時間帯に運動を実施したユーザーの数や割合に応じて付与され得る。
【０１４３】
ランキング情報生成部２７４で生成されたグループランキングの情報は、例えば、出力制御部２６５の制御下で出力部２２によって各ユーザーに対して出力され得る。具体的には、グループランキングの情報は、例えば、出力制御部２６５によって、適宜ユーザー用端末機器３〜７に対して出力され得る。このような構成により、例えば、ユーザーは、グループランキングの閲覧を通じて、運動プログラムへの取り組みについてのグループの位置付けを把握することができる。その結果、健康状態を改善するための運動の実施に対するユーザーのやる気が高められ得る。
【０１４４】
また、ランキング情報生成部２７４で生成されたユーザーランキングに係る情報およびグループランキングに係る情報は、例えば、記憶制御部２６３によって記憶部２４に記憶され得る。これにより、例えば、記憶部２４内にユーザーランキングおよびグループランキングに係る情報を含むランキング情報２５１が構築され得る。
【０１４５】
ユーザー検出部２７５は、例えば、記憶部２４に記憶された複数のユーザーに係る情報のうち、特定のユーザーの動作に応答して入力される検索条件に対応する情報に係る１以上のユーザーを検出することができる。ここで、検索条件は、例えば、管理用端末機器８において管理者の動作に応答して入力された信号に基づいて、管理用端末機器８あるいはサーバー２等で生成され得る。また、ユーザー検出部２７５で検出された１以上のユーザーに係る情報は、例えば、出力制御部２６５の制御により、出力部２２によって管理用端末機器８に対して出力され得る。このような構成により、例えば、システムの管理者等の特定のユーザーが、検索によって検出された１以上のユーザーとの間で、適切な情報の交換等を行うことが可能となる。
【０１４６】
なお、記憶部２４には、例えば、運動プログラム情報に含まれる運動の内容を説明するための情報（運動説明用情報とも言う）２５２が記憶され得る。そして、例えば、第１ユーザーが使用するユーザー用端末機器３からの要求に応じて、情報取得部２６４によって、該要求に応じた各種情報が運動説明用情報２５２から取得され、出力制御部２６５の制御により、該各種情報が出力部２２によって要求元のユーザー用端末機器３に出力され得る。
【０１４７】
＜(１−５−２)ユーザー用端末機器の機能的な構成＞
図９は、各ユーザー用端末機器３〜７の制御部３６においてプログラム３Ｐの実行によって実現される健康支援機能に係る機能的な構成を例示するブロック図である。制御部３６は、実現される機能的な構成として、入力受付部３６１、情報取得部３６２、情報入力部３６３、要素指定部３６４、情報要求部３６５および出力制御部３６６を有している。なお、上述したように、ユーザー用端末機器３〜７は、同様な構成を有しているため、ここでは、ユーザー用端末機器３〜７のうちのユーザー用端末機器３を例にとって説明する。
【０１４８】
入力受付部３６１は、例えば、ユーザー用端末機器３のユーザーによる各種情報の入力およびサーバー２からの信号の入力を受け付けることができる。入力受付部３６１では、例えば、入力部３１からの各種信号の入力が受け付けられ得る。
【０１４９】
情報取得部３６２は、例えば、ユーザー用端末機器３以外の外部機器から各種情報を取得することができる。情報取得部３６２では、例えば、記憶部２４に記憶された情報のうち、サーバー２の出力部２２から送信されてきた情報を、入力受付部３６１を介して取得することができる。
【０１５０】
情報入力部３６３は、例えば、入力受付部３６１で入力された信号に応じた情報を入力させることができる。情報入力部３６３では、例えば、ユーザーによる入力部３１に対する動作に応答して入力受付部３６１で受け付けられた信号に基づいて、各種情報を生成して情報処理システム１に入力させることができる。ここで、各種情報には、例えば、ユーザー用端末機器３における第１ユーザーの動作に応答して入力される、記憶部２４に記憶させるための第１ユーザーに係る２以上のタイミングにおける数値、および第１ユーザーの認証用の識別情報等が含まれ得る。
【０１５１】
要素指定部３６４は、例えば、入力受付部３６１で入力される信号に応じて、出力部３２の表示画面３Ｄｐで表示される表示要素を指定することができる。要素指定部３６４では、例えば、ユーザーによる入力部３１に対する動作に応答して入力受付部３６１で受け付けられた信号に基づいて、表示画面３Ｄｐで表示される表示要素が指定され得る。
【０１５２】
情報要求部３６５は、例えば、入力受付部３６１で入力される信号に応じて、サーバー２に対して情報の取得を要求することができる。情報要求部３６５では、例えば、ユーザーによる入力部３１に対する動作に応答して入力受付部３６１で受け付けられた信号に基づいて、情報の取得を要求するコマンド生成され、該コマンドがサーバー２に対して送信され得る。
【０１５３】
出力制御部３６６は、例えば、各種情報を出力部３２によって出力させることができる。出力制御部３６６では、例えば、情報取得部３６２によってサーバー２から取得された情報が、出力制御部３６６によって、表示画面３Ｄｐに可視的に出力される態様が考えられる。また、情報入力部３６３によって入力される識別情報および数値、ならびに情報要求部３６５で生成されたコマンド等が、出力制御部３６６によって通信部からサーバー２に出力される態様が考えられる。
【０１５４】
＜(１−５−３)管理用端末機器の機能的な構成＞
図１０は、管理用端末機器８の制御部８６においてプログラム８Ｐの実行によって実現される健康支援機能に係る機能的な構成を例示するブロック図である。制御部８６は、実現される機能的な構成として、入力受付部８６１、情報取得部８６２、情報要求部８６３、検索条件生成部８６４、情報入力部８６５および出力制御部８６６を有している。
【０１５５】
入力受付部８６１は、例えば、管理用端末機器８の管理者による各種情報の入力およびサーバー２からの入力に応じた信号を受け付けることができる。入力受付部８６１では、例えば、入力部８１で入力される各種信号が受け付けられ得る。
【０１５６】
情報取得部８６２は、例えば、管理用端末機器８以外の外部機器から各種情報を取得することができる。情報取得部８６２では、例えば、記憶部２４に記憶された情報のうち、サーバー２の出力部２２から送信されてきた情報を、入力受付部８６１を介して取得することができる。例えば、情報取得部８６２では、情報要求部８６３で生成されるコマンドに応じて、記憶部２４から複数のユーザーのうちの少なくとも１人の任意のユーザーに係る情報が取得され得る。
【０１５７】
情報要求部８６３は、例えば、入力受付部８６１で入力される信号に応じて、サーバー２に対して情報の取得を要求することができる。情報要求部８６３では、例えば、ユーザーによる入力部８１に対する動作に応答して入力受付部８６１で受け付けられた信号に基づいて、サーバー２に対して情報の取得を要求するコマンドが生成され得る。このとき、例えば、コマンドに管理者を特定するための識別情報が付されても良い。
【０１５８】
検索条件生成部８６４は、例えば、入力受付部８６１で入力される信号に応じて、検索条件を生成することができる。検索条件生成部８６４では、例えば、管理者の動作に応答して、サーバー２の記憶部２４に記憶された複数のユーザーに係る情報を対象とした検索の条件（検索条件）が生成され得る。
【０１５９】
情報入力部８６５は、例えば、入力受付部８６１で入力される信号に応じた情報を入力させることができる。情報入力部８６５では、例えば、管理者による入力部８１に対する動作に応答して入力受付部８６１で受け付けられた信号に基づいて、各種情報を生成して情報処理システム１に入力させることができる。ここで、各種情報には、例えば、管理者の動作に応答して入力される認証用の識別情報およびメールの情報等が含まれ得る。
【０１６０】
出力制御部８６６は、例えば、各種情報を出力部８２によって出力させることができる。出力制御部８６６では、例えば、情報取得部８６２によってサーバー２から取得された情報が、出力制御部８６６によって、表示画面８Ｄｐに可視的に出力される態様が考えられる。つまり、出力制御部８６６によれば、例えば、情報取得部８６２によって取得された少なくとも１人の任意のユーザーに係る情報が出力部８２によって、管理者に対して可視的あるいは可聴的に出力され得る。また、情報要求部８６３で生成されたコマンド、検索条件生成部８６４で生成された検索条件を示す情報、ならびに情報入力部８６５で入力されるメールの情報および識別情報等が、出力制御部８６６によって出力部８１からサーバー２に出力される態様が考えられる。
【０１６１】
＜(１−５−４)健康支援機能に含まれる各種機能および画面の遷移＞
健康支援機能には、健康状態を改善するための運動の実施に対するユーザーのやる気を向上させるための各種機能が含まれ得る。以下、該各種機能、ならびに該各種機能が実行される際における画面の表示および遷移について説明する。
【０１６２】
＜(１−５−４−１)組分け機能＞
健康支援機能には、例えば、被支援者としての複数のユーザーを２以上のグループに分類する機能（組分け機能とも言う）が含まれていて良い。なお、この組分け機能では、例えば、健康情報ＤＢ２４２に各種情報が記憶された複数のユーザーから、被支援者としての複数のユーザーが抽出される構成が採用され得る。
【０１６３】
図１１から図１３は、組分け機能を説明するための図である。図１１には、複数のユーザーのうち、或る疾病に罹患しているユーザーおよび／または該或る疾病の予備軍に属するユーザーが抽出される際に基準とされる情報（ユーザー抽出用基準情報とも言う）２４３の具体例が記述されたテーブルが示されている。ここで、或る疾病としては、例えば、生活習慣病等と言った普段の生活に運動等を適宜取り入れることで健康状態を改善することが可能な疾病が想定され得る。図１２および図１３には、それぞれ複数のユーザーが２以上のグループに分類された結果を示す情報（ユーザー分類情報とも言う）２４５の具体例が記述されたテーブルが示されている。
【０１６４】
図１１には、５種類の疾病について、疾病の種類毎に重要検査項目および該重要検査項目に係る抽出条件が例示されている。例えば、糖尿病については、重要検査項目であるＨｂＡ１ｃが５．９以上であれば、糖尿病の罹患者および／またはその予備軍に属するユーザーとされ得る。また、例えば、高血圧症については、重要検査項目としての血圧に関して、最高血圧が１４０ｍｍＨｇ以上または最低血圧が９０ｍｍＨｇ以上であれば、高血圧症の罹患者および／またはその予備軍に属するユーザーとされ得る。また、例えば、高脂血症、肥満および動脈硬化については、重要検査項目としてのＢＭＩが２５％以上であれば、高脂血症、肥満および動脈硬化のそれぞれについて、罹患者および／またはその予備軍に属するユーザーとされ得る。このとき、重要検査項目には、例えば、性別および体重に含まれても良い。
【０１６５】
ここでは、例えば、ユーザー分類部２６７によって、複数のユーザーが、健康状態を示す身体の状態についての１以上の数値の項目に係る数値に従って、２以上のグループに分類され得る。例えば、ユーザー分類部２６７では、健康情報ＤＢ２４２およびユーザー抽出用基準情報２４４が参照され、疾病の種類毎に、その疾病の罹患者および／またはその予備軍に属するユーザーを抽出する抽出処理と、その抽出された複数のユーザーを２以上のグループに分類する分類処理とが実行される。このとき、例えば、抽出処理では、被支援者が抽出される。なお、例えば、抽出処理が省略されて、分類処理のみが行われても良い。この場合、例えば、健康情報ＤＢ２４２に数値が記述されたすべてのユーザーが被支援者となり得る。
【０１６６】
分類処理では、複数のユーザーは、例えば、特定のルールに従って２以上のグループに分類され得る。特定のルールとしては、例えば、複数のユーザーが、重要検査項目の測定値について小さい順（昇順）または大きい順（降順）に特定の人数からなる２以上のグループに区分されるルール等が採用され得る。ここで、特定の人数は、例えば、４人および５人等の一定数に設定され得る。そして、特定の人数は、例えば、予め設定されていても良いし、管理者によって適宜設定あるいは変更されても良い。なお、特定のルールとして、例えば、複数のユーザーが、重要検査項目の測定値について２以上の値域にそれぞれ属するユーザーに分類されるルールが採用されても良い。この場合、２以上の値域については、例えば、予め設定されていても良いし、管理者によって適宜設定あるいは変更されても良い。
【０１６７】
図１２には、糖尿病について、図８で示された複数のユーザーが２以上のグループに分類された結果の一例が示されている。具体的には、図１２には、複数のユーザーから、糖尿病に係る重要検査項目であるＨｂＡ１ｃが５．９以上である複数のユーザーが抽出された後に、抽出された複数のユーザーが、ＨｂＡ１ｃが小さい順（昇順）に特定の人数である４人ずつのグループに区分された結果の一例が示されている。ここでは、図８で示されるように、１９人のユーザー全員のＨｂＡ１ｃが５．９以上であれば、抽出処理において、１９人のユーザー全員が抽出され得る。そして、４人からなる４つのグループＧａ１〜Ｇａ４および残余の３人からなる１つのグループＧａ５が形成され得る。
【０１６８】
図１３には、高血圧症について、図８で示された複数のユーザーが２以上のグループに分類された結果の一例が示されている。具体的には、図１３には、複数のユーザーから、高血圧症に係る重要検査項目である血圧について、最高血圧が１４０ｍｍＨｇ以上または最低血圧が９０以上である複数のユーザーが抽出された後に、抽出された複数のユーザーが、最低血圧が小さい順（昇順）に特定の人数である５人ずつのグループに区分された結果の一例が示されている。ここでは、図８で示されるように、１９人のユーザーのうち、最高血圧が１４０ｍｍＨｇ以上または最低血圧が９０以上の条件を満たさないユーザーは、Ｅさん１人であるため、Ｅさんを除く１８人のユーザーが抽出され得る。そして、５人からなる３つのグループＧｂ１〜Ｇｂ３および残余の３人からなる１つのグループＧｂ４が形成され得る。
【０１６９】
このような複数のユーザーが２以上のグループに分類される組分け処理は、例えば、予め設定されたタイミングあるいは管理者の要求に応じて実行され得る。
【０１７０】
＜(１−５−４−２)ユーザー識別機能＞
健康支援機能には、例えば、ユーザー識別部２６２等によって該健康支援機能を利用しようとするユーザーが識別される機能（ユーザー識別機能とも言う）が含まれていて良い。この機能によれば、例えば、被支援者としての複数のユーザーのうち、何れのユーザーが健康支援機能を利用するのかが認識され得る。
【０１７１】
ここでは、例えば、或るユーザーが、複数のユーザー用端末機器３〜７のうちの１つのユーザー用端末機器を用いて、健康支援機能に係るサービスを提供しているサイトに相当するサーバー２にアクセスしようとすると、表示画面３Ｄｐにユーザーを識別するためのログイン画面Ｄｙ０が表示される。
【０１７２】
図１４は、ログイン画面Ｄｙ０の一例を示す図である。ログイン画面Ｄｙ０には、例えば、ユーザーＩＤを記入するための欄（ＩＤ記入欄とも言う）Ｆ０１、パスワードを記入するための欄（ＰＷ記入欄とも言う）Ｆ０２、クリアボタンＣＢ０およびログインボタンＬＩ０が設けられている。ここで、第１ユーザーの動作に応答して、ＩＤ記入欄Ｆ０１にユーザーＩＤが記入されるとともに、ＰＷ記入欄Ｆ０２にパスワードが記入され、ログインボタンＬＩ０が押されると、第１ユーザーに係る健康支援システムにログインを行う処理（ログイン処理とも言う）が開始される。なお、各種ボタンが押される動作には、ユーザーによって各種ボタンがタップされる動作、およびユーザーによってマウス等のポインティングデバイスが操作されることでマウスポインター等によって擬似的にボタンが押される動作等が含まれ得る。また、ログイン画面Ｄｙ０では、例えば、ＩＤ記入欄Ｆ０１に誤ったユーザーＩＤが記入されたり、ＰＷ記入欄Ｆ０２に誤ったパスワードが入力されたりした場合に、クリアボタンＣＢ０が押されれば、ＩＤ記入欄Ｆ０１およびＰＷ記入欄Ｆ０２が空白の状態とされる。
【０１７３】
ログイン処理は、例えば、第１ユーザーによって入力された識別情報（ユーザーＩＤおよびパスワード等）と、記憶部２４に予め記憶されたユーザー識別用情報２４１とに基づいて実行される。例えば、第１ユーザーによって入力された識別情報が、ユーザー識別用情報２４１に含まれる第１ユーザーに係る識別情報と合致すれば、ログインの要求が出されているユーザー用端末機器３を使用しているユーザーが第１ユーザーであるものと識別され得る。これにより、第１ユーザーによるサーバー２へのログインの要求が受け入れられ、表示画面３Ｄｐに表示される画面が、ログイン画面Ｄｙ０から、ＴＯＰ画面Ｄｙ１に遷移する。このとき、例えば、第１ユーザーが使用しているユーザー用端末機器３からサーバー２が提供するサービスの機能に対するアクセスが許可され、ユーザー用端末機器３がサーバー２へアクセスしている状態（ログイン状態とも言う）となる。
【０１７４】
図１５は、ＴＯＰ画面Ｄｙ１の一例を示す図である。ＴＯＰ画面Ｄｙ１には、例えば、健康支援機能によって提供される複数のサービスの項目がそれぞれ記載された複数のボタン（項目ボタンとも言う）ＯＰ１〜ＯＰ６、ならびにログアウトボタンＬＯ０が設けられている。項目ボタンＯＰ１は、運動プログラム情報の作成に際して利用されるユーザーの状況および希望等に係る情報（ユーザー情報）を登録するためのボタンである。項目ボタンＯＰ２は、運動プログラム情報の内容の確認を要求するためのボタンである。項目ボタンＯＰ３は、ユーザー自身の運動の結果を確認するためのボタンである。項目ボタンＯＰ４は、第１ユーザーが属するグループの他のメンバーに係る各種情報の閲覧を要求するためのボタンである。項目ボタンＯＰ５は、ユーザーランキングおよびグループランキングの閲覧を要求するためのボタンである。項目ボタンＯＰ６は、運動プログラム情報の変更および消去を要求するためのボタンである。ＴＯＰ画面Ｄｙ１では、例えば、第１ユーザーの動作に応答して、項目ボタンＯＰ１〜ＯＰ６のうちの１つの項目ボタンが選択的に押されると、表示画面３Ｄｐに表示される画面が、ＴＯＰ画面Ｄｙ１から選択的に押された項目ボタンに係る画面へと遷移する。
【０１７５】
また、ログアウトボタンＬＯ０は、第１ユーザーが使用するユーザー用端末機器３がサーバー２へアクセスしているログイン状態を解除するためのボタン（解除ボタンとも言う）である。ここでは、例えば、第１ユーザーによって、ログアウトボタンＬＯ０が押されると、ログイン状態が解除され、表示画面３Ｄｐに表示される画面が、ＴＯＰ画面Ｄｙ１からログイン画面Ｄｙ０に遷移する。
【０１７６】
＜(１−５−４−３)ユーザー情報登録機能＞
健康支援機能には、例えば、ユーザーの動作に応答して、運動プログラム情報の作成に際して利用されるユーザーの状況および希望等に係るユーザー情報を登録するための機能（ユーザー情報登録機能とも言う）が含まれていて良い。
【０１７７】
図１６および図１７は、表示画面３Ｄｐに表示される、ユーザー情報を登録するための画面（ユーザー情報登録画面とも言う）Ｄｙ２，Ｄｙ３を例示する図である。ここでは、例えば、ＴＯＰ画面Ｄｙ１において、第１ユーザーの動作に応答して項目ボタンＯＰ１が押されると、表示画面３Ｄｐに表示される画面が、ＴＯＰ画面Ｄｙ１からユーザー情報登録画面Ｄｙ２（図１６）に遷移する。
【０１７８】
ユーザー情報登録画面Ｄｙ２では、ユーザーは、例えば、運動を実施する日（実施日とも言う）、夕食の終了時刻、夕食の１時間後に運動が可能な時間、およびその他の運動が可能な時間帯に係る情報を入力することができる。
【０１７９】
実施日については、例えば、第１ユーザーの動作に応答して、毎日、週末のみ、曜日指定、日付指定等といった選択肢のうちの１つの選択肢がラジオボタンＲＢ２の指定に応じて選択され得る。なお、例えば、曜日指定が選択されれば、希望の曜日を選択することが可能な表示要素が示される態様が考えられる。また、例えば、日付指定が選択されれば、希望の日付を選択することが可能なカレンダーが示される態様が考えられる。夕食の終了時刻については、例えば、第１ユーザーの動作に応答して、記入欄Ｆ２１，Ｆ２２に時分が記入され得る。夕食の１時間後に運動が可能な時間については、例えば、第１ユーザーの動作に応答して、記入欄Ｆ２３に時間が記入され得る。その他の運動可能な時間帯については、例えば、第１ユーザーの動作に応答して、記入欄Ｆ２４，Ｆ２５に開始時刻の時分が記入され、記入欄Ｆ２６に時間が記入され得る。
【０１８０】
そして、ユーザー情報登録画面Ｄｙ２において、例えば、情報の選択および記入が行われた状態で、第１ユーザーの動作に応答してボタンＮＢ２が押されると、表示画面３Ｄｐに表示される画面が、ユーザー情報登録画面Ｄｙ２からユーザー情報登録画面Ｄｙ３（図１７）に遷移する。
【０１８１】
ユーザー情報登録画面Ｄｙ３では、好きな運動、苦手な運動、および禁忌運動に係る情報を入力することができる。
【０１８２】
好きな運動については、例えば、第１ユーザーの動作に応答して、ジョギング、ウォーキング、ストレッチ系、体幹を鍛える運動および筋力を鍛える運動等といった選択肢のうちの１つの選択肢がラジオボタンＲＤＢ３１の指定に応じて選択され得る。苦手な運動についても、例えば、第１ユーザーの動作に応答して、ジョギング、ウォーキング、ストレッチ系、体幹を鍛える運動および筋力を鍛える運動等といった選択肢のうちの１つの選択肢がラジオボタンＲＤＢ３２の指定に応じて選択され得る。禁忌運動については、例えば、第１ユーザーの動作に応答して、ジョギング、ウォーキング、ストレッチ系、体幹を鍛える運動および筋力を鍛える運動等といった選択肢のうちの１つの選択肢がラジオボタンＲＤＢ３３の指定に応じて選択され得る。
【０１８３】
そして、ユーザー情報登録画面Ｄｙ３において、例えば、ボタンＰＢ３が押されると、表示画面３Ｄｐに表示される画面が、ユーザー情報登録画面Ｄｙ３からユーザー情報登録画面Ｄｙ２に遷移し得る。一方、ユーザー情報登録画面Ｄｙ３において、例えば、情報の選択が行われた状態で、ボタンＮＢ３が押されると、ユーザー情報登録画面Ｄｙ３における情報の選択が完了される。このとき、例えば、ユーザー情報登録画面Ｄｙ２，Ｄｙ３で選択および記入されたユーザー情報が、ユーザー用端末機器３からサーバー２に送信されて、入力受付部２６１で受け付けられ、記憶制御部２６３によって記憶部２４に記憶され得る。これにより、ユーザー情報２４３が構築され得る。
【０１８４】
また、ユーザーの動作に応答して、ユーザー情報が登録されるタイミングについては、例えば、ユーザーによる任意のタイミングであっても良いし、組分け処理が行われた後の予め設定された期間内とされても良い。
【０１８５】
＜(１−５−４−４)プログラム作成機能＞
健康支援機能には、例えば、ユーザー毎に、少なくともユーザー情報２４３に基づいて、健康状態を改善するための運動プログラム情報を作成する機能（プログラム作成機能とも言う）が含まれていて良い。
【０１８６】
例えば、運動プログラム作成部２６８において、ユーザー毎に、ユーザー情報２４３に含まれる情報に基づいて、運動プログラム情報が作成され得る。ここで作成される運動プログラム情報には、例えば、１ヶ月間の運動の種類および実施するタイミング等に係る情報が含まれる。そして、作成された運動プログラム情報は、例えば、記憶制御部２６３によって、ユーザー毎に記憶部２４に記憶されることで、プログラムＤＢ２４７が構築され得る。
【０１８７】
また、このとき、例えば、作成された運動プログラム情報が、出力制御部２６５によって、ユーザー用端末機器３〜７のうちの該運動プログラム情報の対象者であるユーザーが使用しているユーザー用端末機器に対して出力され得る。このとき、該ユーザー用端末機器では、例えば、運動プログラム情報が、入力部３１を経由して入力受付部３６１によって受け付けられて、情報取得部３６２で取得され、出力制御部３６６によって出力部３２の表示画面３Ｄｐに可視的に出力され得る。
【０１８８】
ここでは、例えば、ＴＯＰ画面Ｄｙ１において、第１ユーザーの動作に応答して項目ボタンＯＰ２が押されると、表示画面３Ｄｐに、運動プログラム情報を可視的に出力する画面（運動プログラム提示画面とも言う）Ｄｙ４が表示される。
【０１８９】
図１８は、運動プログラム提示画面Ｄｙ４を例示する図である。運動プログラム提示画面Ｄｙ４では、運動の種類、時間および開始時刻等といった、運動プログラムの内容が提示され得る。図１８の運動プログラム提示画面Ｄｙ４では、２５分間のウォーキングと５分間のストレッチからなる合計の運動時間が３０分間であるトレーニングＤが、運動プログラムの内容として提示されている例が示されている。なお、例えば、運動プログラム提示画面Ｄｙ４で提示される運動プログラムの内容において提示される順に運動を実施することが推奨されていても良い。また、図１８の運動プログラム提示画面Ｄｙ４の例では、開始時刻が２１時である旨も提示されている。
【０１９０】
また、運動プログラム提示画面Ｄｙ４には、例えば、複数のボタンＣＢ４，ＳＢ４が設けられている。ここで、例えば、ボタンＣＢ４は、運動プログラム情報をカレンダーの形式で表示させるためのボタンである。ボタンＳＢ４は、ユーザーによる目標の登録を開始するためのボタンである。ここでは、例えば、第１ユーザーによってボタンＳＢ４が押されると、表示画面３Ｄｐに表示される画面が、運動プログラム提示画面Ｄｙ４から目標の登録を行うための画面（目標登録画面とも言う）Ｄｙ５（図１９）に遷移する。また、例えば、第１ユーザーによってボタンＣＢ４が押されると、表示画面３Ｄｐに表示される画面が、運動プログラム提示画面Ｄｙ４から運動プログラム情報がカレンダー形式で表示される画面（カレンダー画面とも言う）Ｄｙ８（図２２）に遷移する。
【０１９１】
＜(１−５−４−５)目標値登録機能＞
健康支援機能には、例えば、各ユーザーが、運動によって改善され得る健康状態を示す身体の状態に係る１以上の数値の項目について、目標値を登録することが可能な機能（目標値登録機能とも言う）が含まれていて良い。
【０１９２】
図１９は、目標登録画面Ｄｙ５を例示する図である。目標登録画面Ｄｙ５では、体重の目標値、ＨｂＡ１ｃの目標値、コメント、および同一のグループに属するメンバーへの一言（単にメッセージとも言う）等といった情報が入力され得る。
【０１９３】
例えば、第１ユーザーの動作に応答して、記入欄Ｆ５１に体重の目標値が記入され得る。また、例えば、第１ユーザーの動作に応答して、記入欄Ｆ５２にＨｂＡ１ｃの目標値が記入され得る。また、例えば、第１ユーザーの動作に応答して、記入欄Ｂ５３にコメントが記入され得る。また、例えば、第１ユーザーの動作に応答して、記入欄Ｂ５４にメッセージが記入され得る。そして、目標登録画面Ｄｙ５において、例えば、情報の記入等が行われた状態で、第１ユーザーの動作に応答してボタンＤＢ５が押されると、目標登録画面Ｄｙ５で記入された目標値等の情報が、ユーザー用端末機器３からサーバー２に送信され、入力受付部２６１で受け付けられて、記憶制御部２６３によって記憶部２４に記憶され得る。例えば、運動情報ＤＢ２４８において、ユーザー毎に、目標登録画面Ｄｙ５で記入された目標値等の情報が記憶され得る。
【０１９４】
また、目標登録画面Ｄｙ５には、例えば、目標値の登録対象である項目（目標登録対象項目とも言う）を追加するためのボタンＡＢ５が設けられ得る。例えば、第１ユーザーの動作に応答してボタンＡＢ５が押されると、表示画面３Ｄｐに表示される画面が、目標登録画面Ｄｙ５から、目標登録対象項目の追加を行うための画面（項目追加画面とも言う）Ｄｙ６に遷移する。
【０１９５】
図２０は、項目追加画面Ｄｙ６を例示する図である。項目追加画面Ｄｙ６には、現在の目標登録対象項目に係る表示要素ＣＩ６、追加可能な項目の選択肢に係る表示要素ＯＩ６、およびボタンＯＢ６，ＲＢ６が設けられている。図２０の項目追加画面Ｄｙ６には、例えば、現在の目標登録対象項目としての体重およびＨｂＡ１ｃの２項目に係る表示要素ＣＩ６と、追加可能な３項目（最高血圧、最低血圧およびＢＭＩ）の選択肢に係る表示要素ＯＩ６とが示されている。
【０１９６】
項目追加画面Ｄｙ６では、例えば、第１ユーザーの動作に応答してボタンＲＢ６が押されると、表示画面３Ｄｐに表示される表示画面が、項目追加画面Ｄｙ６から元の目標登録画面Ｄｙ５（図１９）に戻る。一方、項目追加画面Ｄｙ６では、例えば、第１ユーザーの動作に応答して、各選択肢に係る表示要素ＯＩ６の左方に設けられたラジオボタンＲＤＢ６が適宜指定されることで、所望の選択肢が選択され得る。そして、例えば、第１ユーザーの動作に応答してボタンＯＢ６が押されると、項目追加画面Ｄｙ６における選択肢の選択状況に応じて、現在の目標登録対象項目に新たな目標登録対象項目が追加される。このとき、例えば、表示画面３Ｄｐに表示される画面が、現在の目標登録対象項目に新たな目標登録対象項目が追加された目標登録画面Ｄｙ７に遷移する。
【０１９７】
図２１は、目標登録画面Ｄｙ７を例示する図である。目標登録画面Ｄｙ７は、目標登録画面Ｄｙ５（図１９）がベースとされて、２つの新たな目標登録対象項目（最高血圧および最低血圧）についての目標値の記入が可能とされた画面である。目標登録画面Ｄｙ７では、例えば、第１ユーザーの動作に応答して、最高血圧に係る記入欄Ｆ５３および最低血圧に係る記入欄Ｆ５４のそれぞれに目標値が記入され得る。
【０１９８】
そして、目標登録画面Ｄｙ７において、例えば、情報が記入された状態で、第１ユーザーの動作に応答してボタンＤＢ５が押されると、目標登録画面Ｄｙ７で記入された目標値等の情報が、ユーザー用端末機器３からサーバー２に送信されて、入力受付部２６１で受け付けられ、記憶制御部２６３によって記憶部２４に記憶され得る。このとき、例えば、運動情報ＤＢ２４８において、ユーザー毎に、目標登録画面Ｄｙ７で記入された目標等の情報が記憶され得る。
【０１９９】
このようにして、例えば、運動プログラム情報が作成された後に、第１ユーザーは、健康状態を示す身体の状態についての改善が求められる数値（体重およびＨｂＡ１ｃの値等）について個人的な目標値を登録することができる。ここで、改善が求められる数値が、例えば、糖尿病についての重要検査項目であるＨｂＡ１ｃであれば、少なくとも該ＨｂＡ１ｃについての目標値の登録が可能である。また、改善が求められる数値が、例えば、高脂血症についての重要検査項目であるＢＭＩであれば、少なくとも該ＢＭＩについての目標値の登録が可能である。
【０２００】
＜(１−５−４−６)プログラム確認機能＞
健康支援機能には、例えば、運動プログラム情報の内容を適宜確認することができる機能（プログラム確認機能とも言う）が含まれていて良い。この機能によれば、例えば、ユーザーは、ユーザー自身が実施すべき運動についての情報を把握することができる。
【０２０１】
図２２は、カレンダー画面Ｄｙ８を例示する図である。該カレンダー画面Ｄｙ８は、例えば、運動プログラム提示画面Ｄｙ４（図１８）においてボタンＣＢ４が押された場合だけでなく、ＴＯＰ画面Ｄｙ１において項目ボタンＯＰ２が押された場合にも、表示画面３Ｄｐに表示される。これにより、例えば、運動プログラム情報に係るカレンダー画面Ｄｙ８の閲覧を通じて、状況に即した適切な運動の実施が促進されることで、第１ユーザーの健康状態の改善が図られ得る。
【０２０２】
カレンダー画面Ｄｙ８では、例えば、運動プログラム情報で決められた１ヶ月分の運動の実施予定日ＥＤ８が、他の日とは区別可能な態様で示される。図２２では、運動の実施予定日ＥＤ８に斜線のハッチングが付されている。カレンダー画面Ｄｙ８では、例えば、第１ユーザーの動作に応答して、運動の内容を確認したい一日が選択され得る。このとき、例えば、表示画面３Ｄｐに表示される画面が、カレンダー画面Ｄｙ８で選択された一日についての運動の内容を表示する画面（一日表示画面とも言う）Ｄｙ９（図２３）に遷移し得る。ここでは、例えば、ユーザー用端末機器３において、第１ユーザーに係る運動プログラム情報が一旦取得されると、該運動プログラム情報から、カレンダー画面Ｄｙ８で選択された一日についての運動の内容に係る情報が取得され得る。なお、例えば、第１ユーザーによってカレンダー画面Ｄｙ８上で一日が選択される度に、ユーザー用端末機器３によって、サーバー２から選択された一日についての運動プログラム情報が取得されても良い。また、カレンダー画面Ｄｙ８では、例えば、第１ユーザーの動作に応答してボタンＣＢ８が押されると、表示画面３Ｄｐに表示される画面が、カレンダー画面Ｄｙ８からＴＯＰ画面Ｄｙ１に遷移する。
【０２０３】
図２３は、一日表示画面Ｄｙ９を例示する図である。一日表示画面Ｄｙ９では、例えば、表示対象の一日を示す表示要素ＩＦ９１、運動の開始予定時刻を示す表示要素ＩＦ９２、運動の種類および時間を示す表示要素ＩＦ９３，ＩＦ９４等が提示される。これにより、第１ユーザーは、自分自身の運動プログラム情報について、選択した一日に予定されている運動の内容を確認することができる。ここでは、例えば、運動プログラム情報に係る一日表示画面Ｄｙ９の閲覧を通じて、状況に即した適切な運動の実施が促進されることで、第１ユーザーの健康状態の改善が図られ得る。
【０２０４】
また、一日表示画面Ｄｙ９には、例えば、運動の種類ごとに運動の内容（具体的なやり方）の説明を確認するためのボタンＥＢ９１，ＥＢ９２が設けられている。例えば、第１ユーザーによってボタンＥＢ９１，ＥＢ９２の何れかが押されると、押されたボタンに対応する運動の内容を説明する画面（運動説明画面とも言う）が、表示画面３Ｄｐに表示され得る。ここで、例えば、ジョギングに係るボタンＥＢ９１が押されると、表示画面３Ｄｐに表示される画面が、一日表示画面Ｄｙ９からジョギングに係る運動説明画面に遷移し得る。また、例えば、上肢の運動に係るボタンＥＢ９２が押されると、表示画面３Ｄｐに表示される画面が、一日表示画面Ｄｙ９から上肢の運動に係る運動説明画面Ｄｙ１０（図２４）に遷移し得る。ここでは、例えば、第１ユーザーによるユーザー用端末機器３に対する動作に応答して、サーバー２に対し、或る運動の内容の説明が要求される。このとき、例えば、情報取得部２６４によって運動説明用情報２５２から、或る運動の内容に係る情報が取得されて、該情報が出力部２２によってユーザー用端末機器３に出力され、該ユーザー用端末機器３において出力制御部３６６によって表示画面３Ｄｐに運動説明画面Ｄｙ１０が表示され得る。
【０２０５】
図２４および図２５は、上肢の運動に係る運動説明画面Ｄｙ１０，Ｄｙ１１の一例を示す図である。
【０２０６】
図２４の運動説明画面Ｄｙ１０では、例えば、イラスト付きの文章で上肢の運動に係る説明が示されている。また、例えば、運動説明画面Ｄｙ１０には、ボタンＲＢ１０，ＤＢ１０が設けられている。運動説明画面Ｄｙ１０では、例えば、第１ユーザーの動作に応答してボタンＲＢ１０が押されると、表示画面３Ｄｐに表示される画面が、運動説明画面Ｄｙ１０から元の一日表示画面Ｄｙ９に戻る。一方、例えば、第１ユーザーの動作に応答してボタンＤＢ１０が押されると、表示画面３Ｄｐに表示される画面が、運動説明画面Ｄｙ１０から、動画で運動の内容を確認することができる運動説明画面Ｄｙ１１（図２５）に遷移する。
【０２０７】
図２５の運動説明画面Ｄｙ１１では、例えば、運動の実演を示す映像と音声による説明とを含む動画が表示されるとともに、適宜、運動を実施する際のポイント等を説明する文章が示される。また、運動説明画面Ｄｙ１１には、ボタンＲＢ１１が設けられている。運動説明画面Ｄｙ１１では、例えば、第１ユーザーの動作に応答してボタンＲＢ１１が押されると、表示画面３Ｄｐに表示される画面が、運動説明画面Ｄｙ１１から元の運動説明画面Ｄｙ１０に戻る。
【０２０８】
また、図２３で示される一日表示画面Ｄｙ９には、例えば、該一日表示画面Ｄｙ９で示される現在の運動プログラム情報に含まれる運動の種類および時間の情報に加えて、他の種類の運動の情報を追加するためのボタンＡＢ９が設けられている。ここで、例えば、第１ユーザーによってボタンＡＢ９が押されると、表示画面３Ｄｐに表示され画面が、一日表示画面Ｄｙ９から運動を追加するための画面（運動追加画面とも言う）Ｄｙ１２（図２６）に遷移する。ここでは、例えば、第１ユーザーによるユーザー用端末機器３に対する動作に応答して、ユーザー用端末機器３からサーバー２に対し、運動を追加するための要求がなされる。このとき、例えば、情報取得部２６４によってプログラム作成用情報２４６から運動の追加に係る情報が取得される。そして、出力制御部２６５によって該情報がユーザー用端末機器３に出力され、該ユーザー用端末機器３において出力制御部３６６によって表示画面３Ｄｐに表示される画面が、一日表示画面Ｄｙ９から運動を追加するための運動追加画面Ｄｙ１２に遷移する。
【０２０９】
図２６は、運動追加画面Ｄｙ１２の一例を示す図である。運動追加画面Ｄｙ１２には、現在の運動プログラム情報に含まれている運動に係る情報が示される領域ＡＲ１２１と、追加可能な運動に係る情報を選択および記述することが可能な領域ＡＲ１２２とが設けられている。具体的には、領域ＡＲ１２１には、例えば、表示対象の一日を示す表示要素ＩＦ１２１、運動の開始予定時刻を示す表示要素ＩＦ１２２、運動の種類および時間を示す表示要素ＩＦ１２３，ＩＦ１２４等が提示され得る。また、領域ＡＲ１２２には、例えば、追加可能な運動の種類の選択肢に係る表示要素ＯＩ１２、および運動可能な時間を記入する記入欄Ｆ１２が設けられ得る。
【０２１０】
運動追加画面Ｄｙ１２では、例えば、第１ユーザーの動作に応答して、各選択肢に係る表示要素ＯＩ１２の左方に設けられたラジオボタンＲＤＢ１２が適宜指定されることで、所望の選択肢が選択され得る。また、例えば、第１ユーザーの動作に応答して、記入欄Ｆ１２に運動可能な時間が記入され得る。そして、所望の選択肢に係るラジオボタンＲＤＢ１２の指定、ならびに記入欄Ｆ１２における運動可能な時間の記入が行われた状態で、例えば、第１ユーザーの動作に応答してボタンＣＢ１２が押されると、運動プログラム情報のうちの表示対象の一日における運動の内容に、運動追加画面Ｄｙ１２で選択された運動の種類および該運動に係る運動可能な時間が追加され得る。このとき、表示画面３Ｄｐに表示される画面が、例えば、運動追加画面Ｄｙ１２から運動の種類および該運動可能な時間が追加された一日表示画面に遷移し得る。一方、例えば、運動追加画面Ｄｙ１２において、第１ユーザーの動作に応答してボタンＲＢ１２が押されると、表示画面３Ｄｐに表示される画面が、運動追加画面Ｄｙ１２から元の一日表示画面Ｄｙ９に戻る。
【０２１１】
なお、一日表示画面Ｄｙ９において、第１ユーザーの動作に応答してボタンＲＢ９が押されると、表示画面３Ｄｐに表示される画面が、一日表示画面Ｄｙ９から元のカレンダー画面Ｄｙ８に戻る。
【０２１２】
＜(１−５−４−７)実施内容登録機能＞
健康支援機能には、例えば、ユーザーが運動の実施内容を登録することができる機能（実施内容登録機能とも言う）が含まれていて良い。この機能によれば、ユーザーは、他のユーザーからの閲覧が可能となるように、ユーザー自身の情報を記憶することができる。
【０２１３】
例えば、一日表示画面Ｄｙ９（図２３）には、該一日表示画面Ｄｙ９で示される運動プログラム情報に従った運動の内容について、各運動の開始を指定するボタンＳＢ９１，ＳＢ９２が設けられている。図２３では、例えば、ボタンＳＢ９１は、２５分間のジョギングの開始を指定するボタンであり、ボタンＳＢ９２は、５分間の上肢の運動の開始を指定するボタンである。また、一日表示画面Ｄｙ９には、例えば、各運動を実施した時間（単に運動時間とも言う）が表示される表示欄（運動時間表示欄とも言う）Ｆ９１，Ｆ９２が設けられている。図２３では、例えば、２５分間のジョギングを実施した時間が運動時間表示欄Ｆ９１に表示され得る。また、例えば、５分間の上肢の運動を実施した時間が運動時間表示欄Ｆ９２に表示され得る。
【０２１４】
一日表示画面Ｄｙ９では、例えば、第１ユーザーの動作に応答してボタンＳＢ９１が押されると、ユーザー用端末機器３に搭載されている、時間を計測することが可能なストップウォッチ等の機能によって、２５分間のジョギングが実際に実施されている時間が計測され始める。このとき、例えば、計測中の運動時間が、運動時間表示欄Ｆ９１に表示され始めるとともに、表示画面３Ｄｐで表示される画面が、一日表示画面Ｄｙ９から、ボタンＳＢ９１がボタンＦＢ１３１に変更された一日表示画面Ｄｙ１３に遷移し得る。ボタンＦＢ１３１は、例えば、運動の終了を指示するボタンとしての機能を有するとともに、運動が終了した後に測定する脈拍の入力を開始するためのボタンとしての役割を果たし得る。このようなボタンの変更は、ジョギングに係るボタンＳＢ９１に限られず、例えば、上肢の運動等のその他の運動についても同様なボタンの変更が実施され得る。
【０２１５】
一日表示画面Ｄｙ１３では、例えば、第１ユーザーの動作に応答してボタンＦＢ１３１が押されると、計測中の運動時間のカウントアップが終了され得る。このとき、運動時間表示欄Ｆ９１には、例えば、計測済みの運動時間が表示され得る。なお、例えば、カウントアップの機能が設けられず、第１ユーザーの動作に応答して、運動時間表示欄Ｆ９１に、計測済みの運動時間が記入されても良い。また、このとき、例えば、表示画面３Ｄｐに表示される画面が、一日表示画面Ｄｙ１３から運動時間の計測が終了された時点におけるバイタルデータとしての測定値の登録が可能な画面（数値登録画面とも言う）Ｄｙ１４（図２８）に遷移し得る。
【０２１６】
ここで、バイタルデータには、例えば、体重、最高血圧、最低血圧、血糖値および正常時の脈拍等の測定値が含まれ得る。なお、このようなカウントアップの終了ならびに数値登録画面への遷移については、ジョギングだけに限られず、例えば、上肢の運動等のその他の運動についても同様な動作が実施され得る。
【０２１７】
ところで、図２７で示される一日表示画面Ｄｙ１３には、例えば、ボタンＣＢ９が設けられている。ここで、例えば、第１ユーザーの動作に応答してボタンＣＢ９が押されると、一日表示画面Ｄｙ１３における情報の記録が完了される。このとき、一日表示画面Ｄｙ１３に記述された情報は、例えば、記憶制御部２６３によって、運動情報ＤＢ２４８に記憶され得る。また、このとき、表示画面３Ｄｐに表示される画面は、例えば、一日表示画面Ｄｙ１３から数値登録画面Ｄｙ１４に遷移し得る。
【０２１８】
図２８は、数値登録画面Ｄｙ１４の一例を示す図である。数値登録画面Ｄｙ１４には、例えば、第１ユーザーの動作に応答して、バイタルデータに含まれる各種測定値が記入され得る記入欄Ｆ１４１〜Ｆ１４５が設けられている。具体的には、例えば、体重の記入欄Ｆ１４１、最低血圧の記入欄Ｆ１４２、最高血圧の記入欄Ｆ１４３、血糖値の記入欄Ｆ１４４、および正常時の脈拍の記入欄Ｆ１４５のそれぞれに対して測定値が記入され得る。なお、例えば、数値登録画面Ｄｙ１４で測定値が記入される５項目のうちの１項目（例えば、体重）が、目標値にかかる項目として採用され得る。
【０２１９】
また、数値登録画面Ｄｙ１４には、例えば、目標達成度および総運動時間がそれぞれ表示される表示欄Ｆ１４６，Ｆ１４７が設けられていて良い。ここで、総運動時間は、例えば、第１ユーザーに係る運動プログラム情報に沿って該第１ユーザーによって運動が実施された時間の合計であれば良い。ここで、総運動時間は、例えば、運動プログラム情報の対象期間において、カウントアップ機能等によって一日表示画面Ｄｙ１３に表示された運動時間が積算されることで、算出され得る。目標達成度は、例えば、運動プログラム情報によって提案された運動をどの程度実行することが出来たのかを示す「目標達成率」として算出され得る。目標達成率は、例えば、実施度合い演算部２７１によって、各ユーザーについて、ユーザーの動作に応答して入力される運動の実施状況に係る情報と、記憶部２４に記憶された運動プログラム情報とに基づき、運動プログラム情報に沿ってユーザーが運動を実施した度合いとして算出され得る。ここで、運動の実施状況に係る情報には、例えば、運動時間および各運動の終了後における脈拍の測定値等が含まれ得る。
【０２２０】
図２９から図３２は、目標達成率を算出するための情報が記されたテーブル１ＴＢ〜４ＴＢを例示する図である。これらの情報は、例えば、記憶部２４に適宜記憶されていれば良い。
【０２２１】
図２９には、運動の種類と各運動の実施によって実現される単位時間（ここでは、１分）あたりの代謝の度合いを示すＭｅｔｓ（Metabolic equivalents）値との関係が記述されたテーブル１ＴＢが例示されている。テーブル１ＴＢでは、例えば、無酸素運動に属する複数の運動の種類Ｅｘ１および有酸素運動に属する複数の運動の種類Ｅｘ２について、それぞれＭｅｔｓ値が規定されている。例えば、ウォーキングについての１分あたりのＭｅｔｓ値は、７ポイントである。ここでは、例えば、Ｍｅｔｓ値と運動時間との積によって、運動量が算出され得る。なお、ここで、例えば、運動時間との積によって運動量が算出可能である他の基準値がＭｅｔｓ値の代わりに採用されても良い。
【０２２２】
図３０には、運動プログラム情報についての、運動の種類を規定するコースと、運動時間と、トレーニングの種類との関係が記述されたテーブル２ＴＢが例示されている。運動の種類を規定するコースには、例えば、ウォーキングとストレッチとを含むコースＡ、スロージョギングとストレッチとを含むコースＢ、およびジョギングとストレッチとを含むコースＣが含まれる。運動時間には、例えば、２０分、３０分、４０分、５０分および６０分が含まれる。トレーニングの種類には、例えば、運動時間が２０分であるコースＡ〜Ｃに係るトレーニングＡ〜Ｃ、運動時間が３０分であるコースＡ〜Ｃに係るトレーニングＤ〜Ｆ、運動時間が４０分であるコースＡ〜Ｃに係るトレーニングＧ〜Ｉ、運動時間が５０分であるコースＡ〜Ｃに係るトレーニングＪ〜Ｌ、および運動時間が６０分であるコースＡ〜Ｃに係るトレーニングＭ〜Ｏが含まれる。
【０２２３】
図３１には、コース毎に、通常要求される、単位時間に体組織が酸素を取り込むべき最大量（％ＶＯ２ｍａｘ）と、有酸素運動の終了時に超えるべき１分あたりの脈拍数についての年代毎の基準値との関係が記述されたテーブル３ＴＢが例示されている。例えば、コースＡ，Ｂについては、％ＶＯ２ｍａｘが４０％であることが通常要求される。このとき、例えば、有酸素運動の終了時における１分あたりの脈拍数が超えるべき基準値（脈拍基準値とも言う）は、２０歳代では１１０であり、３０歳代では１０８であり、４０歳代では１０５であり、５０歳代では１０２であり、６０歳代では９９である。また、例えば、コースＣについては、％ＶＯ２ｍａｘが６０％であることが通常要求される。そして、このとき、例えば、有酸素運動の終了時における脈拍基準値は、２０歳代では１３６であり、３０歳代では１３１であり、４０歳代では１２７であり、５０歳代では１２３であり、６０歳代では１１９である。
【０２２４】
図３２には、或るユーザーとしての第１ユーザーが運動プログラム情報に従って運動を実施した結果が記述されたテーブル４ＴＢが例示されている。ここでは、例えば、１週間に実施された運動の結果が記述されている。図３２で示される例では、月曜日に２５分間のウォーキングと５分間の上肢の運動１とが行われ、火曜日に２５分間のウォーキングと５分間の下肢の運動１とが行われ、水曜日に２５分間のウォーキングと５分間の上肢の運動２とが行われ、木曜日に２５分間のウォーキングと５分間の下肢の運動２とが行われたことが記述されている。また、金曜日に２５分間のウォーキングと５分間の体幹運動１とが行われ、土曜日に２５分間のウォーキングと５分間の体幹運動２とが行われ、日曜日に２５分間のウォーキングと５分間の上肢の運動３とが行われたことが記述されている。
【０２２５】
この場合、第１ユーザーの運動プログラム情報は、コースＡに係るトレーニングＤに準じたものである。そして、例えば、月曜日から日曜日までの各曜日における有酸素運動としてのウォーキングに係る運動量は、１分あたりのＭｅｔｓ値である７ポイント／分と運動時間である２５分との積である１７５ポイントと算出され得る。そして、例えば、これらの値にストレッチに係る運動量が加算されれば、各曜日における運動量が算出され得る。具体的には、例えば、月曜日における運動量は、２００ポイント（１７５ポイント＋２５ポイント）と算出され得る。同様にして、火曜日における運動量は２００ポイント、水曜日における運動量は２１０ポイント、木曜日における運動量は２１０ポイント、金曜日における運動量は２１０ポイント、土曜日における運動量は２２０ポイント、および日曜日における運動量は２２０ポイントと算出され得る。これにより、月曜日から日曜日までの運動量は、平均で２１０ポイントと算出され得る。但し、例えば、各曜日について、有酸素運動の終了時における１分あたりの脈拍数が、脈拍基準値に達していなければ、算出された運動量に調整値としての１／２が乗じられる。
【０２２６】
そして、実施度合い演算部２７１によれば、例えば、運動プログラム情報に沿って実施された１ヶ月間における運動量（実運動量とも言う）が、運動プログラム情報で規定された全種類の運動が予定通り実施された場合における運動量（予定運動量とも言う）で除されて、１００が乗じられることで、百分率で表される目標の達成率（目標達成率とも言う）が算出され得る。
【０２２７】
具体的には、例えば、第１ユーザーがトレーニングＤを毎日実施する場合、１日当たりの予定運動量が平均で２１０ポイントであれば、運動プログラム情報に沿った運動の１ヶ月間における予定運動量は、例えば、平均で６３００（＝２１０×３０）ポイントとなり得る。一方、第１ユーザーがトレーニングＤを６日間実行することが出来なかった場合、１ヶ月間における実運動量は、５０４０ポイント（＝２１０×（３０−６））と算出され得る。このとき、目標達成率は、８０（＝（５０４０／６３００）×１００）％となり得る。
【０２２８】
ここで、例えば、実施度合い演算部２７１で算出される目標達成率は、記憶制御部２６３によって運動情報ＤＢ２４８に記憶され得る。このとき、運動情報ＤＢ２４８に記憶された目標達成率は、例えば、数値登録画面Ｄｙ１４における表示欄Ｆ１４６に提示され得る。なお、目標達成率とは別に、運動プログラム情報に沿って実施された運動の１ヶ月間における総運動時間は、各曜日の運動時間が積算されることで求められ得る。この総運動時間は、記憶制御部２６３によって運動情報ＤＢ２４８に記憶され得る。このとき、運動情報ＤＢ２４８に記憶された総運動時間は、例えば、数値登録画面Ｄｙ１４における表示欄Ｆ１４７に提示され得る。
【０２２９】
ところで、図２８で示される数値登録画面Ｄｙ１４には、ボタンＮＢ１４，ＣＢ１４が設けられている。ここで、例えば、第１ユーザーの動作に応答してボタンＮＢ１４が押されると、表示画面３Ｄｐに表示される画面が、数値登録画面Ｄｙ１４から一日表示画面Ｄｙ１３に戻る。一方、例えば、第１ユーザーの動作に応答してボタンＣＢ１４が押されると、数値登録画面Ｄｙ１４で記述された情報の記憶処理が完了され得る。このとき、数値登録画面Ｄｙ１４に記述された情報は、例えば、記憶制御部２６３によって、運動情報ＤＢ２４８および健康情報ＤＢ２４２に記憶され得る。これにより、例えば、第１ユーザーは、運動プログラム情報に沿った運動を日々行いつつ、日々のバイタルデータ等といった健康状態に係る数値を入力および登録することができる。
【０２３０】
また、上述した目標達成率および総運動時間については、例えば、各ユーザーについて算出され得る。また、目標達成率および総運動時間のそれぞれについては、例えば、複数のユーザーからなる、或る疾患に係る全被支援者についての統計値が算出されても良いし、複数のユーザーがそれぞれ属する各グループについての統計値が算出されても良い。ここで、統計値としては、例えば、算術平均、中央値および最頻値等が採用され得る。そして、例えば、これらの数値については随時算出されて、記憶部２４の運動情報ＤＢ２４８に記憶され得る。
【０２３１】
なお、例えば、目標達成率および総運動時間の少なくとも一方については、例えば、予め設定された閾値を超えると、各ユーザーおよび各グループの少なくとも一方に、いわゆるバッジが付与されても良い。ここで、閾値は、１つでも良いし、複数の閾値が設定されていても良い。このバッジの付与は、例えば、バッジ付与部２７３によって実施され得る。そして、ここで付与されるバッジに係る情報は、例えば、記憶制御部２６３によって、バッジ付与情報２５０において、各ユーザーおよび各グループに対して関連付けられて記憶され得る。
【０２３２】
＜(１−５−４−８)登録情報閲覧機能＞
健康支援機能には、例えば、或るユーザーが他のユーザーによって登録された情報を適宜閲覧することができる機能（登録情報閲覧機能とも言う）が含まれていて良い。この機能によれば、例えば、ユーザーは、他のユーザーが実施すべき運動についての情報を把握することができる。ここでは、例えば、或るユーザーを第１ユーザーとし、他のユーザーを第２ユーザー等といった第１ユーザー以外の他のユーザーとすれば良い。
【０２３３】
例えば、表示画面３Ｄｐに数値登録画面Ｄｙ１４が表示されている状態で、第１ユーザーの動作に応答してボタンＣＢ１４が押されると、表示画面３Ｄｐに表示されている画面が、例えば、数値登録画面Ｄｙ１４から数値参照画面Ｄｙ１５に遷移し得る。数値参照画面Ｄｙ１５としては、例えば、他のユーザーが、数値登録画面Ｄｙ１４と同様な画面において登録した測定値が示される画面である。該数値参照画面Ｄｙ１５では、例えば、他のユーザーによって登録された、最新の測定値が示され得る。
【０２３４】
図３３は、数値参照画面Ｄｙ１５の一例を示す図である。数値参照画面Ｄｙ１５には、図２８で示された数値登録画面Ｄｙ１４と同様な項目についての数値が提示され得る。これにより、第１ユーザーは、例えば、健康状態が近い他のユーザーについての数値を確認することができる。その結果、健康状態を改善するための運動の実施に対する第１ユーザーのやる気の向上が図られ得る。ここで、他のユーザーとしては、例えば、上述した第２ユーザーが採用され得る。
【０２３５】
ここでは、例えば、第１ユーザーの動作に応答して、情報取得部２６４によって、記憶部２４から第２ユーザーに係る測定値の情報が取得される。そして、例えば、出力制御部２６５の制御により、情報取得部２６４で取得された測定値の情報が、出力部２２によってユーザー用端末機器３に出力される。また、ここでは、例えば、第１ユーザーの動作に応答して、情報取得部２６４によって、記憶部２４から第２ユーザーに係る運動の実施度合い（例えば、目標達成度としての目標達成率）および総運動時間に係る情報が取得される。そして、例えば、出力制御部２６５の制御により、情報取得部２６４で取得された第２ユーザーに係る実施度合いおよび総運動時間に係る情報が、出力部２２によってユーザー用端末機器３に出力される。そして、例えば、ユーザー用端末機器３では、出力制御部３６６の制御によって出力部３２に第２ユーザーに係る測定値、実施度合いおよび総運動時間が可視的に出力され得る。これにより、例えば、他のユーザーの運動プログラム情報に沿った運動の実施状況の閲覧を通じて、健康状態を改善するための運動に対するユーザーのやる気の更なる向上が図られ得る。
【０２３６】
また、数値参照画面Ｄｙ１５には、例えば、ボタンＮＢ１５，ＣＢ１５が設けられている。ここで、例えば、第１ユーザーの動作に応答してボタンＮＢ１５が押されると、表示画面３Ｄｐに表示される画面が、数値参照画面Ｄｙ１５から数値比較画面Ｄｙ１６に遷移し得る。
【０２３７】
図３４は、数値比較画面Ｄｙ１６の一例を示す図である。数値比較画面Ｄｙ１６では、例えば、第１ユーザーと第２ユーザーとについて、目標値の経時的な変化、および運動プログラム情報に沿った運動の実施状況としての運動時間の推移等といった情報が、折れ線グラフ等の容易に比較可能な態様で提示され得る。
【０２３８】
ここでは、例えば、第１ユーザーの動作に応答して、情報取得部２６４によって記憶部２４から第２ユーザーに係る２以上のタイミングにおける数値の情報が取得され得る。そして、例えば、出力制御部２６５の制御により、情報取得部２６４で取得された数値の情報が、出力部２２によってユーザー用端末機器３に出力され得る。このとき、例えば、ユーザー用端末機器３において、出力制御部３６６の制御により、出力部３２によって第２ユーザーに係る２以上のタイミングに係る測定値が表示され得る。これにより、第１ユーザーは、サーバー２で管理されている第２ユーザーの情報を、ユーザー用端末機器３を介して閲覧することができる。その結果、健康状態を改善するための運動の実施に対する第１ユーザーのやる気の向上が図られ得る。
【０２３９】
また、例えば、各ユーザーによって、運動プログラム情報に沿った運動が日々実施されながら、複数のタイミングにおけるユーザー自身のバイタルデータ等の健康状態に係る数値が記憶部２４に登録されれば、数値比較画面Ｄｙ１６の作成に利用可能なデータが増加し得る。これにより、例えば、数値比較画面Ｄｙ１６において、ユーザー間における数値の計時的変化の比較が容易となり得る。
【０２４０】
ところで、例えば、目標値に係る数値の項目が体重であれば、図３４の数値比較画面Ｄｙ１６に、第２ユーザーの目標値が示されても良い。図３４では、該目標値が一点鎖線で示されている例が示されている。このとき、例えば、特定の関係を満たすユーザーの間で、健康状態を改善するための運動を通じた目標の達成状況の閲覧が可能となり、運動の実施に対するユーザーのやる気が更に向上され得る。この場合には、例えば、第１ユーザーの動作に応答して、情報取得部２６４によって記憶部２４から第２ユーザーに係る２以上のタイミングにおける目標値と該目標値の項目に係る実際の数値とが取得され得る。そして、例えば、出力制御部２６５によって、情報取得部２６４で取得された目標値と実際の数値との関係が、出力部２２によってユーザー用端末機器３に出力され得る。このとき、例えば、ユーザー用端末機器３において、出力制御部３６６の制御によって出力部３２に第２ユーザーに係る２以上のタイミングに係る目標値と実際の数値との関係を示す情報が表示され得る。
【０２４１】
また、例えば、ユーザー用端末機器３〜７のうちの第２ユーザーが使用するユーザー用端末機器が、第１ユーザーが使用するユーザー用端末機器３と同様な機能を有していれば、第２ユーザーは、サーバー２で管理されている第１ユーザーの情報を、ユーザー用端末機器を介して閲覧することができる。よって、特定の関係を満たすユーザーの間で、健康状態を改善するための運動の結果を示す情報を相互に閲覧することが可能となり、健康状態を改善するための運動に対するユーザーのやる気が向上し得る。
【０２４２】
図３５は、ユーザー間における情報の閲覧に係る動作フローの一例を示すフローチャートである。本動作フローは、第１ユーザーが情報を入力したことに応答して、第２ユーザーに係る情報が第１ユーザーに対して出力される例について示されている。なお、ここでは、例えば、健康情報ＤＢ２４２に、予め、複数のユーザーに係る健康状態を示す身体の状態についての１以上の数値の項目のそれぞれについて、少なくとも１つのタイミングにおける数値が記憶されているものとする。
【０２４３】
図３５のステップＳ１（ユーザー認識ステップに相当する）では、例えば、ユーザー認識部２６６によって、健康状態を示す身体の状態に係る１以上の数値の項目についての複数のユーザーの第１タイミングにおける数値の情報に基づいて、該１以上の数値の項目についての数値が第１ユーザーと特定の関係を満たす第２ユーザーが複数のユーザーの中から認識される。ここでは、例えば、ユーザー分類部２６７によって、複数のユーザーが複数のグループに分類されることで、同一のグループに属する第１ユーザーと第２ユーザーとが、１以上の数値の項目についての数値が特定の関係を満たすユーザーの組と認識されても良い。
【０２４４】
ステップＳ２（入力受付ステップに相当する）では、入力受付部２６１によって、第２ユーザーの動作に応答して、第１タイミングの後における健康状態を改善可能な第２ユーザーの運動に係る運動情報、および該運動に応じて変化した１以上の数値の項目についての第２ユーザーの数値に係る数値情報、のうちの少なくとも一方の情報の入力が受け付けられる。運動情報には、例えば、運動の内容および該運動の実施時間等が含まれ得る。数値情報には、例えば、体重等のバイタルデータおよびＨｂＡ１ｃ等の検査値等といった各種の測定値が含まれ得る。
【０２４５】
ステップＳ３（記憶制御ステップに相当する）では、記憶制御部２６３によって、ステップＳ２で入力が受け付けられた第２ユーザーに係る運動情報および数値情報のうちの少なくとも一方に係る情報が、記憶部２４に記憶される。このとき、例えば、運動情報ＤＢ２４８および健康情報ＤＢ２４２の少なくとも一方が更新される。
【０２４６】
ステップＳ４では、入力受付部２６１によって、第１ユーザーの動作に応答して、第１タイミングの後における健康状態を改善可能な第１ユーザーの運動に係る運動情報、および該運動に応じて変化した１以上の数値の項目についての第１ユーザーの数値に係る数値情報、のうちの少なくとも一方の情報の入力が受け付けられる。運動情報には、例えば、運動の内容および該運動の実施時間等が含まれ得る。数値情報には、例えば、体重等のバイタルデータおよびＨｂＡ１ｃ等の検査値等といった各種の測定値が含まれ得る。
【０２４７】
ステップＳ５（出力制御ステップに相当する）では、出力制御部２６５の制御により、ステップＳ３で記憶された、第２ユーザーに係る運動情報および数値情報のうちの少なくとも一方に係る情報が、出力部２２によって第１ユーザーに対して出力される。これにより、或るユーザーとしての第１ユーザーが、他のユーザーとしての第２ユーザーの運動の実施状況および運動の結果の少なくとも一方を閲覧することができる。このため、健康状態を改善するための運動の実施に対するユーザーのやる気の向上が図られ得る。なお、例えば、ステップＳ５の処理が行われている際に、記憶制御部２６３によって、ステップＳ４で入力が受け付けられた第１ユーザーに係る運動情報および数値情報のうちの少なくとも一方に係る情報が、記憶部２４に記憶され得る。これにより、例えば、運動情報ＤＢ２４８および健康情報ＤＢ２４２の少なくとも一方が更新され得る。
【０２４８】
また、図３４で示される数値比較画面Ｄｙ１６には、ボタンＣＢ１６が設けられている。ここで、例えば、第１ユーザーの動作に応答してボタンＣＢ１６が押されると、数値比較画面Ｄｙ１６の表示が終了され得る。このとき、表示画面３Ｄｐに表示される画面は、例えば、数値比較画面Ｄｙ１６からＴＯＰ画面Ｄｙ１に遷移し得る。ところで、図３３で示された数値参照画面Ｄｙ１５において、第１ユーザーの動作に応答してボタンＣＢ１５が押されると、表示画面３Ｄｐに表示される画面が、例えば、数値参照画面Ｄｙ１５からＴＯＰ画面Ｄｙ１に遷移し得る。
【０２４９】
また、例えば、第２ユーザーによって測定値が登録される際に、該第２ユーザーによって登録された測定値が、第１ユーザーに対して出力されても良い。具体的には、例えば、記憶制御部２６３によって第２ユーザーに係る数値が記憶部２４に記憶されたことに応答して、出力制御部２６５の制御により、第２ユーザーに係る数値についての情報が、出力部２２によって第１ユーザーに対して出力されても良い。
【０２５０】
図３６は、ユーザー間における情報の閲覧に係る動作フローの他の一例を示すフローチャートである。本動作フローは、第２ユーザーが情報を入力したことに応答して、第２ユーザーに係る情報が第１ユーザーに対して出力される例について示されている。なお、ここでも、例えば、健康情報ＤＢ２４２に、予め、複数のユーザーに係る健康状態を示す身体の状態についての１以上の数値の項目のそれぞれについて、少なくとも１つのタイミングにおける数値が記憶されているものとする。
【０２５１】
図３６のステップＳ１Ａ〜Ｓ３Ａでは、図３５の上記ステップＳ１〜Ｓ３と同様な処理が行われる。
【０２５２】
ステップＳ４Ａでは、出力制御部２６５の制御により、ステップＳ３Ａで記憶された、第２ユーザーに係る運動情報および数値情報のうちの少なくとも一方に係る情報が、出力部２２によって第１ユーザーに対して出力される。これにより、或るユーザーとしての第１ユーザーが、他のユーザーとしての第２ユーザーの運動の実施状況および運動の結果の少なくとも一方を閲覧することができる。このため、健康状態を改善するための運動の実施に対するユーザーのやる気の向上が図られ得る。なお、例えば、ステップＳ４Ａの処理およびステップＳ３Ａの処理については、並行して行われても良いし、何れが先に行われても良い。
【０２５３】
また、第１ユーザーは、数値登録画面Ｄｙ１４において登録した自分自身の各種数値に係る情報を、任意のタイミングで閲覧することが可能である。
【０２５４】
図３７は、図２２で示されたカレンダー画面Ｄｙ８に、実施された運動に係る情報が追記されたカレンダー画面Ｄｙ１７を例示する図である。ここでは、例えば、ユーザー用端末機器３の表示画面３ＤｐにＴＯＰ画面Ｄｙ１が表示された状態で、第１ユーザーの動作に応答して、項目ボタンＯＰ２が押されると、表示画面３Ｄｐに表示された画面が、ユーザー自身の状況を確認するためのカレンダー画面Ｄｙ１７に遷移し得る。
【０２５５】
カレンダー画面Ｄｙ１７では、例えば、運動プログラム情報で決められた１ヶ月分の運動の実施予定日だけでなく、運動の実施日が、他の日とは区別可能な態様で示される。図３７では、運動の実施予定日と運動の実施日とに異なる種類のハッチングが付されているハッチングが付されている。
【０２５６】
カレンダー画面Ｄｙ１７では、例えば、第１ユーザーの動作に応答して、所望の運動の実施日が指定されると、該運動の実施日について、図３８で示されるように、数値登録画面Ｄｙ１４（図２８）と同様な登録済みの数値が記述された画面（数値確認画面とも言う）Ｄｙ１８が、表示画面３Ｄｐに表示され得る。これにより、例えば、第１ユーザーは、ユーザー自身の過去の経緯を確認することができる。なお、数値確認画面Ｄｙ１８において、第１ユーザーの動作に応答してボタンＣＢ１８が押されると、表示画面３Ｄｐに表示される画面は、例えば、数値確認画面Ｄｙ１８からＴＯＰ画面Ｄｙ１に遷移し得る。
【０２５７】
また、例えば、第２ユーザーが使用するユーザー用端末機器が、第１ユーザーのユーザー用端末機器３と同様な機能を有していれば、例えば、第２ユーザーが、サーバー２で管理されている第２ユーザー自身の各種数値に係る情報を、任意のタイミングで閲覧することができる。
【０２５８】
また、例えば、第１ユーザーが、サーバー２で管理されている第２ユーザーの各種数値に係る情報を、任意のタイミングで閲覧することができても良い。この場合、例えば、ユーザー用端末機器３では、第１ユーザーの動作に応答して、第１ユーザーと同一のグループに属し且つ該第１ユーザーとは別のユーザー（他のユーザー）の健康に係る情報が、出力制御部２６５の制御下で、出力部２２によって第１ユーザーが使用するユーザー用端末機器３に出力され得る。このとき、他のユーザーの健康に係る情報は、例えば、図３３および図３４で示された画面と同様な態様で提示される形態が考えられる。また、例えば、第２ユーザーが使用するユーザー用端末機器が、第１ユーザーのユーザー用端末機器３と同様な機能を有していれば、例えば、第２ユーザーが、サーバー２で管理されている第１ユーザーの各種数値に係る情報を、任意のタイミングで閲覧することができる構成が採用されても良い。
【０２５９】
＜(１−５−４−９)運動開始督促機能＞
健康支援機能には、例えば、各ユーザーに対して、運動プログラム情報で規定されている運動の開始を促すための情報が提示される機能（運動開始督促機能とも言う）が含まれていて良い。具体的には、例えば、各ユーザーに対して、運動プログラム情報によって予定されている運動の開始時刻の前あるいは該開始時刻に、運動の開始を促す警告（アラート）がなされても良い。ここで、該アラートは、例えば、サーバー２からの電子メール、およびサーバー２からの情報に応答して動作するアプリケーションソフトによって実現され得る。
【０２６０】
図３９は、表示画面３Ｄｐに表示され得る、運動の開始を促す警告を行う画面（アラート画面とも言う）Ｄｙ１９の一例を示す図である。アラート画面Ｄｙ１９には、例えば、運動を実施する日程およびその開始時刻、ならびに運動の開始を促す文字列が表示され得る。
【０２６１】
ここでは、例えば、出力制御部２６５の制御により、ユーザー毎に、記憶部２４に記憶された該ユーザーに係る運動プログラム情報に基づいて、運動を実施するタイミングを知らせる情報（報知情報とも言う）が、出力部２２によって該ユーザーに対して出力される。出力部２２によるユーザーに対する報知情報の出力としては、例えば、出力部２２によって該ユーザーが使用するユーザー用端末機器に対して報知情報が出力される態様が採用され得る。このとき、該ユーザー用端末機器では、例えば、出力制御部３６６によって、出力部３２に報知情報が可視的に出力され得る。これにより、例えば、運動を実施し忘れることが低減され、健康状態の改善が促進され得る。
【０２６２】
また、アラート画面Ｄｙ１９において、例えば、第１ユーザーの動作に応答してボタンＣＢ１９が押されると、表示画面３Ｄｐに表示される画面は、例えば、アラート画面Ｄｙ１９からＴＯＰ画面Ｄｙ１に遷移し得る。一方、例えば、第１ユーザーの動作に応答してボタンＯＢ１９が押されると、運動の開始に同意したことになり得る。このとき、例えば、出力部３２の表示画面３Ｄｐに表示される画面が、アラート画面Ｄｙ１９から一日表示画面Ｄｙ９（図２３）に遷移する。これにより、ユーザーは、例えば、該一日表示画面Ｄｙ９上で運動プログラム情報に含まれている実施すべき運動の内容を容易に把握することができる。そして、ユーザーは、例えば、該一日表示画面Ｄｙ９等において、運動の実施内容を登録することができる。
【０２６３】
図４０は、運動開始督促機能に係る動作フローの一例を示すフローチャートである。
【０２６４】
図４０のステップＳ１１では、例えば、記憶制御部２６３等によって、複数のユーザーについて、ユーザー毎に、健康状態を示す身体の状態についての１以上の数値の項目に係る数値およびユーザーに係る各種情報が記憶部２４に記憶される。このとき、健康情報ＤＢ２４２およびユーザー情報２４３が構築および更新され得る。
【０２６５】
ステップＳ１２では、例えば、運動プログラム作成部２６８によって、ユーザー毎に、記憶部２４に記憶された情報に基づいて、運動プログラム情報が作成される。このとき、例えば、ユーザー情報２４３だけでなく、健康情報ＤＢ２４２内の数値が利用されて、運動プログラム情報が作成されても良い。ここで作成された運動プログラムが、記憶部２４に記憶されることで、プログラムＤＢ２４７が構築され得る。
【０２６６】
ステップＳ１３では、制御部２６によって、ユーザー毎に、ステップＳ１２で作成された運動プログラム情報が参照されて、運動を開始するタイミングであるか否かが判定される。ここで、ユーザーが運動を開始するタイミングになるまでステップＳ１３の処理が繰り返され、運動を開始するタイミングとなれば、ステップＳ１４に進む。
【０２６７】
ステップＳ１４では、出力制御部２６５によって運動を開始するタイミングとなったユーザー（ここでは、ユーザー用端末機器）に対して出力部２２を介して報知情報が出力され得る。例えば、第１ユーザーが使用するユーザー用端末機器３に報知情報が入力された場合には、該ユーザー用端末機器３では、出力制御部３６６等によって、出力部３２の表示画面３Ｄｐに、報知情報に係るアラート画面Ｄｙ１９が提示され得る。
【０２６８】
そして、ステップＳ１５では、制御部２６によって、運動プログラム情報の対象期間が終了しているか否か判断され、運動プログラム情報の対象期間が終了していなければ、ステップＳ１３に戻り、運動プログラム情報の対象期間が終了していれば、本動作フローが終了し得る。
【０２６９】
また、情報処理システム１では、例えば、各ユーザーに対して、該ユーザーと特定の関係を有する他のユーザーによる運動の開始時刻あるいは運動プログラム情報に応じた特定の動作等に応答して、運動の開始を促す報知がなされても良い。ここで、該ユーザーと特定の関係を有する他のユーザーとしては、例えば、該ユーザーと同一のグループに属する他のユーザー等が採用され得る。特定の動作には、例えば、他のユーザーの動作に応答した、運動の開始の指定、および運動の実施に係る情報の記録等が含まれ得る。また、ここで、報知には、例えば、サーバー２からの電子メールによる報知、およびサーバー２からの情報に応答して動作するアプリケーションソフトによる報知等が含まれ得る。該報知は、例えば、可視的なものであっても良いし、可聴的なものであっても良い。
【０２７０】
ここでは、例えば、出力制御部２６５によって、他のユーザーの動作に応答して、該他のユーザーについての健康状態を改善するための運動に係る情報が、出力部２２によって第１ユーザーに対して出力され得る。具体的には、例えば、出力制御部２６５の制御により、予め設定されたルールに沿ったタイミングにおいて、第２ユーザーの運動に係る情報が、出力部２２によって第１ユーザーに対して出力される。ここで、予め設定されたルールに沿ったタイミングには、例えば、第２ユーザーの動作に応答して認識される、第２ユーザーが運動を開始したタイミング、および第２ユーザーが運動を実施したタイミングのうちの少なくとも一方のタイミングが含まれ得る。これにより、例えば、他のユーザーの動向に刺激され、健康状態を改善するための運動の実施に対するユーザーのやる気が更に向上され得る。
【０２７１】
図４１は、表示画面３Ｄｐに表示され得る、他のユーザーによる運動の開始を知らせる画面（運動開始報知画面とも言う）Ｄｙ２０の一例を示す図である。運動開始報知画面Ｄｙ２０には、例えば、他のユーザーが運動を開始した旨を示すユーザーの名前を含む文字列、ならびに運動を実施する日程およびその開始時刻等が表示され得る。また、運動開始報知画面Ｄｙ２０において、例えば、第１ユーザーの動作に応答してボタンＣＢ２０が押されると、表示画面３Ｄｐに表示される画面は、例えば、運動開始報知画面Ｄｙ２０からＴＯＰ画面Ｄｙ１に遷移し得る。一方、例えば、第１ユーザーの動作に応答してボタンＯＢ２０が押されると、出力部３２の表示画面３Ｄｐに表示される画面が、例えば、運動開始報知画面Ｄｙ２０から、他のユーザーの運動プログラム情報によって当日予定されている運動の内容を確認するための画面（運動確認画面とも言う）Ｄｙ２１に遷移し得る。
【０２７２】
図４２は、運動確認画面Ｄｙ２１の一例を示す図である。運動確認画面Ｄｙ２１には、例えば、運動プログラム情報に係るユーザー名、および運動の内容についての情報が提示される。運動の内容には、例えば、運動の実施に係る日時、運動の種類、および運動の実施時間等についての各種情報が含まれ得る。これにより、第１ユーザーは、例えば、運動確認画面Ｄｙ２１上で、他のユーザーに係る運動プログラム情報に含まれている実施すべき運動の内容を容易に把握することができる。
【０２７３】
図４３は、第２ユーザーによる運動の開始を報知する動作フローの一例を示すフローチャートである。
【０２７４】
図４３のステップＳ２１では、例えば、制御部２６によって、第２ユーザーが運動を開始したか否かが判定される。ここでは、例えば、第２ユーザーが運動の開始に係る動作を行ったことに応答して、第２ユーザーが使用するユーザー用端末機器からサーバー２に対して、特定の信号が送信されれば良い。そして、サーバー２では、例えば、制御部２６によって、特定の信号の入力に応じて、第２ユーザーが運動を開始したことが認識され得る。ここで、第２ユーザーが運動を開始するまで、ステップＳ２１の判定が繰り返され、第２ユーザーが運動を開始すれば、ステップＳ２２に進む。
【０２７５】
ステップＳ２２では、例えば、出力制御部２６５によって、第２ユーザーによる運動の開始を示す情報が、第１ユーザーに対して出力される。このとき、例えば、第１ユーザーが使用するユーザー用端末機器３において、第２ユーザーによる運動の開始を示す情報が、表示画面３Ｄｐにおいて可視的に出力され得る。ここで、ステップＳ２２の処理が終了すると、次回の第２ユーザーによる運動の開始に備えて、ステップＳ２１に戻る。
【０２７６】
つまり、本動作フローでは、ステップＳ２１とステップＳ２２の動作が繰り返される。なお、例えば、運動プログラム情報の対象期間が終了するタイミング、あるいは管理者による指示等に応じて、本動作フローが強制的に終了され得る。
【０２７７】
ところで、運動確認画面Ｄｙ２１において、例えば、第１ユーザーの動作に応答してボタンＣＢ２１が押されると、表示画面３Ｄｐに表示される画面は、例えば、運動確認画面Ｄｙ２１からＴＯＰ画面Ｄｙ１に遷移し得る。また、例えば、第１ユーザーの動作に応答してボタンＧＢ２１が押されると、運動確認画面Ｄｙ２１で示されている他のユーザーに係る運動の内容を良好に評価する情報（評価情報とも言う）が入力され得る。ここでは、例えば、ユーザー評価部２６９によって、第１ユーザー以外の他のユーザーの運動の実施に係る情報の出力部２２による該第１ユーザーに対する出力に対し、該第１ユーザーの動作に応答して入力される該他のユーザーの運動の実施に対する評価に係る評価情報が取得され得る。該評価情報は、例えば、記憶制御部２６３によってユーザー毎に記憶部２４に記憶され得る。該評価情報は、ユーザー毎だけでなく、例えば、グループ毎に記憶されても良い。
【０２７８】
また、例えば、第２ユーザーが使用するユーザー用端末機器が、第１ユーザーが使用するユーザー用端末機器３と同様な機能を有していれば、ユーザー間において、相互に評価情報が入力され得る。これにより、例えば、同一のグループ内でユーザーが相互に評価し合うことで、健康状態を改善するための運動の実施に対するユーザーのやる気の更なる向上が図られ得る。
【０２７９】
また、ここで、記憶部２４に蓄積される評価情報の蓄積数に応じて、いわゆるバッジが各ユーザーおよび各グループに付与されても良い。ここでは、例えば、評価情報の蓄積数が、例えば、予め設定された閾値を超えることで、各ユーザーおよび各グループの少なくとも一方に、いわゆるバッジが付与される態様が考えられる。ここで、閾値は、１つでも良いし、複数の閾値が設定されていても良い。このバッジの付与は、例えば、バッジ付与部２７３によって実施され得る。そして、ここで付与されるバッジに係る情報は、例えば、記憶制御部２６３によって、評価情報ＤＢ２４９において、各ユーザーおよび各グループに対して関連付けられて記憶され得る。
【０２８０】
＜(１−５−４−１０)実施状況閲覧機能＞
健康支援機能には、例えば、各ユーザーが、ユーザー自身による運動プログラム情報に沿った運動の実施状況に係る情報を閲覧することができる機能（実施状況閲覧機能とも言う）が含まれていて良い。この機能によれば、例えば、各ユーザーは、ユーザー自身が実施した運動の結果を見て反省することができる。これにより、運動の実施に対するユーザーのやる気が更に向上し得る。
【０２８１】
例えば、ユーザー用端末機器３において、第１ユーザーの動作に応答して、ＴＯＰ画面Ｄｙ１の項目ボタンＯＰ３が押されると、表示画面３Ｄｐに表示される画面が、ＴＯＰ画面Ｄｙ１から、ユーザー自身による運動プログラム情報に沿った運動の実施状況に係る情報を表示する画面（状況確認画面とも言う）Ｄｙ２２に遷移し得る。
【０２８２】
このとき、第１ユーザー自身による運動プログラム情報に沿った運動の実施状況に係る情報が、情報取得部２６４によって記憶部２４の運動情報ＤＢ２４８から取得され得る。ここで、運動プログラム情報に沿った運動の実施状況に係る情報には、例えば、目標達成率および総運動時間等が含まれ得る。また、このとき、例えば、情報取得部２６４によって運動情報ＤＢ２４８から、第１ユーザーが属するグループに係る目標達成率および総運動時間の統計値、および或る疾患に係る全被支援者に係る目標達成率および総運動時間の統計値が取得されても良い。ここで、統計値には、例えば、平均値、中央値および最頻値等が含まれ得る。情報取得部２６４によって取得された情報は、出力制御部２６５の制御により、出力部２２によって第１ユーザーが使用するユーザー用端末機器３に出力され得る。そして、ユーザー用端末機器３では、例えば、出力部３２によって、目標達成率および総運動時間についての情報が表示され得る。
【０２８３】
図４４は、状況確認画面Ｄｙ２２を例示する図である。状況確認画面Ｄｙ２２では、例えば、第１ユーザーについての目標達成率および総運動時間が表示される。また、状況確認画面Ｄｙ２２には、例えば、第１ユーザーが属するグループについての目標達成率の平均および総運動時間の平均、ならびに或る疾患に係る全被支援者についての目標達成率の平均および総運動時間の平均が表示される。これにより、ユーザーは、随時、ユーザー自身が実施した運動の結果を示す目標達成率と総運動時間を確認することができ、更に、例えば、それらの値が、グループおよび大きな集団において如何なる位置付けにあるのか把握することが可能である。ところで、状況確認画面Ｄｙ２２において、例えば、第１ユーザーの動作に応答してボタンＮＢ２２が押されると、表示画面３Ｄｐに表示される表示画面が、状況確認画面Ｄｙ２２から状況確認画面Ｄｙ２３に遷移し得る。
【０２８４】
このとき、情報取得部２６４によって、記憶部２４のバッジ付与情報２５０から、第１ユーザーに対するバッジの付与に係る情報が取得され得る。情報取得部２６４によって取得された情報は、出力制御部２６５の制御により、出力部２２によって第１ユーザーが使用するユーザー用端末機器３に出力され得る。そして、ユーザー用端末機器３では、例えば、出力部３２によって、第１ユーザーに対するバッジの付与に係る情報、ならびに目標達成率および総運動時間についての情報が表示され得る。
【０２８５】
図４５は、状況確認画面Ｄｙ２３を例示する図である。状況確認画面Ｄｙ２３では、例えば、実施状況を確認している時点における、第１ユーザーに対するバッジの付与数に係る情報が示されるとともに、第１ユーザー、該第１ユーザーが属するグループ、および全被支援者のそれぞれについての目標達成率と総運動時間についての相対的な数値の関係が示される。ところで、状況確認画面Ｄｙ２３において、例えば、第１ユーザーの動作に応答してボタンＮＢ２３が押されると、表示画面３Ｄｐに表示される表示画面が、状況確認画面Ｄｙ２３から状況確認画面Ｄｙ２４に遷移し得る。
【０２８６】
このとき、情報取得部２６４によって、記憶部２４の評価情報ＤＢ２４９から、第１ユーザーに係る評価情報の蓄積数の情報が取得され、記憶部２４の運動情報ＤＢ２４８から、該第１ユーザーが属するグループの他のユーザーが直近に実施した運動の情報が取得され得る。直近に実施した運動の情報には、例えば、ユーザー毎の運動時間が含まれる。そして、情報取得部２６４によって取得された情報は、出力制御部２６５の制御により、出力部２２によって第１ユーザーが使用するユーザー用端末機器３に出力され得る。そして、ユーザー用端末機器３では、例えば、出力部３２によって、第１ユーザーに係る評価情報の蓄積数の情報、ならびに該第１ユーザーが属するグループの他のユーザーが直近に実施した運動の情報が表示され得る。
【０２８７】
図４６は、状況確認画面Ｄｙ２４を例示する図である。図４６の状況確認画面Ｄｙ２４では、例えば、上部に、第１ユーザーに係る評価情報の蓄積数が表示される。そして、その下に、例えば、第１ユーザーが属するグループの他のユーザーが直近に実施した運動の情報が表示される。直近に実施した運動の情報については、例えば、他のユーザー（Ｂ〜Ｅさんの順）に、３０分、２０分、２０分、２０分と言った運動時間がそれぞれ表示される。そして、図４６の状況確認画面Ｄｙ２４では、他のユーザー（Ｂ〜Ｅさん）に対してそれぞれ、ボタンＧＢ２４１〜ＧＢ２４４が設けられている。
【０２８８】
ここでは、例えば、第１ユーザーは、自分自身の評価情報の蓄積数を確認することができるとともに、他のユーザーが直近に実施した運動の状況を視認することができる。そして、所望のボタンＧＢ２４１〜ＧＢ２４４を押すことで、他のユーザーに対して、運動の内容を良好に評価する評価情報を入力させることができる。ここで入力される評価情報は、例えば、記憶部２４内の評価情報ＤＢ２４９において対応するユーザー毎に記憶され得る。すなわち、ユーザー毎に評価情報が蓄積され得る。このとき、評価情報ＤＢ２４９内に、ユーザー毎だけなく、グループ毎の評価情報の蓄積数が記憶されていれば、ユーザー毎だけでなく、グループ毎の評価情報の蓄積数も更新され得る。ところで、状況確認画面Ｄｙ２４において、例えば、第１ユーザーの動作に応答してボタンＮＢ２４が押されると、表示画面３Ｄｐに表示される表示画面が、状況確認画面Ｄｙ２４から状況確認画面Ｄｙ２５に遷移し得る。
【０２８９】
このとき、情報取得部２６４によって、記憶部２４のバッジ付与情報２５０から、第１ユーザーに対するバッジの付与に係る情報が取得され得る。情報取得部２６４によって取得された情報は、出力制御部２６５の制御により、出力部２２によって第１ユーザーが使用するユーザー用端末機器３に出力され得る。そして、ユーザー用端末機器３では、例えば、出力部３２によって、第１ユーザーに対するバッジの付与に係る各種情報が表示され得る。
【０２９０】
図４７は、状況確認画面Ｄｙ２５を例示する図である。図４７の状況確認画面Ｄｙ２５では、例えば、上部に、第１ユーザーに付与されたバッジの一覧が表示される。そして、下部に、例えば、第１ユーザーに未だ付与されていないバッジの一覧が表示される。これにより、第１ユーザーは、該第１ユーザー自身に対するバッジの付与の状況について確認することができる。その結果、健康状態を改善するための運動の実施に対するユーザーのやる気の更なる向上が図られ得る。ところで、状況確認画面Ｄｙ２５において、例えば、第１ユーザーの動作に応答してボタンＲＢ２５が押されると、表示画面３Ｄｐに表示される表示画面が、状況確認画面Ｄｙ２５からＴＯＰ画面Ｄｙ１に遷移し得る。
【０２９１】
ここまで、第１ユーザーによる、該第１ユーザー自身による運動プログラム情報に沿った運動の実施状況に係る情報を閲覧する態様について説明したが、これに限られない。例えば、第１ユーザーによって、健康状態が近い他のユーザーとしての第２ユーザーによる運動プログラム情報に沿った運動の実施状況に係る情報が閲覧可能であっても良い。
【０２９２】
ここで、第１ユーザーによって、該第１ユーザーが属するグループの他のユーザーについても、運動プログラム情報に沿った運動の実施状況に係る情報が閲覧され得る一例を挙げて説明する。
【０２９３】
例えば、ユーザー用端末機器３において、第１ユーザーの動作に応答して、ＴＯＰ画面Ｄｙ１の項目ボタンＯＰ４が押されると、表示画面３Ｄｐに表示される画面が、ＴＯＰ画面Ｄｙ１から、運動プログラム情報に沿った運動の実施状況に係る情報が閲覧されるユーザーを選択する画面（ユーザー選択画面とも言う）Ｄｙ２６に遷移し得る。
【０２９４】
このとき、情報取得部２６４によって、ユーザー分類情報２４５から、第１ユーザーが属するグループの他のユーザーの名前が取得され得る。ここで取得される名前は、出力制御部２６５の制御により、出力部２２によって第１ユーザーが使用するユーザー用端末機器３に出力され得る。そして、ユーザー用端末機器３では、例えば、出力部３２によって、他のユーザーの名前についての情報が表示され得る。
【０２９５】
図４８は、ユーザー選択画面Ｄｙ２６を例示する図である。ユーザー選択画面Ｄｙ２６には、例えば、第１ユーザーと同一のグループに属する他のユーザーの名前を示す名前ボタンＯＰ２６１〜ＯＰ２６３が列挙される。具体的には、例えば、Ｅさんに係る名前ボタンＯＰ２６１、Ｂさんに係る名前ボタンＯＰ２６２およびＱさんに係る名前ボタンＯＰ２６３が列挙される。ユーザー選択画面Ｄｙ２６では、例えば、第１ユーザーの動作に応答して、名前ボタンＯＰ２６１〜ＯＰ２６３のうちの１つの名前ボタンが選択的に押され得る。
【０２９６】
例えば、名前ボタンＯＰ２６１が押されると、表示画面３Ｄｐに表示される画面が、ユーザー選択画面Ｄｙ２６から、名前ボタンＯＰ２６１に係るユーザーであるＥさんによる運動プログラム情報に沿った運動の実施状況に係る情報を表示する状況確認画面に遷移し得る。また、例えば、名前ボタンＯＰ２６２が押されると、表示画面３Ｄｐに表示される画面が、ユーザー選択画面Ｄｙ２６から、名前ボタンＯＰ２６２に係るユーザーであるＢさんによる運動プログラム情報に沿った運動の実施状況に係る情報を表示する状況確認画面に遷移し得る。また、例えば、名前ボタンＯＰ２６３が押されると、表示画面３Ｄｐに表示される画面が、ユーザー選択画面Ｄｙ２６から、名前ボタンＯＰ２６３に係るユーザーであるＱさんによる運動プログラム情報に沿った運動の実施状況に係る情報を表示する状況確認画面に遷移し得る。
【０２９７】
ここでは、第１ユーザーが属するグループの他のユーザーに係る状況確認画面は、運動プログラム情報に沿った運動の実施状況に係る情報についての閲覧の被対象者としてのユーザーが異なるものの、図４４で示された状況確認画面Ｄｙ２２と同様な画面となり得る。そして、該状況確認画面Ｄｙ２２と同様な画面を起点として、第１ユーザーの動作に応答して、表示画面３Ｄｐに表示される画面が、状況確認画面Ｄｙ２２〜Ｄｙ２５の間で遷移し得る。これにより、例えば、同一のグループ内で、随時ユーザーが相互に運動の実施状況に係る情報を閲覧することができる。すなわち、健康状態を改善するための運動の実施に対するユーザーのやる気が更に向上され得る。
【０２９８】
なお、ここで、例えば、第１ユーザーによって、所望のタイミングで、第１ユーザー自身と特定の関係を満たす第２ユーザーについての運動の実施状況に係る情報の閲覧が可能な態様が採用されても良い。
【０２９９】
ところで、ユーザー選択画面Ｄｙ２６において、例えば、第１ユーザーの動作に応答してボタンＲＢ２６が押されると、表示画面３Ｄｐに表示される表示画面が、ユーザー選択画面Ｄｙ２６からＴＯＰ画面Ｄｙ１に遷移し得る。
【０３００】
＜(１−５−４−１１)グループタイム報知機能＞
健康支援機能には、例えば、グループ毎に、同一のグループに属する複数のユーザーの間で運動を実施するタイミングが共通する時間帯（共通時間帯とも言う）をグループタイムとして報知する機能（グループタイム報知機能とも言う）が含まれていて良い。この機能によれば、例えば、健康の状態が近いユーザー同士が、運動を実施する共通のタイミングを知ることができ、健康状態を改善するための運動の実施に対するユーザーのやる気が更に向上され得る。
【０３０１】
ここでは、例えば、時間帯認識部２７２によって、記憶部２４に記憶されたプログラムＤＢ２４７にユーザー毎に含まれた運動プログラム情報に基づいて、共通時間帯が認識され得る。そして、例えば、共通時間帯を知らせる情報（共通時間帯情報とも言う）が、出力制御部２６５によって、或るユーザーおよび該或るユーザーに対して特定の関係を満たす１以上のユーザーに対して出力され得る。ここで、共通時間帯は、例えば、或るユーザーと、該或るユーザーに対して特定の関係を満たす１以上のユーザーとの間で、運動を実施するタイミングが共通する時間帯である。特定の関係は、例えば、健康状態を示す身体の状態に係る１以上の数値の項目のうちの１以上の特定の項目に係る数値についての特定の関係を意味する。
【０３０２】
具体的には、特定の関係として、例えば、同一のグループに属する関係が採用され得る。この場合、共通時間帯は、例えば、同一のグループに属する全てのユーザーの間で運動を実施するタイミングが共通する時間帯であっても良いし、同一のグループに属する２以上の特定数のユーザーの間で運動を実施するタイミングが共通する時間帯であっても良い。なお、特定の関係は、例えば、１以上の特定の項目の数値が最も近い関係等のその他の関係であっても良い。また、或るユーザーは、例えば、ユーザー用端末機器３を使用する第１ユーザーであれば良く、該或るユーザーと特定の関係を満たす他のユーザーには、例えば、第２ユーザーが含まれ得る。この場合、第１ユーザーが使用するユーザー用端末機器３および第２ユーザーが使用するユーザー用端末機器では、出力制御部３６６によって、共通時間帯情報が出力部３２において可視的あるいは可聴的に出力され得る。
【０３０３】
これにより、第１ユーザーは、例えば、同一のグループに属する他のユーザーとともに運動を実施するべき時間帯の存在に気が付くことができる。つまり、例えば、ユーザーは、健康の状態が近い他のユーザーと共通して運動を実施するタイミングを知ることが可能である。このため、例えば、同一のグループ内においてユーザー同士が刺激し合うことが可能となる。その結果、例えば、健康状態を改善するための運動の実施に対するユーザーのやる気が更に向上され得る。
【０３０４】
図４９は、表示画面３Ｄｐに表示される共通時間帯情報を報知する画面（共通時間帯報知画面とも言う）Ｄｙ２７の一例を示す図である。共通時間帯報知画面Ｄｙ２７の上部には、共通時間帯を報知する情報が示され得る。
【０３０５】
また、共通時間帯報知画面Ｄｙ２７において、例えば、第１ユーザーの動作に応答してボタンＣＢ２７が押されると、表示画面３Ｄｐに表示される画面は、例えば、共通時間帯報知画面Ｄｙ２７からＴＯＰ画面Ｄｙ１に遷移し得る。一方、共通時間帯報知画面Ｄｙ２７において、例えば、第１ユーザーの動作に応答してボタンＯＢ２７が押されると、運動の開始に同意したことになり得る。このとき、例えば、表示画面３Ｄｐに表示される画面が、共通時間帯報知画面Ｄｙ２７から一日表示画面Ｄｙ９（図２３）に遷移し得る。これにより、第１ユーザーは、例えば、該一日表示画面Ｄｙ９上で運動プログラム情報に沿って実施すべき運動の内容を容易に把握することができる。そして、第１ユーザーは、実施すべき運動を容易に開始することが可能であり、例えば、一日表示画面Ｄｙ９において、運動の実施内容を登録することができる。
【０３０６】
また、或るグループにおいて、共通時間帯に運動プログラム情報に沿った運動を実施したユーザーには、バッジが付与されても良い。この場合、例えば、バッジ付与部２７３によって、共通時間帯における運動プログラム情報に沿ったユーザーによる運動の実施に応じて、該ユーザーに特定のバッジが付与され得る。特定のバッジには、例えば、共通時間帯における運動プログラム情報に沿った運動の実施に対するバッジ、および共通時間帯に同一のグループ内の特定人数のユーザーによる運動プログラム情報に沿った運動の実施に対するバッジが含まれ得る。また、特定のバッジには、例えば、共通時間帯が存在する複数の日程について特定日数連続して健康支援システムにログインしたことに対するバッジ等が含まれても良い。
【０３０７】
ここで付与されるバッジに係る情報は、記憶制御部２６３によって記憶部２４のバッジ付与情報２５０に記憶され得る。これにより、例えば、共通時間帯における運動の実施によって、同一のグループに属するユーザーは効率良く、バッジを獲得することが可能である。その結果、例えば、そのグループにおけるバッジの獲得数が増加し得る。したがって、例えば、健康状態を改善するための運動の実施に対するユーザーのやる気が更に向上され得る。
【０３０８】
また、例えば、第１ユーザーと同じグループに属する他のユーザーが運動プログラム情報に沿った運動を実施し始めれば、該他のユーザーが運動を実施し始めた旨の報知（他ユーザー開始報知とも言う）が、第１ユーザーのユーザー用端末機器３に対して行われても良い。ここでは、例えば、他のユーザーが運動を実施し始めた情報が、該他のユーザーが使用するユーザー用端末機器からサーバー２に送出され、サーバー２で該情報が記憶部２４に記憶されるとともに、出力制御部２６５によって、該情報が、第１ユーザーが使用するユーザー用端末機器３に出力され得る。このとき、ユーザー用端末機器３では、例えば、出力制御部３６６によって、表示画面３Ｄｐに表示される画面が、共通時間帯報知画面Ｄｙ２７等から、他ユーザー開始報知を示す画面（他ユーザー開始報知画面とも言う）Ｄｙ２８に遷移され得る。
【０３０９】
図５０は、他ユーザー開始報知画面Ｄｙ２８の一例を示す図である。他ユーザー開始報知画面Ｄｙ２８の上部には、共通時間帯において他のユーザーが運動を開始し始めた旨を報知する情報が示され得る。
【０３１０】
また、他ユーザー開始報知画面Ｄｙ２８には、例えば、ボタンＣＢ２８，ＫＢ２８，ＯＢ２８が設けられている。ここで、例えば、第１ユーザーの動作に応答してボタンＣＢ２８が押されると、表示画面３Ｄｐに表示される画面は、例えば、他ユーザー開始報知画面Ｄｙ２８からＴＯＰ画面Ｄｙ１に遷移し得る。また、例えば、第１ユーザーの動作に応答してボタンＯＢ２８が押されると、運動の開始に同意したことになり得る。このとき、例えば、表示画面３Ｄｐに表示される画面が、他ユーザー開始報知画面Ｄｙ２８から一日表示画面Ｄｙ９（図２３）に遷移し得る。また、例えば、第１ユーザーの動作に応答してボタンＫＢ２８が押されると、表示画面３Ｄｐで表示される画面は、例えば、他ユーザー開始報知画面Ｄｙ２８から、該他ユーザー開始報知画面Ｄｙ２８で報知された運動を開始し始めた他のユーザーの状況を確認するための画面（他ユーザー状況確認画面とも言う）Ｄｙ２９に遷移され得る。
【０３１１】
図５１は、他ユーザー状況確認画面Ｄｙ２９の一例を示す図である。他ユーザー状況確認画面Ｄｙ２９には、例えば、状況が確認される対象者としての他のユーザーのバッジの取得状況に係る情報が表示され得る。ここで、バッジの取得状況に係る情報には、例えば、既に付与されたバッジおよび未だ付与されていないバッジを示す情報が含まれ得る。これにより、例えば、第１ユーザーは、他のユーザーのバッジの取得状況を確認することができる。
【０３１２】
また、他ユーザー状況確認画面Ｄｙ２９において、例えば、第１ユーザーの動作に応答してボタンＣＢ２９が押されると、表示画面３Ｄｐに表示される画面は、他ユーザー状況確認画面Ｄｙ２９からＴＯＰ画面Ｄｙ１に遷移し得る。また、他ユーザー状況確認画面Ｄｙ２９において、例えば、第１ユーザーの動作に応答してボタンＯＢ２９が押されると、表示画面３Ｄｐに表示される画面が、他ユーザー状況確認画面Ｄｙ２９から一日表示画面Ｄｙ９（図２３）に遷移し得る。
【０３１３】
＜(１−５−４−１２)期間後処理機能＞
健康支援機能には、例えば、運動プログラム情報の対象期間が終了した後に各種の処理を行う機能（期間後処理機能とも言う）が含まれていて良い。この機能によれば、例えば、運動プログラム情報に沿った全運動の実施結果に応じた情報が得られることで、例えば、健康状態を改善するための運動の実施に対するユーザーのやる気が更に向上され得る。
【０３１４】
ここでは、例えば、記憶部２４に記憶された第１ユーザーに係る運動プログラム情報の対象期間が終了した後に、数値登録画面Ｄｙ１４（図２８）において、第１ユーザーの動作に応答して、各種測定値が記入されて、ボタンＣＢ１４が押されると、数値登録画面Ｄｙ１４における情報の記録が完了される。このとき、数値登録画面Ｄｙ１４に記述された情報は、例えば、記憶制御部２６３によって、運動情報ＤＢ２４８および健康情報ＤＢ２４２に記憶され得る。また、このとき、例えば、表示画面３Ｄｐに表示される画面が、数値登録画面Ｄｙ１４から、運動プログラム情報に沿った運動の実施に対する結果を提示する画面（結果提示画面とも言う）Ｄｙ３０に遷移し得る。
【０３１５】
図５２は、結果提示画面Ｄｙ３０の一例を示す図である。結果提示画面Ｄｙ３０には、例えば、運動プログラム情報の対象期間の終了時における、目標達成率、総運動時間、体重およびＨｂＡ１ｃ等の項目についての数値が提示され得る。なお、ここでは、例えば、運動プログラム情報で予定されていた総運動時間が併記され、体重およびＨｂＡ１ｃ等の項目についてはユーザー自身が設定した目標値が併記され得る。また、結果提示画面Ｄｙ３０には、例えば、運動プログラム情報の対象期間において第１ユーザーに付与されたバッジに係る情報が提示され得る。
【０３１６】
ここでは、例えば、バッジ付与部２７３によって、例えば、或るユーザーに係る運動プログラム情報の対象期間が終了した後に、記憶部２４に記憶された、該或るユーザーに係る運動の実施についての各種情報に基づいて、該或るユーザーに対して特定のバッジが付与され得る。そして、例えば、或るユーザーに対して、付与された特定のバッジに係る情報が提示され得る。これにより、例えば、健康状態を改善するための運動の実施に対するユーザーのやる気が高められ得る。なお、バッジ付与部２７３によって各ユーザーに付与されたバッジに係る情報は、例えば、記憶制御部２６３によって記憶部２４に記憶され得る。或るユーザーは、例えば、第１ユーザーであれば良い。
【０３１７】
ここで、第１ユーザーに係る運動の実施についての各種情報には、例えば、該第１ユーザーに係る、他ユーザーからの評価情報、目標値に係る情報と実際の数値に係る情報との関係を示す情報、実施度合いの情報、および運動を実施した運動時間の合計値（総運動時間）を示す情報等が含まれ得る。
【０３１８】
例えば、第１ユーザーに係る運動の実施についての各種情報が、該第１ユーザーに係る他ユーザーからの評価情報である場合、バッジ付与部２７３によって、評価情報ＤＢ２４９に記憶された第１ユーザーに係る評価情報に応じて、該第１ユーザーに対して特定のバッジが付与され得る。具体的には、例えば、運動プログラム情報の対象期間における第１ユーザーに対する評価情報の蓄積数に応じて、該第１ユーザーに特定のバッジが付与され得る。
【０３１９】
また、例えば、第１ユーザーに係る運動の実施についての各種情報が、該第１ユーザーに係る、目標値に係る情報と実際の数値に係る情報との関係を示す情報である場合、例えば、該関係が予め設定された条件を満足していれば特定のバッジが付与され得る。ここで、該関係としては、例えば、目標値に係る数値の項目が体重であれば、体重の実測値から体重の目標値が減じられた値（差分）が採用され得る。この場合、予め設定された条件としては、例えば、体重の差分が、予め設定された値域に含まれている条件等が採用され得る。予め設定された値域は、例えば、５ｋｇ以下等といった値域に設定されても良いし、５ｋｇ以下および３ｋｇ以下等といった具合に複数段階の値域に設定されても良い。
【０３２０】
また、例えば、第１ユーザーに係る運動の実施についての各種情報が、該第１ユーザーに係る、実施度合いの情報である場合、例えば、実施度合い演算部２７１によって求められる実施度合いが、予め設定された条件を満足していれば特定のバッジが付与され得る。ここで、実施度合いとしては、例えば、目標達成率が採用され得る。この場合、予め設定された条件としては、例えば、目標達成率が、予め設定された値域に含まれている条件等が採用され得る。予め設定された値域は、例えば、８０〜１００％等といった値域に設定されても良いし、６０〜８０％および８０〜１００％等といった具合に複数段階の値域に設定されても良い。
【０３２１】
また、例えば、第１ユーザーに係る運動の実施についての各種情報が、運動を実施した運動時間の合計値（総運動時間）を示す情報である場合、例えば、第１ユーザーの運動プログラム情報の対象期間における該第１ユーザーによる運動の実施時間の合計値が、予め設定された値域に含まれていれば特定のバッジが付与され得る。ここで、予め設定された値域は、例えば、第１ユーザーに係る運動プログラム情報で規定されていた運動時間の予定の合計値（予定総運動時間とも言う）に応じて決定され得る。例えば、予め設定された値域は、予定総運動時間に０．８を乗じた値を下限値とし、予定総運動時間を上限値とする値域に設定され得る。
【０３２２】
なお、ここでは、第１ユーザーに対するバッジの付与について説明したが、バッジ付与部２７３は、例えば、複数のユーザーのうちの第１ユーザー以外の残余のユーザーのそれぞれに対しても、第１ユーザーと同様に、特定のバッジを付与し得る。
【０３２３】
また、結果提示画面Ｄｙ３０において、例えば、第１ユーザーの動作に応答してボタンＮＢ３０が押されると、表示画面３Ｄｐに表示される画面が、結果提示画面Ｄｙ３０から次の結果提示画面Ｄｙ３１に遷移し得る。
【０３２４】
図５３は、結果提示画面Ｄｙ３１の一例を示す図である。結果提示画面Ｄｙ３０には、例えば、運動プログラム情報の対象期間中に、第１ユーザーに付与されたバッジの総数（総バッジポイントとも言う）、運動プログラム情報に対する取り組みについてのコメント（総評コメントとも言う）、および第１ユーザーが次回に属するグループについての情報が提示され得る。
【０３２５】
ここでは、総バッジポイントは、例えば、情報取得部２６４等によって、バッジ付与情報２５０が参照されることで得られる。なお、図５３では、総バッジポイントが、１１２ポイントである例が示されている。
【０３２６】
また、総評コメントは、例えば、制御部２６によって適宜作成され得る。このとき、例えば、記憶部２４に、目標達成率、予定総運動時間に対する実際の総運動時間の比率、体重の目標値に対する実際の測定値の比率、ならびにＨｂＡ１ｃおよび総バッジポイントそれぞれについての値域、あるいはその組み合わせ等に対して、１以上のコメントからなる総評コメントが予め記憶されている態様が考えられる。これにより、運動プログラム情報に沿った運動の実施結果から容易に総評コメントが作成され得る。
【０３２７】
また、例えば、ユーザー分類部２６７によって、第１ユーザーに係る運動プログラム情報に沿った運動の実施によって得られた結果に応じて，第１ユーザーが属するグループが再び設定され得る。つまり、記憶部２４に記憶された第１ユーザーに係る運動プログラム情報の対象期間が終了された後に、再度、組分け処理が行われる。このとき、この再度の組分け処理によって、複数のユーザーが２以上のグループに分類された結果を示すユーザー分類情報２４５が記憶部２４に記憶され得る。これにより、例えば、運動プログラムの終了時の結果に応じて、ユーザーが属するグループが変更されることで、健康状態を改善するための運動の実施に対するユーザーのやる気が高められ得る。特に、ユーザーは、変化を感じることで、無理なく、飽きることなく運動を続けていくことが出来る。
【０３２８】
なお、図５３で示される結果提示画面Ｄｙ３１には、例えば、第１ユーザーとしてのＡさんによる運動プログラム情報に沿った運動の実施によって得られた結果に応じて、Ａさんが次回に属するグループが、グループＣからグループＢにランクアップする旨が示されている。ここで、運動プログラム情報に沿った運動の実施によって得られた結果には、例えば、目標達成率、予定総運動時間に対する実際の総実施時間の比率、体重の目標値に対する実際の測定値の比率、およびＨｂＡ１ｃの目標値に対する実際の測定値の比率等が含まれ得る。
【０３２９】
また、結果提示画面Ｄｙ３１において、例えば、第１ユーザーの動作に応答してボタンＳＢ３１が押されると、第１ユーザーに対する新たな運動プログラム情報の作成に係る処理が行われる。そして、表示画面３Ｄｐに表示される画面が、結果提示画面Ｄｙ３１から新たな運動プログラム情報に係る運動プログラム提示画面Ｄｙ４（図１８）に遷移し得る。
【０３３０】
ところで、例えば、ユーザー用端末機器３〜７のうちの第２ユーザーが使用する何れか１つのユーザー用端末機器においても、第１ユーザーが使用するユーザー用端末機器３と同様な機能を有している。このため、第２ユーザーが使用するユーザー用端末機器の表示画面３Ｄｐには、結果提示画面Ｄｙ３０（図５２）と同様な結果提示画面Ｄｙ３２（図５４）、および結果提示画面Ｄｙ３１（図５３）と同様な結果提示画面Ｄｙ３３（図５５）が表示され得る。なお、結果提示画面Ｄｙ３３には、例えば、第２ユーザーとしてのＺさんによる運動プログラム情報に沿った運動の実施によって得られた結果に応じて、Ｚさんが次回に属するグループが、グループＣからグループＤにランクダウンする旨が示されている。なお、第１ユーザーの動作に応答して結果提示画面Ｄｙ３２のボタンＮＢ３２が押されると、表示画面３Ｄｐに表示される画面が、結果提示画面Ｄｙ３２から次の結果提示画面Ｄｙ３３に遷移し得る。また、第１ユーザーの動作に応答して結果提示画面Ｄｙ３３のボタンＳＢ３３が押されると、第２ユーザーに対する新たな運動プログラム情報の作成に係る処理が行われる。そして、表示画面３Ｄｐに表示される画面が、結果提示画面Ｄｙ３３から新たな運動プログラム情報に係る運動プログラム提示画面Ｄｙ４に遷移し得る。
【０３３１】
＜(１−５−４−１３)管理者向け機能＞
健康支援機能には、例えば、特定のユーザーとしての管理者に向けた機能（管理者向け機能とも言う）が含まれていて良い。この機能では、例えば、管理者によるユーザーの状況の確認、ユーザーの検索およびユーザーとの情報交換等が図られ得る。
【０３３２】
例えば、管理者によるユーザーの状況の確認については、管理者が、複数のユーザーのうちの少なくとも１人の任意のユーザーを指定することで、該少なくとも１人の任意のユーザーに係る情報が閲覧され得る。このとき、例えば、情報取得部２６４によって、管理者の動作に応答して入力される識別情報およびコマンド等に応答して、記憶部２４から少なくとも１人の任意のユーザーに係る情報（抽出ユーザー情報とも言う）が取得され得る。このとき、例えば、出力制御部２６５の制御により、情報取得部２６４で取得された少なくとも１人の任意のユーザーに係る抽出ユーザー情報が、出力部２２によって管理者（ここでは、管理要端末機器８）に対して出力され得る。このとき、管理用端末機器８では、例えば、出力制御部８６６によって、抽出ユーザー情報が出力部８２において可視的に出力され得る。これにより、例えば、管理者が、少なくとも１人の任意のユーザーの情報を適宜閲覧することが可能となり、健康状態の改善策を検討することが容易となる。なお、ここで、少なくとも１人の任意のユーザーは、例えば、複数のユーザーのうち、管理者の動作に応答して入力される検索条件によって検出されたユーザーであっても良いし、管理者が自由に選択するユーザーであっても良い。
【０３３３】
ユーザーの検索については、例えば、目標達成率、総運動時間、グループ、検査値、およびユーザー個人の目標値の達成状況等といった、記憶部２４に情報が記憶された項目について、検索の条件が指定され得る。このとき、例えば、ユーザー検出部２７５によって、記憶部２４に記憶された複数のユーザーに係る情報のうち、管理者の動作に応答して入力される検索条件に対応する情報に係る１以上のユーザーが検出され得る。検索条件は、例えば、管理用端末機器８において管理者の動作に応答して入力された信号に基づいて、管理用端末機器８あるいはサーバー２等で生成され得る。該検索条件には、例えば、測定値の１以上の項目のそれぞれについて指定された値域の範囲等が含まれ得る。
【０３３４】
ここでは、ユーザーの検索によって、例えば、管理者が留意すべきユーザー（要注意ユーザーとも言う）が検出され得る。例えば、ユーザーの検索によって、目標達成率の数値と、運動プログラム情報に沿った運動の実施による測定値の変化とのマッチングが悪いユーザーが検出される場合がある。このとき、該ユーザーは、例えば、運動のやり方が正しくない等といった運動の効果が出難い事情があり得る留意すべきユーザーであるものと、管理者によって認識され得る。ここで言う測定値には、例えば、体重および血圧等を含むバイタルデータの測定値、ならびにＨｂＡ１ｃ等を含む疾患毎に改善すべき測定値等が含まれ得る。ここで、目標達成率の数値と運動の実施による測定値の変化とのマッチングが悪い一例としては、例えば、目標達成率が８０％を超えているにもかかわらず、運動プログラム情報の対象期間の終了時におけるＨｂＡ１ｃの測定値が、該運動プログラム情報の対象期間の開始時におけるＨｂＡ１ｃの測定値よりも高くなっている場合等が考えられる。
【０３３５】
また、要注意ユーザーには、例えば、健康状態が悪化しているユーザー、運動の効果が希薄で運動以外の指導が必要であるユーザー、目標達成率が特定の閾値（例えば、２０％）未満のユーザー、直近の目標達成率が前回の目標達成率の８０％未満であるユーザー、特定回数（例えば２回）以上連続して目標値を達成出来ていないユーザー、運動による効果が減ったユーザー、前回よりも運動時間が特定時間（例えば、１００分）以上減少しているユーザー、計画通りの時間に運動が出来ていないユーザー、体重等の特定の数値について所謂リバウンドが生じているユーザー等が含まれ得る。
【０３３６】
図５６は、要注意ユーザーを抽出するための情報が記載されたテーブルの一例を示す図である。図５６には、Ａ〜Ｇさんのそれぞれについて、前回の目標達成率、今回の目標達成率、前回の総運動時間、今回の総運動時間、および判定結果が示されている。ここで、例えば、直近の目標達成率が前回の目標達成率の８０％未満であるか、または運動時間が１００分以上減少しているユーザーが、要注意ユーザーとして抽出され得る。図５６の例では、Ａさん、Ｃさん、Ｅさんの３名が、要注意ユーザーとして抽出され得る。
【０３３７】
ここで、管理者が留意すべきと認識した要注意ユーザーに対しては、例えば、管理者が何らかの対応を行うことが好ましい場合がある。このため、要注意ユーザーが検出された場合、例えば、管理者は、検索によって検出された１以上のユーザーとの間で、適切な情報の交換等を行うことが可能であれば、何らかの対応を行うことができる。ここで、管理者による要注意ユーザーとの情報交換は、例えば、電子メール等を介して行われ得る。
【０３３８】
このとき、例えば、管理用端末機器８における管理者の動作に応答して、情報入力部８６５で所望のメッセージを含む電子メールの情報が生成され、出力制御部８６６の制御により、出力部８２によって要注意ユーザーが使用するユーザー用端末機器に向けて該電子メールの情報が出力され得る。これにより、例えば、管理者等が、要注意ユーザーに適切なメッセージを送信することができる。なお、例えば、第１ユーザーが要注意ユーザーとされれば、該第１ユーザーに対して管理者からメッセージが送付され得る。このとき、例えば、送信先の要注意ユーザーの年齢や疾患に係る情報等に合わせた各種の記事等の情報が、要注意ユーザーに向けたメッセージが追加または添付されても良い。
【０３３９】
図５７は、管理者から要注意ユーザーに向けてメッセージが送付された際に、要注意ユーザーが使用するユーザー用端末機器の表示画面３Ｄｐに表示される画面Ｄｙ３４の一例を示している。画面Ｄｙ３４は、例えば、管理者からのメッセージを着信したことを知らせる画面（お知らせ画面とも言う）である。該お知らせ画面Ｄｙ３４には、上部に管理者からのメッセージの着信を知らせる文章が表示されるとともに、下部にボタンＣＢ３４，ＯＢ３４が設けられている。ここで、例えば、要注意ユーザーの動作に応答してボタンＣＢ３４が押されると、表示画面３Ｄｐに表示される画面が、お知らせ画面Ｄｙ３４からＴＯＰ画面Ｄｙ１に遷移する。一方、例えば、要注意ユーザーの動作に応答してボタンＯＢ３４が押されると、表示画面３Ｄｐに表示される画面が、お知らせ画面Ｄｙ３４から、管理者からのメッセージを提示する画面（メッセージ画面とも言う）Ｄｙ３５（図５８）に遷移する。これにより、要注意ユーザーは、例えば、管理者からのメッセージを閲覧することができる。すなわち、健康についての注意が喚起され得る。
【０３４０】
図５８は、メッセージ画面Ｄｙ３５の一例を示す図である。例えば、メッセージ画面Ｄｙ３５では、上部に、管理者（ここでは、健康保険組合における管理者）から要注意ユーザーに向けたメッセージが記載されている。これにより、要注意ユーザーは、例えば、管理者からのメッセージを閲覧することができる。また、メッセージ画面Ｄｙ３５には、メッセージの下に各種記事および相談先の担当者名等が記載され、下部にボタンＣＢ３５，ＭＢ３５が設けられている。ここで、例えば、要注意ユーザーの動作に応答してボタンＣＢ３５が押されると、表示画面３Ｄｐに表示される画面が、メッセージ画面Ｄｙ３５からＴＯＰ画面Ｄｙ１に遷移する。一方、例えば、要注意ユーザーの動作に応答してボタンＭＢ３５が押されると、表示画面３Ｄｐに表示される画面が、メッセージ画面Ｄｙ３５から、返信用の画面（返信用画面とも言う）Ｄｙ３６に遷移する。
【０３４１】
図５９は、返信用画面Ｄｙ３６の一例を示す図である。ここで、返信用画面Ｄｙ３６には、例えば、要注意ユーザーから管理者へ向けた質問等を含む返信用のメッセージが記入される欄（メッセージ記入欄とも言う）ＢＸ３６が設けられている。ここでは、例えば、要注意ユーザーの動作に応答して、メッセージ記入欄ＢＸ３６に返信用のメッセージが記入され得る。また、返信用画面Ｄｙ３６において、例えば、要注意ユーザーの動作に応答してボタンＣＢ３６が押されると、表示画面３Ｄｐに表示される画面が、返信用画面Ｄｙ３６からＴＯＰ画面Ｄｙ１に遷移する。一方、返信用画面Ｄｙ３６において、例えば、要注意ユーザーの動作に応答してボタンＴＢ３６が押されると、返信用画面Ｄｙ３６で記入された返信用のメッセージが、ユーザー用端末機器から管理用端末機器８に向けて出力され得る。つまり、返信用のメッセージを含む電子メールが、管理用端末機器８に向けて送信され得る。
【０３４２】
なお、管理者および要注意ユーザーがメッセージを作成する際、例えば、メッセージのうちの少なくとも一部が、自由に記述された文章、２以上の定型文から選出された文章、および選択肢の指定のうちの少なくとも１つを含み態様が考えられる。
【０３４３】
このようにして、例えば、管理者側からのメッセージの着信を契機として、要注意ユーザーと管理者との間における情報の交換が可能となる。したがって、情報処理におけるシステム化が図られることで、管理者が要注意ユーザーに対して指導を行う手間が削減され、適切な指導等がユーザーに教示され得る。
【０３４４】
＜(１−５−４−１４)社会貢献機能＞
健康支援機能には、例えば、運動プログラム情報に沿った運動の実施によって削減された医療費の総額のうちの少なくとも一部が各種の募金等として各種の団体に渡される機能（社会貢献機能とも言う）が含まれていて良い。
【０３４５】
情報処理システム１では、例えば、運動プログラム情報に沿った運動が実施される程、医療費の削減等を通じた社会貢献が推進され得る。更に、例えば、この社会貢献によって削減された医療費の総額のうちの少なくとも一部が各種の募金等として各種の団体に渡される態様が考えられる。これにより、更なる社会貢献が推進され得る。そして、例えば、各ユーザーが使用するユーザー用端末機器３〜７の表示画面３Ｄｐに、社会貢献の度合いを示す画面（貢献表示画面とも言う）Ｄｙ３７が表示されても良い。
【０３４６】
図６０は、貢献表示画面Ｄｙ３７の一例を示す図である。貢献表示画面Ｄｙ３７には、例えば、団体名と募金の総額等といった社会貢献の度合いを示す内容が表示され得る。ここでは、例えば、情報処理システム１を利用している全ユーザーの総バッジポイントを、１ポイント＝１０円の換算式で換算することで、寄付金の総額が算出され得る。これにより、各ユーザーは、自分自身が実施した運動の結果が、寄付等の社会貢献を通じて世の中の役に立っているといった認識を持つことできる。したがって、運動の実施に対するユーザーのやる気が高められ得る。
【０３４７】
なお、図６０で示される貢献表示画面Ｄｙ３７において、例えば、ユーザーの動作に応答してボタンＣＢ３７が押されると、表示画面３Ｄｐに表示される画面が、貢献表示画面Ｄｙ３７からＴＯＰ画面Ｄｙ１に遷移する。
【０３４８】
＜(１−５−４−１５)ランキング機能＞
健康支援機能には、例えば、バッジポイントについて、複数のユーザーおよび複数のグループについての順位付けが行われ、その順位付けの結果が表示される機能（ランキング機能とも言う）が含まれていて良い。この機能によれば、例えば、ユーザーは、複数のユーザーについての順位付けの結果（ユーザーランキングとも言う）の閲覧を通じて、運動プログラムへの取り組みについての自身の位置付けが分かるため、運動の実施に対するユーザーのやる気が高められ得る。また、例えば、ユーザーは、複数のグループについての順位付けの結果（グループランキングとも言う）の閲覧を通じて、運動プログラムへの取り組みについてのグループの位置付けが分かるため、運動の実施に対するユーザーのやる気が高められ得る。
【０３４９】
例えば、ＴＯＰ画面Ｄｙ１において、ユーザーの動作に応答して項目ボタンＯＰ５が押されると、表示画面３Ｄｐに表示される画面が、ＴＯＰ画面Ｄｙ１から、ランキングを表示するための画面（ランキング画面とも言う）Ｄｙ３８に遷移し得る。
【０３５０】
図６１は、ランキング画面Ｄｙ３８を例示する図である。ランキング画面Ｄｙ３８では、例えば、運動プログラム情報に沿った運動の実施を通じて獲得したバッジポイントの累計が多い、ユーザーおよびグループは、上述した社会貢献に大きく寄与しているため、優良なユーザーおよび優良なグループとして表示され得る。具体的には、ランキング画面Ｄｙ３８には、例えば、情報処理システム１の運営主体の紹介、優良なユーザーのランキング（優良ユーザーランキングとも言う）および優良なグループのランキング（優良グループランキングとも言う）が示され得る。なお、情報処理システム１の運営主体の紹介には、例えば、運営主体に係る団体名、該団体が運営する情報処理システム１に参加しているユーザー数、および該団体による募金の総額（総募金額とも言う）等が示され得る。
【０３５１】
ここでは、例えば、或るユーザーに係る運動プログラム情報の対象期間が終了した後に、ランキング情報生成部２７４によって、複数のユーザーについて、付与された特定のバッジの数に応じた優良ユーザーランキングが生成され得る。また、例えば、ランキング情報生成部２７４によって、２以上のユーザーがそれぞれ属する複数のグループについて、付与された特定のバッジの数に応じた優良グループランキングが生成され得る。ここで、グループに係るバッジの数は、例えば、該グループに属する２以上のユーザーに付与されたバッジの数、および該グループに対して直接付与されたバッジの数の少なくとも一方のバッジの数に応じて決定され得る。グループに対して直接付与されるバッジは、例えば、同一のグループに属する複数のユーザーのうちの共通時間帯に運動を実施したユーザーの数や割合に応じて付与され得る。
【０３５２】
そして、ランキング情報生成部２７４で生成されたランキングに係る情報は、例えば、ランキング情報２５１として、記憶制御部２６３によって記憶部２４に記憶され得る。また、ランキングに係る情報は、例えば、出力制御部２６５の制御により、出力部２２によってユーザー用端末機器３〜７に対して出力され得る。このとき、各ユーザー用端末機器では、出力制御部３６６の制御により、出力部３２によってランキングに係る情報が可視的に出力され得る。これにより、ユーザーは、優良ユーザーランキングの閲覧によって運動プログラムへの取り組みについての自身の位置付けを把握することができる。また、ユーザーは、優良グループランキングの閲覧によっても、運動プログラムへの取り組みについてのユーザー自身が属するグループの位置付けを把握することができる。その結果、健康状態を改善するための運動の実施に対するユーザーのやる気が高められ得る。
【０３５３】
また、ランキング画面Ｄｙ３８において、例えば、ユーザーの動作に応答してボタンＣＢ３８が押されると、表示画面３Ｄｐに表示される画面は、例えば、ランキング画面Ｄｙ３８からＴＯＰ画面Ｄｙ１に遷移し得る。
【０３５４】
＜(１−６)一実施形態のまとめ＞
以上のように、一実施形態に係る情報処理システム１では、例えば、改善すべき健康状態が類似しているような特定の関係を満たすユーザーの間で、健康状態を改善可能なユーザーの運動および該運動に応じて変化した１以上の数値の項目についてのユーザーの数値のうちの少なくとも一方の情報が相互に閲覧され得る。これにより、ユーザー同士で互いに刺激し合って、健康状態を改善するための運動に対するユーザーのやる気が向上し得る。
【０３５５】
ここで、例えば、複数のユーザーが、改善すべき健康状態が類似している２以上のユーザーからなる複数のグループに分けられ、各グループ内で、ユーザー同士が相互に健康状態に係る数値を閲覧することができれば、健康状態を改善するための運動の実施に対するユーザーのやる気が向上され得る。そして、その結果、例えば、ユーザーの健康状態の改善により、各種団体で生じる医療に係る費用が削減され得る。
【０３５６】
また、例えば、ユーザー同士で相互に閲覧可能な情報に、他のユーザーについての運動の開始、運動の内容、運動の実施および該運動による測定値の変化等の情報が含まれていれば、近い立場のユーザー同士が互いに刺激し合う度合いが高まり得る。その結果、健康状態を改善するための運動の実施に対するユーザーのやる気が更に向上され得る。
【０３５７】
＜(２)変形例＞
なお、本発明は上述の一実施形態に限定されるものではなく、本発明の要旨を逸脱しない範囲において種々の変更、改良等が可能である。
【０３５８】
例えば、上記一実施形態では、例えば、第１ユーザーによって運動の実施後に各種測定値が登録されると、この登録された各種測定値を含む情報が、他のユーザーとしての第２ユーザーに自動的に報知されても良い。また、例えば、他のユーザーとしての第２ユーザーによって運動の実施後に各種測定値が登録されると、第１ユーザーによって直近の運動の実施後に登録された各種測定値を含む情報が、第２ユーザーに自動的に報知されても良い。ここで、他のユーザーとしての第２ユーザーは、例えば、第１ユーザーと特定の１以上の数値の項目についての数値が最も近い１名のユーザーであっても良いし、第１ユーザーと同一のグループに属する他のメンバーであっても良い。
【０３５９】
また、上記一実施形態では、いわゆるサーバー・クライアントシステムが採用されたが、これに限らない。例えば、サーバー２が設けられることなく、２以上のユーザー用端末機器が、サーバー２の機能を分担し合って、各種の接続態様で通信可能に接続される構成が採用されても良い。ここで、通信態様としては、例えば、Ｐ２Ｐ、インターネットを介した通信、各種の近距離通信等が採用され得る。また、例えば、サーバー２が設けられる代わりに、いわゆるクラウドコンピューティングが利用されたシステムが採用されても良い。更に、例えば、１台の装置が、サーバー２およびユーザー用端末機器の機能を有する構成が採用されても良い。この場合、例えば、２以上のユーザーのそれぞれが、個人認証用の情報を入力することで健康支援機能の利用が可能となる構成が採用され得る。そして、第１ユーザーおよび第２ユーザー等の各ユーザーに対して数値が出力される態様には、例えば、ユーザーが１台の装置を使用している状態で、該１台の装置に含まれる出力部によって、該ユーザーが認識可能な態様で出力される態様が含まれ得る。ユーザーが認識可能な態様には、例えば、表示部等での表示等といった可視的な態様、およびスピーカー等での音声出力等といった可聴的な態様等が含まれ得る。
【０３６０】
また、上記一実施形態では、１つの団体内における優良ユーザーランキングおよび優良グループランキングが示されたが、これに限られない。例えば、複数の団体が運営する情報処理システムのそれぞれにおけるバッジの取得状況に応じて、団体毎のランキング（優良団体ランキングとも言う）が示される構成が採用されても良い。これにより、例えば、企業が運営する健康保険組合等のランキングを通じて、該企業等の団体のイメージアップを図ることも可能となる。
【０３６１】
また、上記一実施形態では、可視的な出力として表示部における表示を一例として挙げたが、これに限られない。可視的な出力の態様としては、例えば、スクリーンに対する投影、紙媒体等へのプリントアウト、および電子ペーパーへの表示等も採用され得る。
【０３６２】
また、健康支援機能における被支援者は、人間だけに限られず、例えば、動物等のその他の生体であっても良い。更に、被支援者には、例えば、人工知能を有するロボット等も含まれ得る。
【０３６３】
なお、上記一実施形態および各種変形例をそれぞれ構成する全部または一部を、適宜、矛盾しない範囲で組み合わせ可能であることは、言うまでもない。
【符号の説明】
【０３６４】
１  情報処理システム
２  サーバー
２Ｐ，３Ｐ，８Ｐ  プログラム
３〜７  ユーザー用端末機器
８  管理用端末機器
２１，３１，８１  入力部
２２，３２，８２  出力部
２４，３４，８４  記憶部
２６，３６，８６  制御部
２４１  ユーザー識別用情報
２４２  健康情報データベース（健康情報ＤＢ）
２４３  ユーザー情報
２４４  ユーザー抽出用基準情報
２４５  ユーザー分類情報
２４６  プログラム作成用情報
２４７  プログラムデータベース（プログラムＤＢ）
２４８  運動情報データベース（運動情報ＤＢ）
２４９  評価情報データベース（評価情報ＤＢ）
２５０  バッジ付与情報
２５１  ランキング情報
２６１，３６１，８６１  入力受付部
２６２  ユーザー識別部
２６３  記憶制御部
２６４，３６２，８６２  情報取得部
２６５，３６６，８６６  出力制御部
２６６  ユーザー認識部
２６７  ユーザー分類部
２６８  運動プログラム作成部
２６９  ユーザー評価部
２７０  達成状況認識部
２７１  実施度合い演算部
２７２  時間帯認識部
２７３  バッジ付与部
２７４  ランキング情報生成部
２７５  ユーザー検出部
８６４  検索条件生成部
【図１】
2017162354.tif 000003
【図２】
2017162354.tif 000004
【図３】
2017162354.tif 000005
【図４】
2017162354.tif 000006
【図５】
2017162354.tif 000007
【図６】
2017162354.tif 000008
【図７】
2017162354.tif 000009
【図８】
2017162354.tif 000010
【図９】
2017162354.tif 000011
【図１０】
2017162354.tif 000012
【図１１】
2017162354.tif 000013
【図１２】
2017162354.tif 000014
【図１３】
2017162354.tif 000015
【図１４】
2017162354.tif 000016
【図１５】
2017162354.tif 000017
【図１６】
2017162354.tif 000018
【図１７】
2017162354.tif 000019
【図１８】
2017162354.tif 000020
【図１９】
2017162354.tif 000021
【図２０】
2017162354.tif 000022
【図２１】
2017162354.tif 000023
【図２２】
2017162354.tif 000024
【図２３】
2017162354.tif 000025
【図２４】
2017162354.tif 000026
【図２５】
2017162354.tif 000027
【図２６】
2017162354.tif 000028
【図２７】
2017162354.tif 000029
【図２８】
2017162354.tif 000030
【図２９】
2017162354.tif 000031
【図３０】
2017162354.tif 000032
【図３１】
2017162354.tif 000033
【図３２】
2017162354.tif 000034
【図３３】
2017162354.tif 000035
【図３４】
2017162354.tif 000036
【図３５】
2017162354.tif 000037
【図３６】
2017162354.tif 000038
【図３７】
2017162354.tif 000039
【図３８】
2017162354.tif 000040
【図３９】
2017162354.tif 000041
【図４０】
2017162354.tif 000042
【図４１】
2017162354.tif 000043
【図４２】
2017162354.tif 000044
【図４３】
2017162354.tif 000045
【図４４】
2017162354.tif 000046
【図４５】
2017162354.tif 000047
【図４６】
2017162354.tif 000048
【図４７】
2017162354.tif 000049
【図４８】
2017162354.tif 000050
【図４９】
2017162354.tif 000051
【図５０】
2017162354.tif 000052
【図５１】
2017162354.tif 000053
【図５２】
2017162354.tif 000054
【図５３】
2017162354.tif 000055
【図５４】
2017162354.tif 000056
【図５５】
2017162354.tif 000057
【図５６】
2017162354.tif 000058
【図５７】
2017162354.tif 000059
【図５８】
2017162354.tif 000060
【図５９】
2017162354.tif 000061
【図６０】
2017162354.tif 000062
【図６１】
2017162354.tif 000063